(57)【要約】【課題】各種の色に変化し、花の色も変わる花瓶、美しく変色するシャンパングラスの塔、色の変わる暗号文字などを製作し、見るものに驚きを与え、この現象に興味を持たせ、教育する効果を持った教材を提供すること。【解決手段】色の変わる色素や金属塩などの性質を利用して、各種の演示物、教材、印刷物などを提供する。混合することで、化学反応などによって変色する物質を利用し、これを花瓶やシャンパングラスによる演出に適用する。グラスの液体は飲用も可能なものが提供できる。花瓶では、水を入れることで、さまざまな色が出現する演出が行える他、花の色素と反応する物質を用いて、生けた花の色も変化させることができる。  同様に、変色する物質を利用し、また、色が変わることを楽しみながら、暗号文作成の基本を学ぶことができるような教育材料を提供する。【選択図】  図１
2006198124.tif 000002
【特許請求の範囲】
【請求項１】
色素物質または色素と反応してこれを変色させる１種あるいは複数種の物質Ａ（Ａ１，Ａ２，・・・，Ａｎ）と、
物質Ａを受ける３以上の受容部Ｂ（Ｂ１，Ｂ２，・・・，Ｂｎ）と、
前記３以上の受容部Ｂに導かれた物質Ａと反応して、これを変色させる物質あるいは物質Ａと反応して変色する１種の物質Ｃから構成され、
１種の物質Ａを３以上の受容部Ｂに、量を変える、または複数種の物質Ａのそれぞれを３以上の受容部Ｂに予め導入し、
その後、物質Ｃを受容部Ｂに導入することにより物質Ａと物質Ｃを反応させ、
各受容部に異なった色彩や色パターンを浮かび上がらせることを特徴とした花瓶、室内装飾品、インテリア、アクセサリ、玩具、学習用教材、印刷物、描画物（以下これらの総称をインテリア等という）。
【請求項２】
容器本体Ｄと、
容器本体Ｄにつながり、Ｄ内の溶液を通過させることのできる３以上の通路Ｅ（Ｅ１，Ｅ２，・・・，Ｅｎ）と、
通路Ｅにつながり、通過したＤ内の溶液を導入することのできる［請求項１］に記載の受容部Ｂから構成され、
容器本体Ｄに導入した［請求項１］に記載の物質Ｃを、通路Ｅを通って受容部Ｂに導入し、物質Ｃを予め受容部Ｂに導入しておいた物質Ａと反応させ、以て各受容部Ｂに異なった色彩や色パターンを浮かび上がらせることを特徴としたインテリア等。
【請求項３】
［請求項２］において、容器本体と３以上の受容部Ｂが透明な材質で構成され、
受容部Ｂが容器本体とその下部において通路Ｅでつながっていることを特徴としたインテリア等であって、主に花瓶などのように水溶液を保持する目的に使用するインテリア等。
【請求項４】
［請求項２］において、容器本体Ｄと３以上の受容部Ｂが透明な材質で構成され、
シャンパングラスまたはカップの形状をした受容部Ｂと、
これら受容部Ｂの上に同様のシャンパングラスまたはカップの形状をした容器本体Ｄを重ねた構造を持つことを特徴とするインテリア等。
【請求項５】
［請求項４］において、３以上の受容部Ｂの下に同様の３以上の受容部Ｂ’（Ｂ’１，Ｂ’２，・・・，Ｂ’ｎ）を置いた構造を持ち、
このＢ’の下には次の受容部がないか、または更に同様の受容部Ｂ’’（Ｂ’’１，Ｂ’’２，・・・，Ｂ’’ｎ）が置かれ、
以下同様にしてＢ’’の下には次の受容部がないか、同様の受容部が設置されていくことを特徴とし、
本体容器Ｄに物質Ｃを注ぎ、本体容器Ｄの上部から物質Ｃがあふれることによって、本体容器Ｄの上部に自然に受容部Ｂとの間の通路Ｅが形成され、
３以上の各受容部Ｂの上部から物質Ｃがあふれることによって、受容部Ｂの上部に自然に受容部Ｂ’との間の通路Ｅ’が形成され、
以下同様にして受容部Ｂ’と受容部Ｂ’’との間の通路Ｅ’’が形成されていくことを特徴とし、
順次受容部Ｂ、Ｂ’等に異なった色彩や色パターンを浮かび上がらせることを特徴としたインテリア等。
【請求項６】
［請求項１］に記載した受容部Ｂが紙などのように平面状で、液体を吸収または表面に保持させることのできる材質から構成されたものであって、
受容部Ｂの３以上の部分に物質Ａを導入する際に、筆や「はけ」で塗る、または物質Ａをペンに付けて描画する、またはマーカペンのように物質Ａをしみ込ませた担体を用いて描画する、または液体の状態で噴霧または滴下する、またはプリンタのノズルから射出して導入し、
この後、物質Ｃを同様に筆や「はけ」で塗る、または物質Ｃをペンに付けて描画する、またはマーカペンのように物質Ｃをしみ込ませた担体を用いて描画する、または液体の状態で噴霧または滴下する、またはプリンタのノズルから射出して導入し、
物質Ａと物質Ｃを反応させ、各受容部に異なった色彩や色パターンを浮かび上がらせることを特徴としたインテリア等。
【請求項７】
［請求項１］から［請求項５］に適用する「色素と反応して、これを変色させる１種あるいは複数種の物質Ａ」として、０．０１ｍｏｌ／リットル以上の水素イオンあるいは水酸イオン濃度の酸または／およびアルカリ溶液を適用し、
物質Ａと反応して変色する１種の物質Ｃとして、２以上の変色点を持った単一指示薬、あるいは混合指示薬、あるいは２以上の変色点を持った混合指示薬に変色しない色素加えたもの（以下略称を多変色点指示薬と呼ぶ）を適用し、
［請求項１］から［請求項５］に記載の受容部Ｂに、酸または／およびアルカリ溶液を物質Ｃの容積の１／２０以下の範囲でそれぞれ量を変えて導入し、
その後、物質Ｃを受容部Ｂに導入することにより受容部Ｂに物質Ｃの酸性またはアルカリ性溶液を生成し、物質Ｃの化学構造変化によって各受容部に異なった色彩や色パターンを浮かび上がらせることを特徴としたインテリア等。
【請求項８】
［請求項１］から［請求項５］に適用する色素物質Ａとして、酸性またはアルカリ性または中性のいずれかの領域で無色になる複数の指示薬または複数の指示薬の混合物と、
［請求項１］から［請求項５］に適用する「物質Ａに作用して色を発色（変色）させる物質Ｃ」として、１ｍｏｌ／リットル以下の水素イオンあるいは水酸イオン濃度の酸またはアルカリ溶液または中性の溶液を適用し、
［請求項１］から［請求項５］に記載の３以上の受容部Ｂに、複数の指示薬またはこれら複数の指示薬の混合物（色素物質Ａ）を、物質Ｃの容積の１／２０以下の範囲で導入し、
その後、物質Ｃを受容部Ｂに導入することにより受容部Ｂに物質Ａの酸性またはアルカリ性溶液を生成し、物質Ａの化学構造変化によって各受容部に異なった色彩や色パターンを浮かび上がらせることを特徴としたインテリア等。
【請求項９】
［請求項７］の物質Ａと反応して変色する多変色点指示薬として、以下のいずれかを適用することを特徴としたインテリア等。
（１）少なくともメチルレッド及びブロムチモールブルー及びフェノールフタレインを含む指示薬の混合物
（２）少なくともメチルレッド及びブロムチモールブルー及びクレゾールレッドを含む指示薬の混合物
（３）単体で２以上の変色点を持つ指示薬として、次のいずれか、あるいはその混合指示薬として次のうちの複数を含む指示薬。
チモールブルー、キシレノールブルー、アリザリン、アントシアニン、クレゾールレッド、ブロムチモールブルー、フェノールフタレイン
（４）ブロムチモールブルーとフェノールレッドと食用黄色４号（タートラジン）を含む指示薬の混合物
（５）ブロムチモールブルーと食用黄色４号（タートラジン）を含む指示薬の混合物
（６）ブロムチモールブルーとフェノールレッドを含む指示薬の混合物
（７）フェノールレッドとブロムチモールブルーとメチルレッドを含む指示薬の混合物
（８）上記（１）から（７）に示す多変色点指示薬に、砂糖（蔗糖）、果糖、ブドウ糖、麦芽糖、液糖、グリセリンなどの指示薬の粘性及び比重を上げる物質を混合した混合物
【請求項１０】
［請求項８］の色素物質Ａとして、以下のいずれか複数またはそれらの混合物を適用することを特徴としたインテリア等。
（１）チモールフタレイン
（２）ｏ−クレゾールフタレイン
（３）ｐ−クレゾールフタレイン
（４）食用赤色１０４号（フロキシン）
（５）食用赤色１０５号（ローズベンガル）
（６）フェノールフタレイン
（７）ｐ−またはｍ−またはｏ−ニトロフェノール
（８）上記（１）から（７）に示す色素物質に、砂糖（蔗糖）、果糖、ブドウ糖、麦芽糖、液糖、グリセリンなどの色素物質の粘性及び比重を上げる物質を混合した混合物
【請求項１１】
［請求項１］から［請求項５］の色素物質Ａとして、酸性またはアルカリ性または中性のいずれかの領域で黄色になる複数の指示薬またはこれら複数の指示薬の混合物と、
［請求項１］から［請求項５］の物質Ａに作用して色を発色（変色）させる物質Ｃとして、１ｍｏｌ／リットル以下の水素イオンあるいは水酸イオン濃度の酸またはアルカリ溶液または中性の溶液を適用し、
［請求項１］から［請求項５］に記載の３以上の受容部Ｂに、複数の指示薬またはこれら複数の指示薬の混合物（色素物質Ａ）を、物質Ｃの容積の１／２０以下の範囲で導入し、
その後、物質Ｃを受容部Ｂに導入することにより受容部Ｂに物質Ａの酸性またはアルカリ性溶液を生成し、物質Ａの化学構造変化によって各受容部に異なった色彩や色パターンを浮かび上がらせることを特徴としたインテリア等。
【請求項１２】
［請求項１１］の色素物質Ａとして、以下のいずれか３以上を適用することを特徴としたインテリア等。
（１）ブロムチモールブルーとフェノールレッドと食用黄色４号（タートラジン）を含む指示薬の混合物
（２）フェノールレッドと食用黄色４号（タートラジン）を含む指示薬の混合物
（３）メチルレッドと食用黄色４号（タートラジン）を含む指示薬の混合物
（４）ブロムチモールブルーと食用黄色４号（タートラジン）を含む指示薬の混合物
（５）ブロムチモールブルーまたはブロムフェノールブルーまたはチモールブルーまたはこれらの複数を含む指示薬
（６）ブロムチモールブルーまたはチモールブルー、及びフェノールレッドを含む指示薬の混合物
（７）ブロムチモールブルーまたはブロムクレゾールパープル、及びフェノールレッドを含む指示薬の混合物
（８）フェノールレッド、またはクレゾールレッド、または食用赤色１０４号（フロキシン）、または食用赤色１０５号（ローズベンガル）、またはこれらの複数を含む指示薬の混合物
（９）上記（１）から（８）に示す多変色点指示薬に、砂糖（蔗糖）、果糖、ブドウ糖、麦芽糖、液糖、グリセリンなどの指示薬の粘性及び比重を上げる物質を混合した混合物
【請求項１３】
［請求項７］の物質Ａとして、０．０１ｍｏｌ／リットル以上の水素イオンあるいは水酸イオン濃度の酸または／およびアルカリ溶液に加えて、次の（１）から（４）のいずれかまたはその複数を適用し、
物質Ａと反応して変色する１種の物質Ｃとして、アントシアニンを適用したことを特徴としたインテリア等。
（１）タングステン化合物
（２）アルミニウム化合物
（３）モリブデン化合物
（４）砂糖（蔗糖）、果糖、ブドウ糖、麦芽糖、液糖、グリセリンなどの酸または／およびアルカリ溶液の粘性及び比重を上げる物質を混合した混合物
【請求項１４】
［請求項７］の物質Ｃに、０．００１重量％以上の過酸化水素を含有させ、
物質Ａとして、０．０１ｍｏｌ／リットル以上の水素イオンあるいは水酸イオン濃度の酸または／およびアルカリ溶液に加えて、そのいずれか一つまたは複数に、物質Ｃとの混合後の濃度換算で０．１％以上の濃度になる分量のチオ硫酸塩を含有させたことを特徴とするインテリア等。
【請求項１５】
［請求項７］の物質Ｃに、０．０１重量％以上の過ヨウ素酸塩を含有させ、
物質Ａとして、０．０１ｍｏｌ／リットル以上の水素イオンあるいは水酸イオン濃度の酸または／およびアルカリ溶液に加えて、そのいずれか一つまたは複数に、物質Ｃとの混合後の濃度換算で０．１％以上の濃度になる分量のチオ硫酸塩を含有させたことを特徴とするインテリア等。
【請求項１６】
［請求項１４］または［請求項１５］に記載の物質Ａに銅化合物を含有させたことを特徴とするインテリア等。
【請求項１７】
［請求項７］の物質Ｃに、０．００５重量％以上の亜硫酸塩または亜硫酸水素塩またはこれらの混合物と、０．０１重量％以上のデンプンを含有させ、
物質Ａとして、０．０１ｍｏｌ／リットル以上の水素イオンあるいは水酸イオン濃度の酸または／およびアルカリ溶液に加えて、そのいずれか一つまたは複数に、物質Ｃとの混合後の濃度換算で０．０１％以上の濃度になる分量のヨウ素酸塩と、物質Ｃとの混合後の濃度換算で０．０１ｍｏｌ／リットル以上の水素イオン濃度になる分量の酸を含有させたことを特徴とするインテリア等。
【請求項１８】
［請求項７］の物質Ｃに、０．０１％以上の濃度になる分量のヨウ素酸塩と、０．０１ｍｏｌ／リットル以上の水素イオン濃度になる分量の酸を含有させ、
物質Ａとして、０．０１ｍｏｌ／リットル以上の水素イオンあるいは水酸イオン濃度の酸または／およびアルカリ溶液に加えて、そのいずれか一つまたは複数に、物質Ｃとの混合後の濃度換算で０．００５重量％以上の亜硫酸塩または亜硫酸水素塩またはこれらの混合物と、０．０１重量％以上のデンプンを含有させたことを特徴とするインテリア等。
【請求項１９】
［請求項１７］または［請求項１８］に記載したデンプン、または、亜硫酸塩または亜硫酸水素塩またはこれらの混合物とヨウ素酸塩と酸を混合して変色を行わせる際に添加するデンプンについて、これを水溶液として保存するために、このデンプン水溶液に以下の（１）及び（２）を添加することを特徴としたデンプン水溶液の変質防止方法。
（１）混合後の割合に換算して０．００１ｍｏｌ／リットル以上の水酸イオンを含むアルカリ水溶液。
（２）混合後の割合に換算して０．００５重量％以上の亜硫酸塩または亜硫酸水素塩またはこれらの混合物
【請求項２０】
［請求項１９］に記載のデンプン水溶液の変質防止方法において、この方法で作成されるデンプン水溶液に、以下の（１）から（５）のいずれかまたは複数を適用することを特徴としたデンプン水溶液の変質防止方法。
（１）混合後の割合に換算して０．００１％以上のチモールを含有させるデンプン水溶液の変質防止方法。
（２）混合後の割合に換算して０．０１重量％以上のソルビン酸塩を含有させるデンプン水溶液の変質防止方法。
（３）混合後の割合に換算して０．０１重量％以上のエチレンジアミン四酢酸塩（以下略称はＥＤＴＡ塩という）を含有させるデンプン水溶液の変質防止方法。
（４）混合後の割合に換算して３重量％以上のエチルアルコールを含有させるデンプン水溶液の変質防止方法。
（５）混合後の割合に換算して０．５重量％以上の尿素を含有させるデンプン水溶液の変質防止方法。
【請求項２１】
［請求項１９］または［請求項２０］に記載の変質防止を施したデンプン水溶液。
【請求項２２】
花弁にアントシアニン系色素を含有した植物に、
水溶性のタングステン化合物を与え吸収させ、
濃い赤紫ないし青紫の花に変化させる、アントシアニン系色素を含有する植物の花色の変色方法。
【請求項２３】
与える水溶性タングステン化合物の量が、タングステンのモル濃度として０．１ｍＭから１０ｍＭの範囲である、［請求項２２］に記載の濃い赤紫ないし青紫の花に変化させる、アントシアニン系色素を含有する植物の花色の変色方法。
【請求項２４】
［請求項２］及び［請求項３］の主に花瓶などのように水溶液を保持する目的に使用するインテリア等において、
［請求項２］に記載の容器本体Ｄに導入した物質Ｃに、予め以下（１）から（３）の物質のいずれかまたは複数を混合し、
容器本体にアントシアニン系色素を含有する植物を入れ、
この植物の花の色を次第に濃い赤紫ないし青紫に変化させることを特徴とする、アントシアニン系色素を含有する植物の、［請求項２］及び［請求項３］の花瓶などの容器を用いた花色の変色方法。
（１）水溶性タングステン化合物
（２）水溶性アルミニウム化合物
（３）水溶性モリブデン化合物
【請求項２５】
［請求項２２］から［請求項２４］に記載の、水溶性タングステン化合物として、特に１２タングスト（ＶＩ）りん酸を適用することを特徴とした、濃い赤紫ないし青紫の花に変化させる、アントシアニン系色素を含有する植物の花色の変色方法。
【請求項２６】
［請求項２２］から［請求項２５］のいずれかに記載の方法により得られた、濃い赤紫ないし青紫の花を咲かせたアントシアニン系色素を含有する植物。
【請求項２７】
［請求項６］のインテリア等において、特に物質Ａとして以下の（１）または（２）であることを特徴とし、
（１）に対応する物質Ｃとしては（ａ）に示し、（２）に対応する物質Ｃとしては（ｂ）に示した物質を適用することを特徴とした、主に印刷物あるいは描画物あるいは学習用教材としての特徴を持ったインテリア等。
（１）［請求項１２］の（１）から（９）に記載した物質群またはこれらの混合物。
（２）発明者らが先に出願した特許願「特願２００４−１６５２０７」の中で「絵の具」または「描画材料」として定義している「描画材料」。
（ａ）０．５重量％以上のアルカリ金属またはアンモニウムの炭酸塩水溶液
（ｂ）発明者らが先に出願した特許願「特願２００４−１６５２０７」の中で「発色剤」として定義している「描画材料」。
【請求項２８】
［請求項６］または［請求項２７］で定義した、物質Ａで受容部Ｂに描画し、これを物質Ｃで各受容部に異なった色彩や色パターンを浮かび上がらせたことを特徴とする印刷物あるいは描画物と、
この印刷物あるいは描画物の複数の特定部の色を透過させるための穴を設けた、紙やプラスティックなどの可視光を透過しない材料でできた、可視光透過部を有するマスク板Ｆで構成されたことを特徴とする、暗号化または複合化した印刷物あるいは描画物。
【請求項２９】
［請求項２８］のマスク板Ｆに関し、
透明または半透明な、紙やプラスティックなどの可視光を透過する材料と、
黒色または黒色に近い可視光を良く吸収し、可視光を透過しにくい物質と、
白色または白色に近い可視光を良く反射し、可視光を透過しにくい物質とで構成し、
印刷物あるいは描画物の複数の特定部の色を透過させるための穴の代用として、前記黒色または白色の物質を塗布しないことによる可視光透過部を設け、
その他の部分に、前記黒色または白色の物質のいずれか一方を塗ることを特徴とする可視光透過部を有するマスク板の作成方法。
【請求項３０】
［請求項２８］または［請求項２９］のマスク板Ｆの作成規則として、
文字を表すための最小単位であるドットを２以上の複数パートに分割し、
予め決められた数字列Ｇに従って分割したドットのいずれかのパートに穴を開ける、または［請求項２９］の「可視光を透過する材料に白色または黒色の物質を塗布しない」ことにより、可視光透過部を設け、
受容部Ｂ全体または一部を覆うマスク板Ｆに対応する全てのドットに同様の規則Ｇを適用してなる可視光透過部を有するマスク板Ｆの作成方法。
【請求項３１】
［請求項２９］または［請求項３０］のマスク板Ｆにおいて、
可視光を透過させない箇所に、可視光透過部からの光をマスク板の概略法線方向に反射させる鏡を設置し、
可視光を透過させない箇所の概略上方から見た時、可視光透過部からの光が見えるようにしたことを特徴とする、
可視光透過部と可視光透過部の光を反射させる鏡を有するマスク板Ｆ。
【請求項３２】
［請求項２８］で各受容部Ｂに浮かび上がった、変化する前とは異なる色について、［請求項２８］から［請求項３１］で示されたマスク板Ｆの可視光透過部を透過して見える色をもって有意な情報が現れるように描画し、
マスク板で遮られて見られない部分には、マスク板のない時に前記有意な情報を撹乱するランダムな色が出現するように描画することを特徴とした暗号化印刷物あるいは描画物の作成方法。
【請求項３３】
［請求項２８］または［請求項２９］のマスク板Ｆに関し、マスターキー機能を持つマスク板Ｆ’の作成規則と、受容部Ｂへの描画規則として、
文字を表すための最小単位であるドットを３以上の複数パートに分割し、
一枚のマスク板に対し、ドットの一つのパートに、予め決められた数字列Ｇに従って可視光透過部を設け、受容部Ｂ全体または一部を覆うマスク板Ｆに対応する全てのドットに同様の規則を適用してマスク板Ｆを作成し、
別の一枚のマスク板に対し、ドットの一つのパートに、予め決められた数字列Ｇ’に従って可視光透過部を設け、受容部Ｂ全体または一部を覆うマスク板Ｆに対応する全てのドットに同様の規則を適用してマスク板Ｆ’を作成し、
マスク板Ｆの穴を透過して見える色をもって有意な情報が現れるように描画し、
マスク板Ｆ’の穴を透過して見える色をもって、同じ有意な情報が別の場所に現れるように描画し、
マスク板Ｆ及びＦ’の双方に穴のない箇所に、これら２つのマスク板のない時に、前記有意な情報を撹乱するランダムな色が出現するように描画することを特徴とした暗号化印刷物あるいは描画物の作成方法。
【請求項３４】
［請求項２８］または［請求項２９］のマスク板Ｆに関し、マスターキー機能を持つマスク板Ｆ’と別の情報を同時に表示するためのマスク板Ｆ’’の作成規則と、受容部Ｂへの描画規則として、
文字を表すための最小単位であるドットを４以上の複数パートに分割し、
一枚のマスク板に対し、ドットの一つのパートに、予め決められた数字列Ｇに従って可視光透過部を設け、受容部Ｂ全体または一部を覆うマスク板Ｆに対応する全てのドットに同様の規則を適用してマスク板Ｆを作成し、
別の一枚のマスク板に対し、ドットの一つのパートに、予め決められた数字列Ｇ’に従って可視光透過部を設け、受容部Ｂ全体または一部を覆うマスク板Ｆに対応する全てのドットに同様の規則を適用してマスク板Ｆ’を作成し、
また別の一枚のマスク板Ｆ’’に対し、マスク板Ｆ及びＦ’’の穴位置に重複しない位置に穴が設けられるように設定した予め決められた数字列Ｇ’’に従って可視光透過部を設け、
マスク板Ｆの穴を透過して見える色をもって有意な情報が現れるように描画し、
マスク板Ｆ’の穴を透過して見える色をもって、同じ有意な情報が別の場所に現れるように描画し、
マスク板Ｆ’’の穴を透過して見える色をもって、別の有意な情報が別の場所に現れるように描画し、
マスク板Ｆ及びＦ’及びＦ’’の全てに穴のない箇所に、これら３つのマスク板のない時に、前記有意な情報を撹乱するランダムな色が出現するように描画することを特徴とした暗号化印刷物あるいは描画物の作成方法。
【請求項３５】
［請求項２８］から［請求項３４］で定義される一群の暗号化印刷物あるいは描画物を構成するための描画材料として、物質Ａのみで黒または黒に近い濃い色、または白または白に近い色を発色する材料を用いたことを特徴とする暗号化印刷物あるいは描画物の作成方法。
【請求項３６】
［請求項３５］の物質Ａとして、この物質の色を化学反応により消すことのできる材料で構成することを特徴とする暗号化印刷物あるいは描画物の作成方法。
【請求項３７】
［請求項２８］から［請求項３６］で定義される一群の暗号化印刷物あるいは描画物において、
物質Ａの導入されない箇所で有意な情報を描画し、物質Ａで撹乱するランダムな情報を描画することを特徴とした暗号化印刷物あるいは描画物の作成方法。
【請求項３８】
［請求項２８］から［請求項３７］で定義される一群の暗号化印刷物又は描画物と、
これらを復号するためのマスク板において、
電圧を印加することによって可視光の透過、不透過が制御できる液晶材料で構成することを特徴とする暗号化印刷物あるいは描画物の復号化に用いるマスク板の作成方法。
【請求項３９】
［請求項３０］または［請求項３３］または［請求項３４］で記載する予め決められた数字列ＧまたはＧ’またはＧ’’に従って電圧の印加と不印加を制御し、これによって可視光の透過、不透過を制御可能な液晶材料で構成する暗号化印刷物あるいは描画物の復号化に用いるマスク板の作成方法。
【請求項４０】
［請求項２８］から［請求項３９］で記載の暗号化印刷物あるいは描画物について、
その解読のための数字列ＧまたはＧ’またはＧ’’を識別するための符号、またはこれら数字列から得られるＨａｓｈ値を、当該暗号化印刷物あるいは描画物に表示することを特徴とする暗号化印刷物あるいは描画物の作成方法。
【請求項４１】
［請求項４０］で記載の、暗号化印刷物あるいは描画物の解読のための数字列ＧまたはＧ’またはＧ’’を識別する符号、あるいはそれらのＨａｓｈ値の入力を受け付け、当該入力された符号あるいはＨａｓｈ値に対応する数字列ＧまたはＧ’またはＧ’’に従って電圧の印加と不印加を制御し、これによって可視光の透過、不透過を制御可能な液晶材料で構成する暗号化印刷物あるいは描画物の復号化に用いるマスク板の作成方法。
【請求項４２】
［請求項４０］または［請求項４１］で記載の、解読のための数字列ＧまたはＧ’またはＧ’’を識別する符号あるいはＨａｓｈ値に関し、
これらバーコードまたは二次元コードまたは暗号化したコードで表示することを特徴とした暗号化印刷物あるいは描画物の作成方法。
【請求項４３】
［請求項２９］及び［請求項３０］及び［請求項３２］から［請求項４２］で定義される一連の暗号化印刷物あるいは描画物あるいはマスク板を、同一のプリンタなどの機械を用いて印刷することを特徴とする、暗号化印刷物あるいは描画物あるいはマスク板の作成方法。
【請求項４４】
［請求項２９］から［請求項３０］及び［請求項３２］から［請求項４３］で示される方法で作成される暗号化印刷物あるいは描画物あるいはマスク板。
【発明の詳細な説明】
【技術分野】
【０００１】
この発明は、色素あるいはｐＨ指示薬として知られる酸、アルカリによって色の変わる色素、あるいは化学反応現象によって色の変わる色素の性質を利用して、色の変化を楽しむ花瓶やシャンパングラス、室内装飾品、インテリア、アクセサリに関するものであって、これらから発展して、変色したり、発生した美しい色を楽しみながら化学現象や植物色素の性質、暗号文作成に関する手法などを学ぶ玩具、教材、印刷物、描画物に関するものである。（以下花瓶、シャンパングラス、室内装飾品、インテリア、アクセサリ、玩具、学習用教材、印刷物、描画物の総称を「インテリア等」という。）
【０００２】
また、この発明は、酸化還元などの化学反応によって溶液のｐＨが変わる現象や、また例えばＬａｎｄｏｌｔ反応として知られる時計反応などの化学現象や、ｐＨにより色が変化するｐＨ指示薬を用いた、水質などの分析に適用する分析化学の手法をを背景技術とするものである。
【特許文献１】特開２００４−１９４５２３
【特許文献２】特願２００４−１６５２０７
【特許文献３】特願２００４−  ７７９６４
【特許文献４】特願２００４−  ６１３１９
【特許文献５】特願２００４−３１９２４３
【発明の開示】
【発明が解決しようとする課題】
【０００３】
先日２００４年１２月１５日付で発表された小・中学生を対象とした「国際数学・理科教育動向調査」（ＴＩＭＳＳ２００３）で、中二理科が前回の四位から六位に低下、平均点も中二数学と小四の算数・理科で前回よりダウンするなど、小・中学生の基礎学力低下が明らかになった。
２００４年６月１０日に東京都によって発表された、中学２年生を対象とした「児童・生徒の学力向上を図るための調査」でも、国語、数学、英語、社会に比べ、理科が著しく低い結果であり、このことを更に裏付ける結果となった。また、高校一年生の読解力などの低下が明らかになった、経済協力開発機構（ＯＥＣＤ）の学力調査（ＰＩＳＡ）に続き、児童生徒の学力低下の傾向が示されるものとなった。
「数学・理科に自信があるか」とのアンケート調査でも「ある」と答えた中学生の割合が最低となり、「数学、理科嫌い」にも一層、拍車がかかったことを示している。
これを受けて、文部科学相は、「ゆとり教育」を反省し、新学習指導要領の全体的な見直しを進める考えを表明し、文科省は、全国学力調査の導入を検討するプロジェクトチームを設置し、活動を開始している。
【０００４】
学力低下や理科離れ問題の解決に向け、日本数学会や日本化学会など理数系学会でつくる「理数系学会教育問題連絡会」は１２月２７日、理数科目の授業時間を増やすことなどを盛り込んだ改革案を中央教育審議会に提出した。この中で、「諸外国は理数教科を強化しようとしているのに、日本は学習内容を減少させている。日本の理数教育に壊滅的な打撃を与える恐れがある」と訴えている。
【０００５】
学業の過程にある児童・生徒に、何かを教える際に最も重要なのは、その物事に興味を持たせることができるかであると本発明者らは考えている。理解できる内容を適切な時期に教えるということも重要ではあるが、特に家庭で何かの折りに触れて教える内容については、むしろ今は理解できない内容であっても、その機会があれば何でも教えるべきであると考えている。
子どもたちの記憶力は大人よりも優れており、過去に触れた情報が将来別の形をとって入ってきても、過去に入った情報と対比させ、教えた我々とはまた別の物の見方も取り入れて理解できるし、別の情報との思いもよらない関連を持って理解する可能性もあり、この過去に与えられた情報は、将来のその時点において新たな価値を持つ可能性があると考えている。
【０００６】
新しい物事を理解するということは、要するに現在までに理解している事項と結びつけて説明できるようになるということである。現在理解できていない情報は、孤立した「事実の認識」だけであるが、将来その情報は、周囲の理解できている情報が増加するとともに理解できるようになってくる。
ここで重要なのは、その情報が子どもたちにとって面白いか、興味が持てる内容なのかである。興味の持てない内容であれば、そのまま忘れ去られて、理解する機会が訪れてもその情報とは連結しないが、面白かった内容、興味のある内容については、いつまでも覚えているし、積極的に関連を調べようとする行動が見られるのである。
我々大人も、そうした過去の幼少であった頃の面白い体験、不思議な現象に出会った体験、興味の持てる内容の話が多分に影響し、その後の情報収集、学習の分野を決定し、さらには将来の道を決めるとき、また趣味の世界に深く入り込んでいく時の方向付けにも影響していることと思う。
そして、理科嫌いへの対策として最も有効なのは、自然の世界の巧妙な仕組み、不思議な現象、「物質の美しい変化を見せる」化学の現象などを見せ、これに興味を持たせることであると思う。
特に家庭内での教育については、理解できるかではなく、その内容に興味を持てる年齢であるかが重要なだけで、ちょっとした折りに触れ、どんな内容でも機会さえあれば伝えていくようにしたいものである。
発明者らが趣味として取り組んでいる、化学等を応用した「ちょっとした面白いものの製作」も、一つにはこうした学業の過程にある児童・生徒にとって、さまざまな物事、中でも自然の現象への興味につながっていくようなものになることを願って行っている。
【０００７】
本考案は、特に色素を化学の分野において応用し、そうした面白い体験、不思議な現象を演出し、学業の過程にある児童・生徒に対して理科の分野への興味を引き出させ、大人も過去の教育での場面を思い出して面白く演出できるような、教育材料になるものを提供するためになされたものである。
特に、その適用分野としては、色素、酸・アルカリの性質、植物色素の金属塩との結合による変化、色の三原色、酸化還元による物質の変化、金属錯体生成による色変化、暗号化の基本事項といったものであり、こういった分野の分析化学技術を背景技術とする。
【０００８】
従来の、ｐＨにより色の変化する指示薬を用いた教育材料について、これらは理科の実験などで演示する際は、単純に指示薬溶液と、酸性またはアルカリ性の水溶液を混合し、変色を行わせているため、単に化学変化を見せているということは明らかで、演示を行った時の観衆の驚きが不足するという欠点があった。
単純に化学変化、化学反応を見せているようには感じさせず、一種の手品のように理解しがたい現象を見せ、その現象の起きている原因に興味を持たせ、これを教えるような教育的な要素を持った玩具または教育用材料を与えることが課題であった。
【０００９】
こうした教育材料でもあり、また実用的にも利用できるものとして、本考案では具体的には花瓶、シャンパングラスの演出、これらに類似のインテリア等、暗号化して記録した印刷物への前記技術の適用を考えている。
通常の花を生ける花瓶は、単に水を入れ、花を飾って美しいというだけで、そこには何ら不思議な現象はなく、美しくはあっても、それ以上の好奇心を持たせるものではなかった。
そこで、注いだ水からさまざまな鮮やかな色が出てきたり、花瓶に生けた花が色素を吸わせた訳ではないのに、濃い鮮やかな色に変わったりするような、一種の不思議を感じさせる花瓶を製作することを課題とし、本考案での解決を行っている。
【００１０】
なお、［０００９］で述べた色の変化する花に関連し、特開２００４−１９４５２３ではアントシアニン系色素を含有する花について、青色の花を咲かせる栽培方法について記載がある。現在、花の色を違った色にするため、色素を吸わせた花も市販されているが、導管部分が濃く染まったり、花全体が一様な色に染まり、近くで見ると染めたとわかってがっかりするようなことがあり、その意味で、上記特許による方法は自然な階調を持った発色が得られ、良い方法であると言える。
ここで使用するモリブデン化合物はＰＲＴＲ１に指定された化合物であり、これらは化学物質管理促進法（ＰＲＴＲ法）に従った管理を要求される物質であり、工業的に大量に扱うには管理が面倒になるという解決課題を有している。
また、モリブデンは植物にとって必須に必要な微量要素であって、根における硝酸還元酵素の構成金属として、Ｎ代謝に大きな役割を果たしている。これが欠乏すると、葉の中の硝酸態窒素量が高まることが知られている。モリブデンの必要量は、通常は水道水等に含まれるような微量で十分とされ、０．０１ｐｐｍ程度が一般に適した濃度とされている。モリブデンが欠乏すると、下葉の黄褐変や幼葉淡黄化など微量要素欠乏障害が起こる。その反面、銅、亜鉛、モリブデンなどの微量要素は過剰に与えた場合には過剰障害も発生する可能性があり、最適濃度の１０倍以下で使用することが望ましい。モリブデンは、銅や亜鉛のような顕著な過剰障害の報告例は認めなかったが、山崎肯哉氏の指摘（「養液栽培全編」博友社、９５ページ「Ｉ栽培環境条件」）のように、最適濃度の１０倍を超えないような使用方法が望ましいと考えられる。
モリブデンとは異なった色調の花色の変色材料、あるいは金属物質管理の容易な材料を適用することができれば有効な方法であり、こうした管理の容易で、色調の異なる花の変色材料の提供が解決課題であった。
【００１１】
結婚式の演出によく用いられる、シャンパングラスを積み重ねてなる塔に飲料を注ぎ、最上段のシャンパングラスに入れて溢れた飲料が、次々とその下のシャンパングラスに注がれていく様は、美しくはあってもそれ以上の好奇心を持たせるものではなかった。
そこで、注いだ飲料がさまざまな色に変わるような演出が可能な、一種の不思議を感じさせるシャンパングラスを製作することが課題であった。そして、その飲料は全て飲用可能なものであることが望ましい。こうした演出をすることのできるシャンパングラスを製作することを課題とし、本考案での解決を行っている。
【００１２】
最近では暗号文伝達の手法として、ステガノグラフィー（画像暗号）といった新しい分野の手法も登場してきているが、暗号の歴史は古く、紀元前１世紀にはシーザーが暗号文を発明していたと言われる。１８００年代には、陰顕インク（見えないインク）が流行し、また、１９００年代初頭の頃より、諜報機関の特殊工作員が用いる見えないインクの研究開発は盛んに行われて来たと言われている。
しかし、これらのインクは実用に主眼が置かれており、あぶり出しであったり、青一色であったりして、見た目の美しさは追求されておらず、見た目に美しい素材を用いて暗号文の作成や、暗号の基本であるスクランブルのかけ方を学習できるような教材を提供することが課題であった。
【００１３】
［００１２］で述べた暗号に関連し、紙に書かれた文字がそのまま暗号であり、廃棄する際はそのまま捨てることができ、読む際すなわち復号する際には簡単な操作でそのまま紙から読み取ることができるような、暗号で記述された紙文書を作成するという課題がある。
すなわち、現代のオフィスは情報機器の電子化にも関わらず紙文書の山であり、一度プリントした秘密レベルの高い文書類はシュレッダにかけなければならず、裁断くずは紙繊維が細断されてしまい事務用紙には再生できない、シュレッダはいつも裁断くずで一杯、裁断作業が面倒、挙げ句、シュレッダが過密に稼働時する時にはオーバーヒートで停止して使えなくなる、といった各種の問題を抱える事務所も珍しくない。
プリントした秘密文書を、裁断せずにそのまま廃棄できるプリント方法が望まれており、解決課題であった。
【課題を解決するための手段】
【００１４】
本発明は上記課題、具体的には［０００７］から［００１３］で記載した課題を解決するためになされたものであって、［請求項１］、［請求項２］、［請求項３］、［請求項７］から［請求項２１］、［請求項２４］では、注いだ水からさまざまな色が出てきたり、花瓶に生けた花が色素を吸わせた訳ではないのに、濃い鮮やかな色に変わったりするような、一種の不思議を感じさせる花瓶を提供する。
また、［請求項１］、［請求項４］、［請求項５］、［請求項７］から［請求項２１］では、注いだ飲料がさまざまな色に変わるような演出が可能な、一種の不思議を感じさせるシャンパングラスを提供する。
［請求項１］、［請求項６］、［請求項２８］では、見た目に美しい素材を用いて暗号文の作成や、暗号の基本であるスクランブルのかけ方を学習できるような教材を提供することができ、これらを拡張して、［請求項２９］から［請求項４４］では、プリントした秘密文書を、裁断せずにそのまま廃棄できるプリント方法を提供する。
これらは、全般を通して、色素あるいはｐＨ指示薬として知られる酸、アルカリによって色の変わる色素、あるいは化学反応現象によって色の変わる色素の性質を利用して、与えられた課題を解決しようとするものである。
【００１５】
以下に、これらの考案について、各請求項に沿って具体的に説明していく。
まず、本考案で適用している指示薬等の色素類の変色について説明し、次にこれらを用いた具体的なインテリア等への適用を説明する。
【００１６】
ｐＨ指示薬はいろいろなものがあり、測定対象に近いｐＨ域に変色点を持ったものが適用されている。
例えばブロムチモールブルー（ＢＴＢ）は中性に変色点を持ち、中性に近い水のｐＨをその色から測定するのに使われているし、コンゴーレッドはｐＨ４付近に変色点を持ち、通常ｐＨがこの数値付近に分布する胃酸の強さを測定、診断したりすることに用いられている。ここで、ｐＨ４から１０付近までに変色点を持つ指示薬水溶液は、微量の強酸、強アルカリの薄い溶液を適用することで、容易にそのｐＨを変えて変色を行わせることができる。
例えば、０．３５％の塩酸（０．１Ｍ（０．１ｍｏｌ／リットル））はｐＨ１であり、その１００倍容の中性指示薬水溶液に滴下して、そのｐＨを３までに下げるし、０．４％の水酸化ナトリウム水溶液（０．１Ｍ）はｐＨ１３であり、その１００倍容の中性指示薬水溶液に滴下して、そのｐＨを１１までに上げる。なお、１０％未満の塩酸や５％未満の水酸化ナトリウム水溶液は劇物指定ではないように、危険性は少ない。
【００１７】
ここで、本発明で適用している指示薬あるいは色素の変色点を以下にまとめておく。
指示薬                    第一変色点    変色の様子    第二変色点    変色の様子
チモールブルー            ｐＨ２        赤から黄      ｐＨ８．５    黄から青
ブロムチモールブルー      ｐＨ０        赤から黄      ｐＨ７        黄から青
クレゾールレッド          ｐＨ１        赤から黄      ｐＨ８        黄から紅
フェノールフタレイン      ｐＨ８        無色から淡桃  ｐＨ１０      淡桃から濃桃
キシレノールブルー        ｐＨ２        赤から黄      ｐＨ８．５    黄から青
ブロムクレゾールパープル  ｐＨ２        赤から黄      ｐＨ８        黄から紫
アリザリン                ｐＨ６．５    黄から赤      ｐＨ１１      赤から紫
アントシアニン            ｐＨ４．５    桃から紫      ｐＨ８        紫から青緑
メチルレッド              ｐＨ５．５    赤から黄
フェノールレッド          ｐＨ７．５    黄から紅
チモールフタレイン        ｐＨ１０      無色から青
ブロムフェノールブルー    ｐＨ４        黄から青紫
ｐ−ニトロフェノール      ｐＨ６．５    無色から黄
ｍ−ニトロフェノール      ｐＨ７．５    無色から黄
ｏ−ニトロフェノール      ｐＨ６        無色から黄
ｏ−クレゾールフタレイン  ｐＨ９        無色から紅
ｐ−クレゾールフタレイン  ｐＨ８．５    無色から紅
ブロムクレゾールパープル  ｐＨ６        黄から紫
食用赤色１０４号          ｐＨ３        無色から赤
食用赤色１０５号          ｐＨ３        無色から紅
ここに挙げた指示薬あるいは色素類は、前述のように、０．３５％程度の塩酸（０．１Ｍ）あるいは０．４％程度の水酸化ナトリウム水溶液（０．１Ｍ）で、その１００倍容の中性水溶液の変色を行わせることができるし、酸性にした水溶液はアルカリ性にして変色を行わせることができ、逆のアルカリ性水溶液を酸性にして変色させることもできる。
また、弱酸性にしたブロムフェノールブルー溶液や、ｐ−ニトロフェノール、食用赤色１０４号色素、食用赤色１０５号色素などは、単純に水を加えるだけで、その弱酸性状態を緩和し、中性に近づくことで変色点を超え、各順番に黄から青紫、無色から黄、無色から赤、無色から紅などの変化を示す。今まで飲んでいた水を、これらの弱酸性指示薬溶液に加えるだけで急な色の変化が現れ、アルカリを用いずに変色を行わせることができる例もある。
なお、水酸化ナトリウムや水酸化カリウムのように強い水酸化アルカリ金属塩を避ける場合には、同様に０．１Ｍ程度のアンモニア水も適用可能であるし、炭酸カリウムや炭酸ナトリウムなどの炭酸アルカリ金属塩も同様に適用可能である。また、酸としては希薄な塩酸で例を示したが、実用上はこの他にも０．１Ｍ程度の希薄なリン酸も用いることができる。
【００１８】
［請求項９］及び［請求項１０］及び［請求項１２］に示したように、これらの指示薬あるいは色素類は単独で、あるいは混合して、酸性やアルカリ性の強さを変えることによって、さまざまな色を発色させることができる。酸性やアルカリ性の強さを変えるための方法としては、前述のような強い酸あるいはアルカリ水溶液を、変色させたい水溶液に対してほとんど気づかれない微量を用いればよく、具体的には前述のように１００分の１程度で可能であり、確実に変色させるためであっても２０分の１程度の量で十分である。
酸やアルカリの濃度を高くしておけば、更に用いる量は少なくて済む。
［請求項７］の主旨は上記内容であって、前記例では０．１Ｍの酸またはアルカリを１００倍に希釈して、「演出のため気づかれないように」発色させることを定義しているが、２０分の１程度であれば気づかれないように演出することができるし、１ｍｏｌ／リットル程度以下に濃い酸やアルカリを適用して、もっと少ない量で演出することも効果的である。
【００１９】
［請求項９］及び［請求項１０］及び［請求項１２］の指示薬あるいは色素類は、次のような変色を示す。
［請求項９］の
（１）：
ｐＨ＝４以下    ５        ６        ７        ８        ９        １０以上
赤        橙        黄        緑        青        藍        紫
（２）：
ｐＨ＝４以下    ５        ６        ７        ７．５    ８        ９以上
赤        橙        黄        緑        青        藍        紫
この（２）は、（１）よりも低いアルカリのｐＨ域で藍色、紫色の発色を得ることができるという特徴を持っている。
（３）：
［００１７］で記載した各指示薬の色調及び、これらを混合した場合には各ｐＨ域での発色を重ね合わせた色調
（４）：
ｐＨ＝６以下    ７        ７．５    ８以上
黄        緑        茶        紫
ここでは食用黄色４号（タートラジン）は黄色の発色を鮮やかにする目的で使用している。
（５）：
ｐＨ＝０以下    ６        ７        ８以上
赤        黄        緑        青
ここでは食用黄色４号（タートラジン）は黄色の発色を鮮やかにする目的で使用している。
（６）：
ｐＨ＝６以下    ７        ７．５    ８以上
黄        緑        茶        紫
（７）：
ｐＨ＝４以下    ５        ６        ７        ７．５    ８以上
赤        橙        黄        緑        茶        紫
（８）：
前記（１）から（７）と同様の変化を示す。
［請求項１０］の（１）から（８）：
［００１７］で記載した各指示薬の色調及び、これらを混合した場合には各ｐＨ域での発色を重ね合わせた色調
［請求項１２］の（１）から（９）：
［００１７］で記載した各指示薬の各ｐＨ域での発色を重ね合わせた色調であって、それぞれ酸性で黄色、アルカリ性でそれぞれ（１）は赤、（２）は橙、（３）は鮮やかな黄、（４）は緑、（５）は青、（６）は藍、（７）は紫、（８）は紅。（９）は（１）から（８）と同様の色調と変化を示す。なお、（９）のような粘性及び比重を上げる物質を添加する目的は、［００５５］から［００５８］項で詳細に説明する。
これらは酸性で黄色に統一し、アルカリ性で各発色させる目的の色になることを狙った調合である。なお、これらは炭酸カリウムや炭酸ナトリウムのような弱アルカリ性の物質を用いてアルカリ側に色に発色させることができ、炭酸カリウム等が空気中の二酸化炭素を吸収して炭酸水素カリウムに変化しても、なおアルカリ側の色を保持するような、低いアルカリ側で発色するように考慮された調合である。
ここでは食用黄色４号（タートラジン）は、黄色の発色を鮮やかにする目的で使用している。
【００２０】
［００１８］で記述した微量で変色する効果は、微量の指示薬に酸またはアルカリの水溶液を加えることでも発現させることができる。
［請求項１０］の（１）から（８）の指示薬あるいは色素類の調合は、こうした目的でむしろなされたものであって、受容部にこれらの色素を微量滴下しておき、ここにアルカリ性の溶液を注ぐことで、発色した水溶液を得ることができる。
それぞれ［請求項１０］の（１）から（７）はアルカリ性で、
（１）：青、  （２）：紅、  （３）：紅、  （４）：赤、  （５）：紅、  （６）：紅、  （７）：黄  の発色を示し、これらを混合することにより赤、橙、緑、藍、紫などの混合色も出すことができる。なお、（８）のような粘性及び比重を上げる物質を添加する目的は、［００５５］から［００５８］項で詳細に説明する。
［請求項８］の主旨は上記のように、微量の無色の指示薬あるいは色素類を滴下しておくことで、不思議さを演出することができることである。微量の定義としては、演出時に不自然さを感じさせない量として２０分の１を規定している。
なお、指示薬はエチルアルコールに溶解させて用いるのが通常であるが、時間が経過するとエチルアルコールが揮発して、指示薬が析出し、不思議さを演出するのには不都合である。この対策の目的で、特願２００４−７７９６４の［請求項６］に記載したように、指示薬のエチルアルコール溶液にグリセリンを混合することで、この指示薬の析出を避けることができる。
【００２１】
［請求項１２］の（１）から（８）の指示薬あるいは色素類の調合も、同様に、「微量の指示薬に酸またはアルカリの水溶液を加えることでも発現させる」目的で適用することができ、受容部にこれらの色素を微量滴下しておくと、一様に黄色の発色となるが、ここにアルカリ性の溶液を注ぐことで、それぞれ赤、橙、鮮黄、緑、青、藍、紫、紅に発色した水溶液を得ることができ、不思議さを演出することができる。なお、（９）のような粘性及び比重を上げる物質を添加する目的は、［００５５］から［００５８］項で詳細に説明する。
［請求項１１］の主旨は、上記のように、微量の黄色に発色した指示薬あるいは色素類を滴下しておくことで、各種の色を出現させることができ、不思議さを演出することができるということである。微量の定義としては、同様に、演出時に不自然さを感じさせない量として２０分の１を規定している。
【００２２】
［請求項１３］は、指示薬として植物色素であるアントシアニン類を用いた時に適用できる方法について規定している。
すなわち、アントシアニンは［００１７］で記述したように、ｐＨ４．５で桃から紫、ｐＨ８で紫から青緑に変色する変色点を持っており、これによりｐＨの違いによって、赤、ピンク、紫、青、青緑の発色を示す。これを本考案で適用しているが、さらにアントシアニンは、いくつかの金属イオンと結合して、より強い発色や異なった色の発色を示す。その金属イオンの例としては、例えばタングステン、アルミニウム、モリブデン、鉄、クロム、ビスマス、亜鉛の各イオンが挙げられる。
アントシアニンは以下の金属イオンと結合し、それぞれの色を呈する。
（１）タングステン：酸性で非常に濃い赤紫、中性で濃い紫、アルカリ性で青から青緑
（２）アルミニウム：酸性で濃い赤紫、中性で濃い紫、アルカリ性で青から青緑
（３）モリブデン：酸性で非常に濃い青紫、中性で非常に濃い紫、アルカリ性で濃い青紫から青緑
（４）３価の鉄：紫に変わるがすぐに退色して茶緑色になる。
（５）クロム：酸性で濃いピンク、中性で濃い紫、アルカリ性で紫から青緑
（６）ビスマス：酸性で濃い赤紫に変わるが、速やかに白色沈殿を生じて濁り、濃いピンクに変わる。中性で濃い紫、アルカリ性で紫から青緑
（７）亜鉛：酸性で少し濃いピンク、中性で薄紫、アルカリ性で薄い青緑
なお、（７）の亜鉛は酸性のピンクがアントシアニン単体の酸性でのピンク発色よりやや強い程度で、他のｐＨ域では違いが明確ではない。
上記（１）から（７）で、特に顕著で有効な変色を示すのはタングステン、アルミニウム、モリブデンの３者である。（６）ビスマスも色濃く発色するが、塩基性ビスマス塩を生じて水に溶けにくくなり、このビスマス塩の水溶性を保持するにはｐＨ１程度以下の酸性にする必要がある。
このように、アントシアニン色素を指示薬として用いたインテリア等では、酸・アルカリでの変色に加えて、アントシアニンに対して顕著で有効な変色作用を示すタングステン、アルミニウム、モリブデンの塩が利用可能である。
これらの塩としては、１２タングスト（ＶＩ）リン酸、タングステン酸ナトリウム、タングステン酸カリウム、タングステン酸アンモニウム、タングステン酸リチウム、硝酸アルミニウム、硫酸アルミニウム、みょうばん（硫酸アルミニウムカリウム）、塩化アルミニウム、１２モリブド（ＶＩ）リン酸、モリブデン酸アンモニウム、モリブデン酸ナトリウム、モリブデン酸カリウム、モリブデン酸リチウムなどが利用可能である。
【００２３】
なお、後で詳述するが、植物には花弁や葉などの部位にアントシアニン色素を含むものも多く、これらに上記金属塩を吸収させると、その部位の色を変えることができ、［請求項１］、［請求項２］、［請求項３］、［請求項７］から［請求項２１］、［請求項２４］で規定したような、注いだ水からさまざまな色が出てきたり、花瓶に生けた花が色素を吸わせた訳ではないのに、濃い鮮やかな色に変わったりするような、一種の不思議を感じさせる花瓶を提供することができる。
【００２４】
［請求項１４］は、水溶液中の物質の酸化反応により、アルカリを生成し、数秒から数十秒のオーダで時間的にゆっくりと変色させる方法を規定している。この場合、中性付近のｐＨ域は急速に通過するため、この付近に変色点を持たせた指示薬を利用すると、この付近の色は数秒で通過し、不思議さを演出する効果が高い。
この反応を組み合わせることで、花瓶やシャンパングラスの中の水がゆっくりと変化し、この変色の様子によって見ている者に驚きと不思議な印象を与えることができる。
ここでは過酸化水素（Ｈ２Ｏ２）と例えばチオ硫酸ナトリウム（Ｎａ２Ｓ２Ｏ３）などのチオ硫酸塩から、チオ硫酸塩が酸化されて四チオン酸塩を生じ、このとき水素イオンを消費し、溶液がアルカリ性になる現象を用いている。
この化学反応は次のように記述される。
２・Ｓ２Ｏ３（２−）  ＋  Ｈ２Ｏ２  ＋  ２・Ｈ＋  ＝  Ｓ４Ｏ６（２−）  ＋  ２・Ｈ２Ｏ
ここで、Ｓ２Ｏ３（２−）はチオ硫酸イオン、Ｈ２Ｏ２は過酸化水素、Ｈ＋は水素イオン、Ｓ４Ｏ６（２−）は四チオン酸イオン、Ｈ２Ｏは水を意味するものとし、２・の記号は当該イオンが２等量、反応に関わっていることを示し、＝の記号は反応の進行を示す右向き矢印記号の代わりに用いた記号で、左辺から右辺へ反応が進行することを表すものとする。
この式が意味するところは、１分子の過酸化水素により２個のチオ硫酸イオンが酸化され、その際２個の水素イオンを消費し、１個の四チオン酸イオンと２分子の水が生じるということで、この水素イオンの消費により、ゆっくりと酸性の溶液は酸性度が下がり、また、中性やアルカリ性の水溶液でもこの反応は進行し、水素イオンの消費により水酸イオンが増加して溶液のアルカリ性が強くなっていく。
なお、チオ硫酸塩と記載した化合物は、具体的には、チオ硫酸ナトリウムやチオ硫酸カリウム、チオ硫酸アンモニウムなどが適用可能である。
この反応はそれぞれの濃度が希薄になると、反応時間も長くなり、最終的な溶液のｐＨも低くなる。実用的には２分程度で変色が見られないと効果が下がるため、［請求項１４］に記載したように過酸化水素濃度として０．００１重量％以上、チオ硫酸塩濃度で０．１重量％以上は必要である。
【００２５】
さて、この反応を起こす混合溶液中にｐＨ指示薬を混合しておくと、変色するインテリア等を構成することができる。
［請求項１４］は、指示薬に過酸化水素を混合し、受容部に酸、アルカリの他の物質としてチオ硫酸塩を加えることを定義し、［００２４］で記載の反応により、溶液がアルカリ性になっていく過程での色変化を演出することを定義している。
ここで、予め指示薬に酸を加えて酸性とし、指示薬として［請求項９］の（１）、（２）のように、中性に近いｐＨ域に多数の変色点を持った多変色点指示薬を適用すると、見ている間にたくさんの色の移り変わりが見られ、演出効果が非常に高くなる。
【００２６】
［請求項１５］は［００２４］、［００２５］で記載した反応と類似の反応であり、酸化剤として過酸化水素の代わりに過ヨウ素酸塩を用いることを定義している。
過ヨウ素酸塩としては、具体的には過ヨウ素酸カリウム、過ヨウ素酸ナトリウム、過ヨウ素酸アンモニウムなどの過ヨウ素酸塩が適用でき、これらの塩とチオ硫酸塩との反応により、チオ硫酸塩が酸化されて四チオン酸塩を生じ、このとき水素イオンを消費し、溶液がアルカリ性になる現象を用いている。
この反応は比較的高価な過ヨウ素酸塩を用いる必要があり、これは短所であるが、一方長所としては反応の速度が比較的速く、アルカリ性側の色が短時間で出やすいということである。
【００２７】
この化学反応は次のように記述される。
２・Ｓ２Ｏ３（２−）  ＋  ＩＯ４−  ＋  ２・Ｈ＋  ＝  Ｓ４Ｏ６（２−）  ＋  ＩＯ３−  ＋  Ｈ２Ｏ
ここで、Ｓ２Ｏ３（２−）はチオ硫酸イオン、ＩＯ４−は過ヨウ素酸イオン、Ｈ＋は水素イオン、Ｓ４Ｏ６（２−）は四チオン酸イオン、ＩＯ３−はヨウ素酸イオン、Ｈ２Ｏは水を意味するものとし、２・の記号は当該イオンが２等量、反応に関わっていることを示し、＝の記号は反応の進行を示す右向き矢印記号の代わりに用いた記号で、左辺から右辺へ反応が進行することを表すものとする。
この式が意味するところは、１分子の過ヨウ素酸イオンにより２個のチオ硫酸イオンが酸化され、その際２個の水素イオンを消費し、１個の四チオン酸イオンと１個のヨウ素酸イオンと１分子の水が生じるということで、この水素イオンの消費により、ゆっくりと酸性の溶液は酸性度が下がり、また、中性やアルカリ性の水溶液でもこの反応は進行し、水素イオンの消費により水酸イオンが増加して溶液のアルカリ性が強くなっていく。
これも、実用的には２分程度で変色が見られないと効果が下がるため、［請求項１５］に記載したように過ヨウ素酸塩の濃度として０．０１重量％以上、チオ硫酸塩濃度で０．１重量％以上は必要である。
【００２８】
この反応を起こす混合溶液中にｐＨ指示薬を混合しておくと、変色するインテリア等を構成することができるのは［００２５］と同様であり、同様に、予め指示薬に酸を加えて酸性とし、指示薬として［請求項９］の（１）、（２）のように、中性に近いｐＨ域に多数の変色点を持った多変色点指示薬を適用すると、見ている間にたくさんの色の移り変わりが見られ、演出効果が非常に高くなる。
【００２９】
［請求項１６］は［００２４］から［００２８］で説明した反応について、この速度を上げるための方策について記述している。
［請求項１３］及び［請求項１４］で定義し、［００２４］から［００２８］で説明した反応は、銅イオンの存在によって触媒促進され、反応速度をこのイオン濃度によって早めることが可能である。
水溶液中で、銅イオンは２価の銅イオン（Ｃｕ２＋）と１価の銅イオン（Ｃｕ＋）の形態を取り得るが、溶液中に同時に酸化されやすい物質が含まれていると、２価の銅イオン（Ｃｕ２＋）は酸化剤として働き、還元されやすい物質は酸化され、自身は１価の銅イオン（Ｃｕ＋）に還元される。ここで、１価の銅イオン（Ｃｕ＋）は周囲に存在する過酸化水素あるいは過ヨウ素酸塩によって酸化され、再び２価の銅イオン（Ｃｕ２＋）に戻り、酸化と還元の反応は循環する。このとき銅イオンは反応全体を外部から眺めると、触媒の働きをしている。
ここで、この銅イオンによって酸化される物質はチオ硫酸塩、銅イオンを酸化する酸化剤は過酸化水素あるいは過ヨウ素酸塩である。
【００３０】
［請求項１７］及び［請求項１８］は、花瓶やシャンパングラスの水の色変化に、時計反応によるヨウ素デンプン反応の濃い赤紫ないしは青紫の発色を加えて、見ている者への驚きと不思議な印象を高めようとするものである。時計反応は数秒から数十秒の範囲で完了する濃度に設定すると、演出効果が高い。
すなわち、反応溶液のいずれか一方にヨウ素酸塩と酸を含ませ、反応溶液のもう一方に、亜硫酸塩または亜硫酸水素塩、及びデンプンを含ませておき、両者が混合することで、ヨウ素の発生する時計反応が開始され、一定時間の経過の後、突然ヨウ素デンプン反応の非常に濃い赤紫色ないしは青紫色を生じさせるものである。
なお、反応のための混合溶液として、混合した時点で、亜硫酸塩または亜硫酸水素塩濃度として０．００５重量％以上、デンプンとして０．０１重量％以上、水素イオン濃度として０．０１ｍｏｌ／リットル以上、０．０１重量％以上のヨウ素酸塩が必要である。
望ましい濃度としては、混合した時点で、亜硫酸塩または亜硫酸水素塩濃度として０．０４４重量％、デンプンとして０．１重量％、水素イオン濃度として０．０２ｍｏｌ／リットル、０．１２５重量％のヨウ素酸塩が適している。
【００３１】
この時計反応は以下の３つの反応段階からなる。
第一段の反応としては、まず酸性水溶液中において、亜硫酸塩が非常にゆっくりヨウ素酸塩を還元し、自身は硫酸塩に変化し、還元されたヨウ素酸塩からはヨウ化物イオンを生成する反応、
ＩＯ３−  ＋  ３・ＨＳＯ３−  ＝  Ｉ−  ＋  ３・ＳＯ４（２−）  ＋  ３・Ｈ＋
続いて第二段の反応としては、還元されたヨウ素酸塩から生じるヨウ化物イオンとヨウ素酸塩のゆっくりとした反応により三ヨウ化物イオンが発生する反応、
ＩＯ３−  ＋  ８・Ｉ−  ＋６・Ｈ＋  ＝  ３・Ｉ３−  ＋  ３・Ｈ２Ｏ
第三段の反応としては、第二段が起きると同時に起こる酸性水溶液中の亜硫酸塩による三ヨウ化物イオンのヨウ化物イオンへの急速な還元反応
Ｉ３−  ＋  ＨＳＯ３−  ＋  Ｈ２Ｏ  ＝  ３・Ｉ−  ＋  ＳＯ４（２−）  ＋  ３・Ｈ＋
であり、上記第三段の急速な反応により、全ての亜硫酸塩あるいは亜硫酸水素塩が消費し尽されるまでヨウ素デンプン反応による青紫への色変化は現れず、全ての亜硫酸塩あるいは亜硫酸水素塩が還元された時点で色変化があらわれる。この反応で、律速段階は第一段の反応であり、この反応によりヨウ化物イオンＩ−ができてくると、第二段の反応及び第三段の反応により、またこの第二段と第三段目の反応が循環することにより、亜硫酸水素イオンの消費は速度が速められることになる。なお、ヨウ素デンプン反応は、三ヨウ化物イオン（Ｉ３−）とデンプンとの反応により行われるものである。
以上より、３モルの亜硫酸ナトリウムは１モルのヨウ素酸カリウムを１モルのヨウ化物に還元し、２４モルの亜硫酸水素イオンは９モルのヨウ素酸イオンを３モルの三ヨウ化物イオンに還元することが示される。
ここで、ＩＯ３−はヨウ素酸イオン、ＨＳＯ３−は亜硫酸水素イオン、Ｉ−はヨウ素イオン、Ｈ２Ｏは水、ＳＯ４（２−）は硫酸イオン、Ｈ＋は水素イオン、Ｉ３−は三ヨウ化物イオンを意味するものとし、例えば３・、８・、６・の記号は当該イオンがそれぞれ３等量、８等量、６等量反応に関わっていることを示し、＝の記号は反応の進行を示す右向き矢印記号の代わりに用いた記号で、左辺から右辺へ反応が進行することを表すものとする。
また、亜硫酸水素イオン（ＨＳＯ３−）は、直接添加した亜硫酸水素塩から生成したもの、あるいは酸性水溶液中において、亜硫酸塩から発生したものである。
【００３２】
なお、第一段目の反応を急速に進めるか、第一段目の反応による生成物を予め添加することで、全体の反応完了までの時間を早めることができる。第一段目の反応を急速に進める方法としては、ビタミンＣなどの還元剤を亜硫酸塩に加えて添加することなどがあり、第一段目の反応による生成物を予め添加する方法としては、中間生成物であるヨウ化物を予め亜硫酸塩またはヨウ素酸塩側に加えておくことである。この詳細については、特願２００４−３１９２４３の［請求項１２］及び［請求項１１］とそれらの説明に記述した。なお、ヨウ素酸塩及び酸の濃度が亜硫酸塩よりも十分高い場合には、第一段目の反応に関与する、左辺の物質の濃度を高めることによっても反応速度を上げられるが、反応後の生成物の濃度も高くなってしまう。
【００３３】
この反応を組み合わせることで、花瓶やシャンパングラスの中の水が各種の色に変化した後、突然の色変化を見せる受容部が出て、この変色の様子によって見ている者に驚きと不思議な印象を与えることができる。
以上のように、ヨウ素酸塩と亜硫酸塩とデンプンからヨウ素デンプン反応の濃い赤紫あるいは濃い青紫の発色を突然得る時計反応について詳述したが、この反応の結果生じる溶液は酸性であり、ヨウ素（三ヨウ化物イオン）が含まれているので、酸とヨウ素を中和して廃棄することが望ましい。それには、当初加えた酸及びヨウ素酸塩に対し、以下の反応等価量を考慮してアルカリ及び亜硫酸塩または亜硫酸水素塩を加えて廃棄するとよい。
酸：等モル量のアルカリ。但し、リン酸のように多段に電離するものは、中性に近い塩ができる割合とし、例えば０．１モルのリン酸に対しては、０．１モルの炭酸ナトリウムを加えると第二リン酸カリウムとなって、中性より若干アルカリ性付近のｐＨになる。
ヨウ素酸塩：三倍モル量の亜硫酸塩または亜硫酸水素塩。この酸化・還元反応により、残ったヨウ素酸塩や生じたヨウ素（三ヨウ化物イオン）は、最初に加えたヨウ素酸塩と等モル量のヨウ化物イオンに還元され、亜硫酸塩または亜硫酸水素塩は、加えた量と等モル量の硫酸塩に酸化される。
特にアルカリとしては、単独では弱いアルカリである炭酸水素塩が適しており、炭酸水素ナトリウム、炭酸水素カリウム、炭酸水素アンモニウムなどが良いが、予め水に溶かしておくと使いやすいことから、水への溶解度が最も高い炭酸水素アンモニウムが一番適している。これは食品添加物（膨張剤）としても使われているように、安全性が高い。
【００３４】
［請求項１９］は、ヨウ素デンプン反応のもとになるデンプンの変質、劣化防止に関するものである。
このような時計反応によるヨウ素デンプン反応の演出を行う際は、このデンプンが水溶液の形で提供されないと、非常に扱いが面倒である。可溶性デンプンは比較的水に溶けやすいとはいっても、温水で時間をかけて溶かすものであって、粉の形で供給された場合には演出前にたくさんの時間を費やすことになる。
しかし、デンプンをそのまま加工せずに水溶液として供給しようとすると、バクテリアの作用や、加水分解によって２、３日の間に変質、劣化し、濃いヨウ素デンプン反応が起こらなくなる。滅菌しても、ひとたび開封すればその後は急速に劣化することになる。
そこで、デンプンを分解する細菌が活動できないように、このデンプン水溶液をアルカリ性にして保存する方法が有効である。アルカリ性にすると、デンプンの加水分解も起こりにくくなるため、効果的である。
アルカリ性の強さは、水酸イオンに換算して０．００１ｍｏｌ／リットル以上（ｐＨ１１以上）が必要であり、望ましい濃度としては０．００２ｍｏｌ／リットル以上が有効である。さらにデンプン溶液は濃縮して、変質防止対策を施し、使用する都度薄めて使用した方が変質防止効果が高い。例えばこの溶液を５０倍に濃縮して保存する場合（［００３０］で望ましいデンプン濃度として記載した濃度の５０倍として、５重量％のデンプン水溶液を保存する場合）には、０．１ｍｏｌ／リットル程度の濃度でアルカリ水溶液を適用すると効果が高い。
さらに、デンプンの酸化防止対策として、その溶液中に酸素を取り除く物質を含有させることが有効であって、亜硫酸塩または亜硫酸水素塩を含有させることが有効である。これらは濃度にして０．００５重量％以上、望ましい濃度としては０．０４４重量％以上が良い。さらにデンプン溶液を５０倍に濃縮して保存する場合には、２．２重量％程度の濃度で適用すると効果が高い。
【００３５】
［請求項２０］は、デンプン水溶液保存の基本である［請求項１９］に加えて、これを補助するデンプン変質、劣化防止対策であって、［請求項１９］に併用して用いる。
［請求項２０］の（１）で規定したチモールは、香草タイムに含まれている殺菌成分であり、０．００１％以上でその効果を発揮する。
（２）は一般に飲料に用いられている防かび剤であり、飲料には０．１８重量％以下で用いるのが一般的である。水かびなどの防止に良い効果を示し、長期に保存した時の水かび防止効果は明らかである。０．０１重量％以上の適用で効果が見られ、望ましい濃度としては０．１８重量％である。
（３）はデンプン水溶液中に存在しうる銅や鉄などの金属イオンを除去する目的で加えるものである。すなわち、銅や鉄などの金属イオンは［００２９］で記述したように、水溶液中に含まれる物質を酸化する触媒の働きをする。鉄イオンは３価と２価のイオン形態をとり、その物質の酸化を触媒する。従って、デンプンの酸化による変質、劣化を防止するためには、これらのイオンをマスキングして不活性化すれば良い。このマスキング剤としてＥＤＴＡを規定し、その濃度を０．０１重量％以上を規定したが、デンプン水溶液に含まれる銅や鉄などの金属イオンの量によってこの有効量は変わる。水道水に許容される銅イオンの量は１ｐｐｍ、鉄イオンの許容量は０．３ｐｐｍであるから、通常の水道水を用いてデンプン水溶液を作成した場合には０．０１重量％以上あれば十分である。
（４）はエチルアルコールの殺菌作用によって、デンプンの変質、劣化を防止しようとするものである。３重量％以上で効果がある。
（５）は、尿素の軽い殺菌作用によって変質、劣化を防止しようとするものであって、０．５％以上でその効果が認められるが、１％程度が望ましいと考えられる。
なお、［請求項２１］は、［請求項１９］または［請求項２０］により変質、劣化防止対策を施したデンプン水溶液について規定している。
【００３６】
さて、［００１６］から［００３５］で、本考案に関わる花瓶やシャンパングラスのような室内装飾品、インテリア、アクセサリ等に適用するための物質について説明した。
これ以降は、これらの溶液を適用して、これらのインテリア等で演出する方法について記述する。
【００３７】
図１は［請求項２］、［請求項３］に関する本考案を表す図である。
この図１は、本考案を花瓶に対して適用した例であるが、花瓶によらず、同じ構成のインテリア等の作成に適用することが可能である。
図１に於いて、（図１の１）は物質Ａであり、これは（図１の２）に示される３以上の受容部Ｂに入れられる。［００１６］から［００３５］で説明したように、物質Ａは（図１の３）に示される物質Ｃを変色させる酸やアルカリなどの物質または、物質Ｃと反応して変色する指示薬などの物質である。
物質Ａはその量を変えて受容部Ｂに入れられるか、何種類かの物質をそれぞれ物質Ａとして受容部Ｂに入れられる。
例えば、例１として、物質Ａが酸、アルカリである場合で、これらは各０．１ｍｏｌ／リットルの濃度の酸、アルカリであるとし、受容部Ｂ１に酸を６滴、受容部Ｂ２に酸を３滴、受容部Ｂ３に酸を２滴、受容部Ｂ４にアルカリを２滴、受容部Ｂ５にアルカリを３滴、受容部Ｂ６にアルカリを６滴というように入れていく。
もう一つの例２としては、物質Ａがアルカリで発色する指示薬である場合で、受容部Ｂ１に０．２％フェノールフタレインのアルコール／グリセリン混合溶液を４滴、受容部Ｂ２に０．４％チモールフタレインのアルコール／グリセリン混合溶液を４滴、受容部Ｂ３に０．４％ｍ−ニトロフェノールの弱酸性水溶液を４滴、受容部Ｂ４に０．２％フェノールフタレインのアルコール／グリセリン混合溶液を２滴と０．４％チモールフタレインのアルコール／グリセリン混合溶液を２滴、受容部Ｂ５に０．４％チモールフタレインのアルコール／グリセリン混合溶液を２滴と０．４％ｍ−ニトロフェノールの弱酸性水溶液を２滴、受容部Ｂ６に０．４％ｍ−ニトロフェノールの弱酸性水溶液を２滴と０．２％フェノールフタレインのアルコール／グリセリン混合溶液を２滴、というように加えていく。
なお、一滴は滴下する器具の口径や、滴下する材料の粘性にも依存するが、通常の水溶液の場合には０．０５ｍｌ前後であり、よく０．０４ｍｌから０．０６ｍｌの間に入ることが多い。ここでの説明としては、１滴は０．０５ｍｌであることを想定して記載している。
【００３８】
（図１の４）の容器本体Ｄに（図１の３）の物質Ｃを加えると、（図１の５）で示された通路Ｅを通って、物質Ｃが（図１の２）の各受容部Ｂに導入され、ここでそれぞれの物質Ａと混合して反応し、それぞれの色を示すことになる。
例えば、［００３７］の例１に対応する物質Ｃとして、以下の調合の溶液を作成する。この物質Ｃは、緑色をした水溶液である。
水                      ２００ｍｌ
メチルレッド                １．１ｍｇ  （０．０００５５％水溶液）
ブロムチモールブルー        ５．３４ｍｇ（０．００２７％水溶液）
チモールブルー              ０．４６ｍｇ（０．０００２３％水溶液）
フェノールフタレイン      ２２．０ｍｇ  （０．０１１％水溶液）
これを（図１の４）の容器本体Ｄに入れ、通路Ｅを通って各２０ｍｌがそれぞれの受容部Ｂで物質Ａと混合すると、受容部Ｂ１に赤、Ｂ２に橙、Ｂ３に黄、容器本体Ｄに緑、Ｂ４に青、Ｂ５に藍、Ｂ６に紫の色が現れる。なお、計算から導出されるｐＨ値と指示薬の変色が完全には一致しない場合があるが、これは水道水等に含まれる炭酸水素塩（主に炭酸水素カルシウム）や炭酸の影響であり、水がｐＨ緩衝作用を持っているために起こるものである。
例１では、物質Ａとして酸とアルカリを等量受容部Ｂに入れているので、溶液Ｃを加えて異なった発色を行わせた後、これらを混ぜ合わせれば、元の緑色に戻り、再度演示用に利用することが可能である。
また、例えば、［００３７］の例２に対応する物質Ｃとして、以下の調合の溶液を作成する。
水                      ２００ｍｌ
水酸化ナトリウム          １６ｍｇ  （０．００８％水溶液）
これを（図１の４）の容器本体Ｄに入れ、通路Ｅを通って各２０ｍｌがそれぞれの受容部Ｂで物質Ａと混合すると、受容部Ｂ１に紅、Ｂ２に青、Ｂ３に黄、Ｂ４に紫、Ｂ５に緑、Ｂ６に赤が現れ、容器本体Ｄの溶液Ｃは無色透明のままである。
【００３９】
図２は［００３７］の例１あるいは例２で物質Ｃを導入して変色が完了したときの状態を表す図である。
ここで、例１の酸またはアルカリに、［請求項１３］の（４）に示すような、酸またはアルカリ溶液の粘性及び比重を上げるような物質を混合しておくと、酸またはアルカリの全量がすぐには溶出しないが、溶出した酸またはアルカリによって変色した溶液Ｃが、各受容部Ｂに見られる。ここへ例えば、特願２００４−６１３１９の［請求項２］で示したような水よりも軽い溶媒に溶かしたアルカリまたは酸を入れると、同特願２００４−６１３１９の［請求項１］で示したような、容器内に複数の（この例１の場合には赤、橙、黄、緑、青、藍、紫の７色の）色の分布を見ることができ、更に視覚的な美しさ、面白さが増すことになる。
先に加えた酸またはアルカリは、粘性と比重が上がるような物質を溶かしてあるため、溶液Ｃへの拡散が簡単には起きず、後から加えたアルカリまたは酸も水よりも軽い溶媒に溶かしてあるため、溶液Ｃへの拡散が簡単には起きず、容器内に生じた複数の色の分布は長い時間見ることができる。
なお、例１では、容器本体Ｄに入れられた溶液（物質Ｃ）は、たいへん希薄な指示薬の水溶液であり、ここに花を生けても劣化が早まるような問題はなく、通常の水に生けた場合と同程度のもち具合を示す。もちろん、チオ硫酸銀のチオサルファト錯体のような切り花延命剤を加えて、切り花の雑菌殺菌とエチレン発生抑止による延命効果を図ることも可能であるし、ブドウ糖や砂糖のような養分を与えて延命を図ることもできる。
【００４０】
［００３７］、［００３８］の例２では、０．００８％と非常に希薄ではあるが、水酸化ナトリウムによるアルカリ溶液を物質Ｃとして用いているため、これに切り花を生けると、（図１の４）容器本体Ｄに入れた生花が弱ってしまい、その寿命は短くなると考えられ、例２のように物質Ｃとしてアルカリ溶液を直接用いる場合には、切り花を生けるには向かないと考えられる。これは、アルカリの作用としては等価な０．００３４％のアンモニア水を用いた場合も同様と考えられる。また、後述する［請求項２４］や［請求項２５］と組み合わせて、花の色を変える目的に対しても不都合が生じることになる。
そこで、この場合には、図３のように一旦（図３−３）の物質Ｃを、（図３−１）の物質Ａとしてアルカリ溶液を入れた受容部Ｂ（図３−２）に導入し、ここからこの受容部Ｂに繋がる受容部Ｂに分配するという方法で行う。
ここで物質Ｃとして［請求項２４］あるいは［請求項２５］に示すような、タングステンの塩を用いて、（図３−４）の容器本体Ｄにアントシアニン系色素を花弁に含有する花を入れると、図４に示すように（図４−４）容器本体Ｄの周囲の受容部Ｂ（図４−２）が各色に変色した状態で、容器本体Ｄに生けた花が１日、２日の後、次第に濃い赤紫や青紫に変色する様子を見ることができる。
通常、花は生けるとその後は色あせる一方であるから、少し変わった様子を見ることができ、そろそろ終わりに近づいたかと感じられる花を上記の方法で生け、花色を変えて、「最後にもう一花咲かせる」ことができる。
【００４１】
さて、［００２２］で説明したように、アントシアニン系色素は、タングステン、アルミニウム、モリブデンなどの金属塩と結合して、非常に濃い赤紫や青紫などの、元のアントシアニン色素とは別の色を呈する。
これは、植物の花弁にアントシアニン系色素が含有されている場合であっても、同様に花弁までこれらの金属イオンを到達させられれば、この色素を変色させることができる。
【００４２】
例えば、ピンクの花色のあじさいは、酸性土壌に植えると青の花色を生じると言われており、事実のようである。これは酸性により土壌のアルミニウムが水に溶けやすくなり、あじさいの根から吸収されて花まで到達し、花のアントシアニン色素と結合し、元のアントシアニン色素とは別の青色を呈するというものである。
アントシアニン色素単体は弱アルカリ性で青色であるから、一見疑問に感じられる内容であるが、原理は上記のとおりである。
【００４３】
自然界の花は、極めて多種多様な色彩を持っており美しいが、これらは比較的数少ない植物色素から発色しており、ベニバナなどのフラボノイド系色素の黄や赤、トウガラシやクチナシ色素の元であるカロチノイド系色素の黄や赤、クロロフィルの緑、そしてチューリップや朝顔、あじさいなどのアントシアニン系色素の赤、桃、紫、青などが植物色素の代表例である。
これらは、色素単独だけでなく、金属イオンと結合したり、糖類との結合による構造の微妙な違いによって、これだけ多種多様な色彩を演出しているのである。
【００４４】
さて、ここでアントシアニン系色素を持つ植物に、タングステンイオンを吸収させることができれば、［００２２］で説明したような、アントシアニンとタングステンの結合した濃い赤紫ないし青紫の発色を得ることができる。
植物の導管は通常マイナスに帯電しており、金属イオンを＋のイオンで与えると、茎で留まってなかなか花まで達しないが、例えば１２タングスト（ＶＩ）リン酸や、タングステン酸ナトリウムのようなマイナスイオンとして与えると、花弁まで到達しやすい。
これはモリブデン酸塩も同様であり、モリブデン酸アンモニウムや、モリブドりん酸などのような、モリブデンをマイナスイオンとして含む化合物が有効であると考えられる。アルミニウムは例えば硝酸アルミニウムのような＋イオンで与えるとなかなか花弁まで到達しない結果となり、タングステン酸イオンやモリブデン酸イオンと異なり、変色までに時間がかかる結果となる。同様にアルミン酸ナトリウムなどのようなマイナスイオンとして与えることが有効であると考えられる。
これは切り花の生け水にこれらの金属塩を加えて、茎から直接吸収させた場合であっても、水耕栽培や土耕栽培で根から吸収させた場合であっても同様であるが、土耕栽培の場合には土の緩衝作用によって根からの吸収はなかなか進まないことがある。
発明者らの試験結果では、切り花と水耕栽培（水栽培のチューリップ）でのイオン吸収速度の比較を行ったが、花色の変色までの時間測定結果では、両者はほぼ同じ速度で花弁の変色を見ることができた。
【００４５】
［請求項２２］は、［００４４］で説明した内容について記述したものであり、アントシアニン系色素を含有する植物に、水溶性タングステン化合物を吸収させると、その化合物が１２タングスト（ＶＩ）リン酸のように吸収後に酸が残り花弁が弱酸性になるものを適用すると濃い赤紫を発色し、タングステン酸ナトリウムやタングステン酸カリウム、タングステン酸アンモニウムのように弱アルカリの方向に作用するものを適用すると、濃い青紫を発色する。１２タングスト（ＶＩ）リン酸（Ｈ３（ＰＷ１２Ｏ４０））は、酸化タングステンとして（１２ＷＯ３）が植物色素に取り込まれると、残るものはリン酸（Ｈ３ＰＯ４）である。これが花弁を酸性側に傾け、濃い赤紫の発色を起こさせるものと考えられる。２日ほどの時間が経過すると、濃い赤紫に発色した花も、青紫色に徐々に変わっていく現象が見られる。
【００４６】
タングステン塩は金属塩としての毒性も比較的少なく、ＰＲＴＲ法の指定物質でないため、工業的に扱うには若干モリブデン塩などと比べると扱いやすいと言える。
本発明者らの切り花での試験結果は、タングステン塩とモリブデン塩を各元素が同じモル濃度（２ｍＭ）になるようにして行った結果では、少しタングステン塩の方が花の寿命が長いという結果になった。また、当然のことであるが、何も加えないただの水は一番寿命が長かったというのも事実であった。この結果は実施例のところで詳細に記載する。
このように、タングステン塩を用いてアントシアニン系の花を変色させることには、花色が赤紫系から青紫系に変わる点や、タングステン化合物がＰＲＴＲ法の管理対象外であるという長所がある。
但し、青紫の濃さはモリブデン塩が一番優れており、色彩も紫系というよりは青系統の色彩が強く出るという特徴があり、青色の強い花を得たい場合には、特開２００４−１９４５２３の中で発明者殿が説明されているような、栽培段階において開花直前でモリブデンイオンを施用するという方法に従うのが良いと考えられる。
なお、濃度や植物の種類にもよるが、濃度の高いタングステン塩を用いた時は、葉の先端がしおれやすいという現象が見られることがあった。さらに同じ種類の植物でも、品種によって様子が異なった。
この「葉のしおれやすい現象」は、２ｍＭ以上の１２タングスト（ＶＩ）リン酸を適用した切り花のチューリップにおいて、第二回目の試験の品種において現れた現象であって、第一回目で用いた切り花のチューリップでは大きな影響がなく、また、花の方には大きな影響はなかった。第三回目で用いた切り花のチューリップでは、若干影響があったが、第二回目よりも影響は少なかった。なお、同様のより強い現象が、バナジン（Ｖ）酸アンモニウム（ＮＨ４ＶＯ３）のバナジウム２ｍＭ換算水溶液（０．０２３％水溶液）を適用した同じ切り花のチューリップにも出ており、若干程度は弱いが１２モリブド（ＶＩ）りん酸のモリブデン２ｍＭ換算水溶液（０．０３％水溶液）を用いた場合にも、同様な傾向が見られた。この様子は、花の種類や、同じ種の花でも品種によって異なる。
【００４７】
［請求項２３］は、タングステン塩を与えてアントシアニン系色素を含有する花を変色させる方法における、適した濃度を規定したものであって、タングステンイオン換算で０．１ｍＭ未満では変色効果が薄く、また１０ｍＭ以上では金属塩濃度が高すぎて花や葉が早くしおれてしまい、実用価値が下がると判断させる濃度である。試験結果などから、適した濃度は０．５から１ｍＭであると判断した。
なお、タングステンイオン換算で１０ｍＭは、例えば１２タングスト（ＶＩ）リン酸（Ｈ３（ＰＷ１２Ｏ４０））の濃度で言うと、０．２４重量％となる。
通常の水耕栽培で、例えばカリウムに次ぐ二番の多量要素である窒素ＮがＮ＝２０の処方の場合、窒素の重量百分率換算で高々０．０２重量％であり、タングステンイオン換算で１０ｍＭの処方は植物にとってどれだけ過酷な環境であるかは明らかであり、これ以上の濃度で使用すると、しおれる速度が急に高まるのもこうした塩濃度が高すぎるためである。
【００４８】
［請求項２４］は、［請求項２］及び［請求項３］で規定し、［００３６］から［００４０］で説明した花瓶に適用し、受容部Ｂの色を変化させるだけでなく、容器本体Ｄや受容部Ｂに生けた花が次第に変色してくるような、不思議さを持った花瓶を提供し、これを発展させたものである。
【００４９】
［００２２］で説明したように、アントシアニン系色素は、タングステン、アルミニウム、モリブデンなどの金属塩と結合して、非常に濃い赤紫や青紫などの、元のアントシアニン色素とは別の色を呈する。これは、植物の花弁にアントシアニン系色素が含有されている場合であっても同様で、［請求項２４］に規定した水溶性タングステン化合物、水溶性モリブデン化合物、水溶性アルミニウム化合物を切り花に吸わせると、１日から２日の後にこのアントシアニン色素を変色させ、吸わせる前とは違った花色の花となり、本考案で提供した花瓶などの不思議さを増すことができる。
アルミニウムは硝酸アルミニウムやみょうばん（硫酸アルミニウムカリウム）などのプラスイオンで与えると、花弁までの到達速度が遅く、変色までに時間がかかる結果となるが、同様に青紫系の色に変化する。
【００５０】
これらの花の変色も、［００２２］で記述した酸性あるいは中性で発色した色調と同様な色調になり、特にピンク系の色調を有する花に適用すると、色の変化が顕著に見られ、面白さ、不思議さを演出するのには好都合である。
【００５１】
［請求項２５］は、［請求項２２］から［請求項２４］において、その花の変色に１２タングスト（ＶＩ）リン酸（タングストリン酸、りんタングステン酸）を用いた場合の効果について規定している。
アントシアニン系色素を含有した植物に、１２タングスト（ＶＩ）リン酸を吸わせると、［００４５］に記載したように、１２タングスト（ＶＩ）リン酸中のタングステンイオンが植物色素に取り込まれると、リン酸（Ｈ３ＰＯ４）が花弁中に残ることになり、これが花弁を酸性側に傾け、アントシアニンとタングステンとの間で起こる酸性での発色が出て、濃い赤紫の発色がまず起こるようになる。更にこの後、１、２日の時間が経過すると、中性での発色の青紫色に変化していく現象を見ることができる。
この最初に変化する濃い赤紫色の花は、色調としても美しい。また切り花でも根のある花の場合でも、元の色よりも濃くなる現象が見られ、通常は咲いた後は色が褪せる一方の傾向とは逆の結果を与え、鑑賞価値もある。
変色は１２モリブド（ＶＩ）リン酸や、アルミニウム塩でも起こるが、モリブデン塩やアルミニウム塩の場合には、青紫の基調色が強く、［請求項２５］で規定した１２タングスト（ＶＩ）リン酸を適用した場合に、こうした最初に濃い赤紫が発色し、次第に青紫に変化していく現象が見られ、これを用いた場合の有効な効果を規定した。
【００５２】
なお、［請求項２６］は、以上のような方法で変色させて得られた花自体を規定したものである。
【００５３】
さて、ここからは［請求項２］、［請求項４］、［請求項５］で規定した、シャンパングラスなどを用いたインテリア等について記載する。
［００１６］から［００３５］で、本考案に関わる花瓶やシャンパングラスのような室内装飾品、インテリア、アクセサリ等に適用するための物質について説明した。
ここからは、これらの溶液を適用して、これらのシャンパングラスなどを用いたインテリア等で演出する方法について記述する。
【００５４】
図５は［請求項２］、［請求項４］に関する本考案を表す図である。
この図５は、本考案をシャンパングラスなどを用いたインテリア等に対して適用した例であるが、シャンパングラスの形状によらず、同じ構成で演出するインテリア等の作成に適用することが可能である。
図５に於いて、（図５の１）は物質Ａであり、これは（図５の２）に示される３以上の受容部Ｂに入れられる。［００１６］から［００３５］で説明したように、物質Ａは（図５の３）に示される物質Ｃを変色させる酸やアルカリなどの物質または、物質Ｃと反応して変色する指示薬などの物質である。
物質Ａはその量を変えて受容部Ｂに入れられるか、何種類かの物質をそれぞれ物質Ａとして受容部Ｂに入れられる。
例えば、［００３７］で記載したものと同様の例１、２が適用でき、［００３８］で示したような溶液Ｃによって、各受容部にさまざまな色を作り出すことができる。
【００５５】
なお、前記のように［請求項４］で説明する受容部Ｂが１段のみの場合には、１段目の受容部Ｂが一杯になった時点でこの演示は終了し、特に問題はないが、［請求項５］のように、受容部Ｂの下に更に受容部Ｂ’、Ｂ’’と続く場合には、入れる物質Ａ及び物質Ｃに少し工夫する必要がある。すなわち、受容部Ｂが一杯になって、その下のＢ’に流していくに従って、受容部Ｂの内容物が薄められてその色が物質Ｃと同じになってしまう。
また、シャンパングラスに入った液体は飲めるものであることが望ましく、これが演出効果を高めることにつながる。
これらの課題は、物質Ａに粘性及び比重を上げる物質を混合して、物質Ａが簡単には全てが溶解してしまわないようにすることで対策することができ、更に物質Ｃとしてアントシアニン色素を用いれば、飲用することもできる。アントシアニン色素は、天然の食材としては、例えば赤ぶどうの果皮、赤キャベツ、紫いも（アントシアニンの含まれるさつまいも）など多くの植物に含まれている色素で、無害なだけでなく、最近ではその抗酸化作用で、健康に良い物質として知られているものである。アントシアニン色素は、純粋な色素として抽出して精製したものが、大きな食材専門店などで市販されている。
粘性及び比重を上げる物質としては、具体的には、砂糖（蔗糖）、果糖、ブドウ糖、麦芽糖、液糖（砂糖（蔗糖）、果糖、ブドウ糖などの混合物）、グリセリンなどが挙げられ、またデンプン水溶液、アルギン酸塩、寒天水溶液、カラギーナン水溶液なども適用可能であり、更には食用や飲用に適さない物質までも挙げれば、ＰＶＡ（ポリビニルアルコール）や尿素など挙げればきりがないくらいに存在する。
次の［００５６］から［００５８］でこれらの適用方法をもう少し詳細に述べる。
【００５６】
図６は［請求項２］、［請求項４］、［請求項５］に関し、特に［請求項５］に関する考案を表す図である。
図６に於いて、（図６の１）は物質Ａであり、これは（図６の２）に示される３以上の受容部Ｂに入れられる。受容部Ｂの下には更に受容部Ｂ’が配置されている。受容部Ｂ’の下に更に受容部Ｂ’’を配置してもよいが、図６では受容部Ｂ’までで、以降は省略している。［００１６］から［００３５］で説明したように、物質Ａは（図６の３）に示される物質Ｃを変色させる酸やアルカリなどの物質または、物質Ｃと反応して変色する指示薬などの物質である。物質Ａはその量を変えて受容部Ｂ及び受容部Ｂ’に入れられるか、何種類かの物質をそれぞれ物質Ａとして受容部Ｂ及び受容部Ｂ’に入れられる。
【００５７】
例えば、例３として、物質Ａが酸、アルカリである場合で、これらは次の（１）、（２）で調整したものとする。また、（３）は中性で、アントシアニン色素と結合するアルミニウム塩を適用した例を示すために挙げる。
（１）クエン酸１ｇに砂糖（蔗糖）１０ｇを混合し、１０ｍｌの水で溶いたもの。
（２）炭酸水素ナトリウム（重曹）１ｇに砂糖１０ｇを混合し、１０ｍｌの水で溶いたもの。
（３）みょうばん（硫酸アルミニウムカリウム）１ｇを水１０ｍｌに溶いたもの。
この（１）を受容部Ｂ１に４滴、Ｂ’１に４滴、Ｂ’５に１滴入れ、（２）を受容部Ｂ２に４滴、Ｂ’４に４滴、Ｂ’３に１滴入れ、（３）を受容部Ｂ’６に２滴入れる。なお、受容部Ｂ３、Ｂ’２には何も入れないものとする。なお、各受容部Ｂは１０ｍｌの小さな透明プラスティックカップを利用した。
受容部Ｂ１，Ｂ２，Ｂ３の上には、容器本体Ｄとして、受容部Ｂと同様の１０ｍｌの小さな透明プラスティックカップを置いた。これら受容部Ｂ、容器本体Ｄは、透明な容器でできたピラミッドのような形を作る。これら物質Ａを導入した受容部Ｂは、その物質Ａが無色透明であること、少量であることから目立たず、何かが入っているということを感じさせる不自然さはない。
ここに物質Ｃとして、赤キャベツ色素として市販されているアントシアニン色素の０．１％水溶液を入れていく。これは水５００ｍｌにアントシアニン色素０．５ｇを溶解させたものであり、青紫の美しい液体となる。
容器本体Ｄとして、一番上に受容部Ｂと同じ１０ｍｌの小さな透明プラスティックカップを置き、ここに物質Ｃ（０．１％アントシアニン色素水溶液）を注いでいくと、容器本体Ｄからあふれた物質Ｃが受容部Ｂ１，Ｂ２，Ｂ３に注がれる。ここで受容部Ｂ１の液体はすぐに美しいピンク色に変わり、Ｂ２の液体は青緑色になり、Ｂ３の液体は青紫色のままである。いずれも鑑賞価値の高い美しい色彩をしている。
さらに物質Ｃを容器本体Ｄに注いでいくと、さらにＢ１，Ｂ２，Ｂ３からあふれた溶液が、受容部Ｂ’１からＢ’６に注がれる。
これらの各受容部は次のような色変化を見せる。すなわち、受容部Ｂ’１ではピンク、Ｂ’２では青紫、Ｂ’３では緑がかった青、Ｂ’４では青緑、Ｂ’５では赤紫、Ｂ’６では濃い青紫の発色を示す。これらは、いずれも鑑賞価値の高い美しい色彩をしており、全て飲用可能である。あるいはみょうばんの飲用を避けるならば、（３）の適用を避けるか、受容部Ｂ’６の液体の飲用を避ければ良い。
クエン酸と砂糖の濃度を高くすれば、ピンクに発色した液体は飲用してもおいしい。砂糖は予め物質Ｃに混入しておいてもよい。なお、青緑や緑がかった青の液体はアルカリ性であり、飲用するとおいしくないが、余興として、おいしいものを当てるようなゲームにすることも可能である。
また、炭酸水素ナトリウム（重曹）とクエン酸が高濃度で混ざり合うような配置をとれば、グラスから二酸化炭素の泡がでるものがあったり、さまざまな演出と色のバリエーションを楽しむことができる。
なお、受容部Ｂ１，Ｂ２の溶液は、物質Ａに砂糖を混ぜた効果で、酸及びアルカリが受容部の底に残り、それぞれの発色であるピンク色、青緑色を維持している。
【００５８】
もう一つの例４としては、物質Ａがアルカリで発色する指示薬である場合で、これらは次の（１）、（２）、（３）で調整したものとする。
（１）０．２％フェノールフタレインのエチルアルコール／グリセリン混合溶液
（２）０．４％チモールフタレインのエチルアルコール／グリセリン混合溶液
（３）０．４％ｍ−ニトロフェノールの弱酸性水溶液
この（１）を受容部Ｂ１に１滴、Ｂ’１に１滴、Ｂ’２に１滴、Ｂ’３に一滴、（２）を受容部Ｂ２に１滴、Ｂ’４に一滴、Ｂ’２に一滴追加、Ｂ’５に一滴入れ、（３）を受容部Ｂ３に１滴、Ｂ’６に１滴、Ｂ’３に１滴追加、Ｂ’５に１滴追加して入れる。これら物質Ａを導入した受容部Ｂは、その物質Ａが無色透明であること、少量であることから目立たず、何かが入っているということを感じさせる不自然さはない。
ここに物質Ｃとして、水酸化ナトリウムの０．００８重量％水溶液を入れていく。これは水５００ｍｌに水酸化ナトリウム４０ｍｇを溶解させたものであり、無色透明の液体となる。
なお、この物質Ｃはアルカリとしては非常に薄く、安全上問題ないものであるが、更に安全に気を遣うならば、これは０．００３４％のアンモニア水でも同じ効果を得ることができる。この場合、アンモニア臭も全くない。アンモニア水は、虫さされの時に外用したりするのに使われ、通常虫さされに使用するときは、１％程度と、これよりもかなり濃い濃度で使用される。
さて、容器本体Ｄとして、一番上に受容部Ｂと同じ１０ｍｌの小さな透明プラスティックカップを置き、ここに物質Ｃ（０．００８％水酸化ナトリウム水溶液）を注いでいくと、容器本体Ｄからあふれた物質Ｃが受容部Ｂ１，Ｂ２，Ｂ３に注がれる。ここで受容部Ｂ１の液体はすぐに美しい紅色に変わり、Ｂ２の液体は青色になり、Ｂ３の液体は黄色になる。いずれも鑑賞価値の高い美しい色彩をしている。
さらに物質Ｃを容器本体Ｄに注いでいくと、さらにＢ１，Ｂ２，Ｂ３からあふれた溶液が、受容部Ｂ’１からＢ’９に注がれる。
これらの各受容部は次のような色変化を見せる。すなわち、受容部Ｂ’１では紅、Ｂ’２では紫、Ｂ’３では赤、Ｂ’４では青、Ｂ’５では緑、Ｂ’６では黄の発色を示す。これらは、いずれも鑑賞価値の高い美しい色彩をしている。また、この現象は、家庭用の教材などに適用した場合には、色の３原色を楽しみながら教える材料にもなる。すなわち、紅（マゼンタ）と青（シアン）の混合された箇所は紫の発色、青（シアン）と黄（イエロー）の混合されたところは緑の発色、紅（マゼンタ）とと黄（イエロー）の混合されたところは赤の発色となる。
しかし、前記［００５７］項で例示した例３は飲用可能であったが、この例４の液体は飲用することはできない。
なお、受容部Ｂ１，Ｂ２、Ｂ３の溶液は、物質Ａにグリセリンを混ぜた効果で、フェノールフタレイン、チモールフタレイン、ｍ−ニトロフェノールが受容部の底に残り、それぞれの発色である紅色、青色、黄色を維持している。
【００５９】
以上のように、［請求項２］、［請求項４］、［請求項５］をもとに、［請求項７］から［請求項１３］及び［請求項２４］で記載した物質の呈色反応を用いれば、さまざまな変色が楽しめ、美しいシャンパングラスなどの容器を利用したインテリア等を作成することができる。これは、一見何もないように見えるグラス容器と透明な水から、各種の美しい色彩が現れるように見え、不思議さと驚きを与える演出効果がある。
【００６０】
なお、各シャンパングラスなどからあふれた物質Ｃを、その下の受容部に一様に導くため、各シャンパングラスなどの受容部容器の上部縁に溝を設けておくと、いっそう演出がスムーズなものとなる。
【００６１】
なお、物質Ａと物質Ｃの組み合わせについて、［請求項１４］から［請求項１８］に示したような、溶液がゆっくりアルカリ性に変化していく物質や、時計反応により突然濃い赤紫ないし濃い青紫色を呈色する物質を適用すれば、さらに不思議さと驚きを与える演出効果がある。
【００６２】
さて、続いて［請求項６］とこれに関連する［請求項２７］から［請求項４４］について、各請求項に沿って以降に説明していく。
これらは、受容部Ｂとして、紙などのように液体の物質を吸収または保持する材料を選定し、その３以上の場所（受容部）に物質Ａを吸収または表面に保持させ、後に物質Ｃを導入して物質Ａの色を変化させる、あるいは無色から各種の色を出現させるものであって、主に色素の性質や、色の３原色、酸・アルカリの性質、金属塩のキレート、暗号文作成の基本などを、不思議な現象、美しい色彩などを通して楽しみ、学ぶことのできる教材を提供するものである。
これらの用途について、［請求項２］から［請求項５］で適用したものと同様の物質Ａと物質Ｃの適用も可能であるが、特にこの用途に適した物質として［請求項２７］で定義をし直している。
また、これらから発展して、実用面での問題に対する対策をして、裁断せずにそのまま廃棄でき、紙を事務用紙に再生することができる、暗号化され、紙のままで読み取ることのできる印字文書の作成方法について考案している。
［請求項６］の主旨はこうした物質Ａと物質Ｃの反応によって、予め紙などの受容部に描画したり印字した内容を別の色に変化させる印刷物、描画物、印字物の定義である。
【００６３】
［請求項２７］の（１）は、［請求項６］のインテリア等において、特に物質Ａとして、低いアルカリ性で目的の色を出すことができ、空気中の二酸化炭素を吸収しても、そのアルカリ性側の色を保持することのできる材料を定義している。
低いアルカリ性とは、炭酸ナトリウムや炭酸カリウムなどのように、食品にも適用されている安全性の高い材料で十分実現できるアルカリ性のことで、ｐＨ８．５を想定している。これは、炭酸ナトリウムや炭酸カリウムが、空気中の二酸化炭素を吸収して炭酸水素ナトリウムや炭酸水素カリウムに変化しても維持されるｐＨ域であり、通常これらの炭酸水素塩になった時点で吸湿性がなくなり、これ以上の二酸化炭素の吸収による酸性化は進まなくなって、発色させたアルカリ性が維持され、目的の発色が維持されるのである。
なお、定義した物質の各変色域は、［００１７］で説明している通りである。
【００６４】
［請求項２７］の（２）は、［請求項６］のインテリア等において適用する目的で、次の（１）、（２）を定義している。
（１）特に物質Ａとして、紙等に描画した時点では無色で、物質Ｃである発色剤によって紅、青、黄の３原色及び、これらから各種の色を出現させる物質の組み合わせ。
（２）低いアルカリ性で目的の色を出すことができ、空気中の二酸化炭素を吸収しても、そのアルカリ性側の色を保持することのできる材料。
（１）は金属塩の錯体の濃い着色を利用したものである。なお、ｐＨ指示薬とアルカリの塗布によって、無色から３原色を発色させようとする試みは、強いアルカリを用いる必要があること、紙に塗布すると紙の持つ物質によりｐＨが下がること、塗布した後、空気中の二酸化炭素によってｐＨが下がり、無色に戻ってしまうこと、等の理由により、多くの困難を伴っており、実用できるものではないと考えられる。
（２）は［００６３］で説明したものと類似の混合物を利用しているが、橙や黄の発色において、その酸性側の発色が赤である。同様に、低いアルカリ性で目的の色を出すことができ、空気中の二酸化炭素を吸収しても、そのアルカリ性側の色を保持することのできる材料を定義している。
【００６５】
［請求項２８］では、［請求項６］または［請求項２７］で定義した材料で予め描画しておき、その後色彩や色パターンを浮かび上がらせることを基本とし、その浮かび上がらせたパターンを特定部の色だけを見るための穴を通して見ることによって、ある特徴を持ったパターンが見えてくるようにしたものである。
これを図で説明する。
なお、本方法はステガノグラフィー（画像暗号）と呼ばれる暗号文の埋め込み手法と対の関係にあり、これに関して［００９１］項から［００９５］でごく簡単な例を示して説明する。
【００６６】
図７は、［請求項３０］の規則に従って、文字を表す最小単位であるドットを４に分割し、定められた数字列Ｇとして４，１，２，３，４，１，２，３，・・・・・と規則的に並ぶ数字列で穴を開けて作成したマスクパターンＦの例である。
この図７では、ドットを例えば以下のような４つの部分に分け、一つだけ黒で示した穴を開け、残りの部分は穴を開けていない状態を示している。
□□
■□
ここで文字列の意味は、以下のようなドットを分割したときの各アドレスとしている。ここで数字列最初の４は、このアドレスの４に穴を開け、他は穴がないことを示す。
１２
４３
もう少し、ドットの分割結果を示すアドレスを記述すると、
１２１２１２１２１２１２１２１２
４３４３４３４３４３４３４３４３
ここで、文字列Ｇに従い各４、１、２、３、４、１、２、３に該当する箇所に■を、他を□に置き換えると、以下になる。
□□■□□■□□□□■□□■□□
■□□□□□□■■□□□□□□■
こうして文字列Ｇに従って作成されたマスクパターンＦが図７である。
【００６７】
［請求項２８］の描画規則として、次の（１）から（５）を適用することを一例として示す。
（１）図７の穴部分すなわち、■部分に該当する描画対象部分のみに有意な点を打つ。
（２）他はスクランブル信号としてランダムな点を打つ。
（３）有意な点は黒で、すなわち［請求項２７］の発色時点でそれぞれ３原色になる材料の混合物で打つ。（この発色前の色は黄色であるか、無色である。）
（４）図７の穴部分すなわち、■部分には黒以外の色でスクランブル信号を打つ。
（５）スクランブル信号として、穴のない描画対象部分にも、必ず黒を用いた点を打ち、他にも［請求項２７］で示したようないろいろな色を使っても良い。
こうして描画対象の全てに何らかの点を打つと、発色前の全ての点は黄色であるか、無色となる。従って、ここに何らか有意な文字あるいは図形が記載されているようには見えないことを示す。
【００６８】
ここで、以降説明のために分かり易いよう、描画材料は［請求項２７］の（１）で示した、酸性で黄色、アルカリ性で赤、橙、鮮黄、緑、青、藍、紫、紅の８色が出てくる材料を用いたとし、発色前の色は黄色とする。この材料を用いれば、発色前の色が同じ系統の色で統一され、発色したときの驚きを与える効果が高い。なお、黒は黄、青、紅の３色を混合して、近い色が作成できる。
さて、この濃淡や色調に若干の違いはあるにしても、黄色一色で書かれた描画物に、発色剤を塗って各色を発色させると、黒、赤、橙、鮮黄、緑、青、藍、紫、紅の多数のドットが現れる。しかし、まだ黒のスクランブル信号によって撹乱されて、有意な信号がどれであるか見分けられない。
この例を、分かり易くするため、黒は黒丸（●）、それ以外の色は空白で例示したのが図８である。以降、簡略化のため、色の種類を黒と白の２種に限定して説明する。
図８には有意な文字として「あ」と記載されており、また後述するが、別のマスクパターンを用いて「い」と判読できるように記載されている。なお、これも後述するが、マスターキーで解読できるように、もう一箇所に「あ」と記載されており、これがぼんやりと「あ」の字が浮かび上がってくる気がする原因なのである。これは実際には、もっと離した位置にマスターキーでの印字を行えばよく、簡単に解消される。
【００６９】
このマスクパターンＦと図８を重ねたものが図９であり、記載した「あ」の字が浮かび上がってきている。
【００７０】
この例ではドットを４分割して、その一つに有意な信号を割り当てる方法を示した。しかし、この場合、文字を表す黒の領域が少なく、字がかすれたような状態になってしまう。この対策としては、もとの文字を太くするのも一つの方法であるが、分割を２として黒の割合を増やす方法や、分割は４のままで、そのうちの２を有意な信号を表すために用いるなどの方法が考えられる。分割４のうち２を有意な信号に割り当てる際には、以下のように極力その穴が隣接しないようにすることが、読み取られにくい暗号化紙面の作成要領である。
■□
□■
なお、分割４のうち２を有意な信号に割り当てる組み合わせの数は、［００９２］で示したように、６通りあり、この場合には、どの数値のときにどのパターンを用いるかを同様に決めておく必要がある。
【００７１】
上記の方法によると、見た目に不思議さを感じさせ、たくさんの色が発色してきれいで、暗号化の基本を教育するための教材を提供することができる。
しかし、実用として秘密文書をこの方法で作成するためにはいくつか問題がある。
【００７２】
その一つは、同じ方法でこの暗号化紙面をたくさん印刷した場合、これを重ね合わせることでマスクパターンのおおよそが読み取られてしまうことである。
すなわち、有意な信号が必ず黒で記載されているため、紙面の全体を解析し、場所毎に黒の現れる確率、白の現れる確率を求めていくと、スクランブルに用いている「穴のない」箇所はある一定の確率値に落ち着く傾向を見せ、マスクパターンＦの穴部分に該当する箇所の黒あるいは白になる確率は、この一定の確率値よりも外れた値になる。
スクランブル信号を打つ確率を５０％とした場合、黒が基調の文面では、その確率値はこの一定の確率値５０％よりも大きい値とり、白が基調の文面では、その値はこの一定の確率値５０％よりも小さい値となる可能性が高い。
スクランブル信号のかけ方に関し、その出現頻度を場所毎に変えるなどの方法も考えられるが、もう一つ簡単な方法としては、白地に黒で有意な情報を記載するパターンと、黒地に白で有意な情報を記載するパターンとを、ある確率で変えながら作成することである。最も簡単な方法はこれを交互、すなわち５０％の確率に近づくように変更しながら記載することで、これによれば、マスクパターン箇所に黒の出現する確率と白の出現する確率は、等しく５０％に漸近する。この確率に合わせて、スクランブル信号を５０％の確率で黒か白が現れるように打てば、容易には読み取られない暗号文面とマスクパターンＦの組み合わせとなる。
黒地に白で有意な情報を記載することについては、［請求項３７］で定義している。
【００７３】
図１０はこのような内容を考慮して、白で「あ」の字を記載したものである。これも先ほどと同様に、マスターキーで解読できるように、もう一箇所に「あ」と記載されており、これがぼんやりと「あ」の字が浮かび上がってくる気がする原因なのである。これは実際には、もっと離した位置にマスターキーでの印字を行えばよく、簡単に解消される。
また、白文字で記載したら、マスターキーで解読するための文字は黒文字記載にするという方法でも解消される。
なお、図１０には、後述する別のマスクパターンで、黒文字の「い」の字が記載されている。
【００７４】
［請求項２９］はこうした「解読されにくい」暗号化文面とマスクパターンによる暗号文面提供手段を与えるために考案されたものであって、透明または半透明な、紙やプラスティックなどの可視光を透過する材料に、黒色で印字することで、黒地に穴の代用となる、下の文字が透過する部分を設けたマスク板と、同様に可視光を透過する材料に、白色で印字することで、白地に穴の代用となる、下の文字が透過する部分を設けたマスク板を提供することを定義している。
白く可視光を透過しにくい物質としては、例えばルチル型酸化チタンなどの隠蔽材料が適しており、他にも酸化亜鉛など、白色隠蔽材料は数多く知られている。酸化チタンは、最も隠蔽度の優れた白色塗料として知られている。ただし、アナターゼ型の酸化チタンは光触媒作用があって、紫外光が当たるとそれを塗った材料を酸化しようとする性質があり、本考案で適用する用途には適さない。
白地に黒で記載した印刷物に対する読み取り用マスクパターンの例は、既に示した図７のようなものになり、図７の黒色部分に穴を開けるか、可視光を透過する材料に白色部分に白色隠蔽材料を塗布することで得られる。一方、黒地に白で記載した印刷物に対する読み取り用マスクパターンの例は、図１１のようなものになり、図１１のように黒色の紙棟の白色部分に穴を開けるか、可視光を透過する材料に濃く色部分に濃く色隠蔽材料を塗布することで得られる。
【００７５】
［請求項３０］の主旨はすでに［００６６］で説明したが、説明で用いた「穴」の代わりに、「可視光を透過する材料に白色または黒色の物質を塗布しない」ことにより、可視光透過部を設けることによってもマスク板Ｆが作成されることを規定していることを補足
する。
【００７６】
［請求項３１］は、［００７０］で説明したような、文字を表す黒の領域が少ないために起こる、字がかすれたような状態になってしまう問題に対応するために考案したものであって、可視光を透過させない箇所に、可視光透過部からの光をマスク板の概略法線方向に反射させる鏡を設置し、可視光を透過させない箇所の概略上方から見た時、可視光透過部からの光が見えるようにすれば、見かけ上可視光透過部の面積が広がったことと等価になる。
この鏡の配置は図１２に示すようなものであり、各ドットに一つ配置する必要がある。先にプラスティックの板などを加工して、穴と傾斜部分を作成しておき、ここにクロムや銀、アルミニウムなどの金属を蒸着する方法を採ることができる。
【００７７】
［請求項２８］から［請求項３１］は当該暗号化描画物の読み取りのためのマスク板Ｆについて主に規定したものであるが、［請求項３２］はこうしたマスク板を用いて読み取る対象の印刷物の作成方法について規定したものである。
すなわち、当該マスク板Ｆの可視光透過部のみにあたる場所に有意な信号を記録し、マスク板Ｆの穴のない場所、白色または黒色に塗られて可視光が透過しない場所に該当する部分には、この有意な信号を撹乱するスクランブル信号を記録する暗号化描画物の作成方法である。
【００７８】
［請求項３３］では、［００６８］で少し触れたマスターキーによる暗号文字の読み取りに関するものである。
通常のキーによって暗号化した複数種の暗号文書に対して、全ての暗号パターンに対して読み取りできるマスターキーを用意する必要が生じる場合がある。これは、集合住宅のたくさんある部屋を一括りで管理する必要のある場合にも似て、全ての部屋を管理する責任者が、たくさんのキーを持ち歩く不便を解消するために、全てのキーに共通に適用できるパターンを持ったキーを作成することに類似である。
【００７９】
［請求項３３］では、ある暗号キーＦで作成した文書に対して、同じ文字を違ったパターンであるマスターキーＦ’によって別の場所に記載しておくことを定義している。ここで、ある暗号キーで作成する文字が黒色である場合に、同じ黒色で隣接する場所に記載すると、文字パターンが見えやすくなるため、少し離して記載する方法や、黒色に対しては白色のように違った色で記載すると読み取りにくくなる。
マスターキーパターンＦ’は、ある暗号キーパターンＦで作成した文書と同じ色で読み取り文字を記載する場合には、当該暗号パターンと排他的である必要はなく、ドット毎に同じ重複する場所を指定する場合と、違う場所を指定する場合が混在しても構わない。但し全て同じ場所を指定すると、マスターキーの意味がなくなる。また、マスターキーで読み取る文書を違う色で指定する場合には、当該暗号キーとは違う場所にマスターキーを指定する必要があり、これは暗号キーとは排他的である必要がある。
図１３は、［請求項３３］の規則に従って、文字を表す最小単位であるドットを４に分割し、定められた数字列Ｇ’として１，２，３，４，１，２，３，４，・・・・・と規則的に並ぶ数字列で穴を開けて作成したマスタキーパターンＦ’の例である。
この図１３では、ドットを例えば以下のような４つの部分に分け、一つだけ黒で示した穴を開け、残りの部分は穴を開けていない状態を示している。
■□
□□
ここで文字列の意味は、以下のようなドットを分割したときの各アドレスとしている。ここで数字列最初の１は、このアドレスの１に穴を開け、他は穴がないことを示す。
１２
４３
なお、このマスタキーパターンの例を示す図１３は、図７のキーパターンとは完全に排他的なものを定義した。簡単化のため、規則的に並ぶ数字列Ｇ’から作りだしており、この場合には図７をずらすことで同じマスクパターンＦ’が作成できてしまうが、実際に応用する際には、もっと複雑な文字列を適用すれば、簡単にマスタキーパターンを類推されることはない。
【００８０】
このマスターキーパターンＦ’で図８の文字を読み取った例を図１４に示す。この例では暗号キーパターンＦにより描いた文字「あ」のそばに、同じ色で「あ」の字が記載されている。
【００８１】
［請求項３４］は、［００６８］で少し触れた別のキーによる別の暗号文字の読み取りに関するものである。
通常のキーによって暗号化した複数種の暗号文書に対して、別のキーを用いて、別の文字を読み取ることのできる方法を定義している。
すなわち、ここでは、ある別の暗号キーで作成した文書に対して、違った文字を違ったパターンである別のキーによって別の場所に記載しておくことを定義している。ある暗号キーで作成する文字の色の種類には無関係に色を選定してよいが、当該別の暗号キーは、最初に挙げた暗号キーや、マスターキーとは排他的である必要がある。
図１５は、［請求項３４］の規則に従って、文字を表す最小単位であるドットを４に分割し、定められた数字列Ｇ’’として２，３，４，１，２，３，４，１，・・・・・と規則的に並ぶ数字列で穴を開けて作成したパターンＦ’’の例である。
この図１５では、ドットを例えば以下のような４つの部分に分け、一つだけ黒で示した穴を開け、残りの部分は穴を開けていない状態を示している。
□■
□□
ここで文字列の意味は、以下のようなドットを分割したときの各アドレスとしている。ここで数字列最初の１は、このアドレスの１に穴を開け、他は穴がないことを示す。
１２
４３
なお、このマスクパターンＦ’’の例を示す図１５は、図７のキーパターンとは完全に排他的なものを定義した。簡単化のため、規則的に並ぶ数字列Ｇ’’から作りだしており、この場合には図７をずらすことで同じマスクパターンＦ’’が作成できてしまうが、実際に応用する際には、もっと複雑な文字列を適用すれば、簡単にマスクパターンＦ’’を類推されることはない。
【００８２】
このマスクキーパターンＦ’’で図８の文字を読み取った例を図１６に示す。この例では黒色で「い」の字が記載されている。
【００８３】
ここまでの［００６２］から［００８２］の説明では、これら暗号化された描画物あるいは文字あるいはマスクパターンを、物質Ｃと反応して変色する物質Ａを用いた描画材料で描くことを想定して説明している。
学習用の教材としてはこれで面白いが、こうした変色する材料を用いなくても教材は構成できるし、一般の事務所で用いる書類も同様である。むしろ、一般の事務用にプリントする際には、変色させて第一の復号である文字の発色を行わせる段階は、利用価値も利用可能性も低い。一般の事務所で、事務員が刷毛で変色させている場面は想像できないし、更に、発色剤を塗ると紙の膨張等によってマスクパターンと一致しなくなり、暗号化した描画物が読み取れなくなる可能性が高い。従って、実用上は、［請求項３５］に記載したように、黒または黒に近い濃い色、または白または白に近い色の２色を用いる方が有効である。
なお、［請求項３６］で記載したように、この紙文書を廃棄する際に、この描画材料で書かれた描画物あるいは文字あるいはマスクパターンを、化学反応で消去してから廃棄することは、機密保持の観点からも有効である。紙を再生処理するまでの経路で、暗号化された文書は特別な興味を持って見られる可能性があり、こうした興味を持たれる廃棄方法はできれば避けるべきであり、この意味で、化学反応で消去して廃棄する方法は有効である。
【００８４】
なお、化学反応を用いて発色した色を消色する例としては、以下のようなものが挙げられる。
（１）特開２００４−１６５２０７で定義したビスマス塩とヨウ化物との錯体による黄色の発色を、キレートマスキング剤であるＥＤＴＡによってビスマスをキレートすることにより無色に消色する方法。
（２）例えば次亜塩素酸塩などのような強い酸化剤による有機色素の漂白脱色。
これにより、例えば食用青色２号、赤色２号、赤色３号、黄色４号、黄色５号、赤色１０２号などが脱色できる。
なお、次の（３）については、アルカリで発色を戻すことができるので、学習用教材で繰り返し演示する材料として適しているが、その他の用途には向かない。
（３）酸性物質の塗布による、アルカリ性の発色剤で変色させた［請求項２７］の（１）に示した物質の変色（各色から黄への変色）
この（３）については、これらの物質をアルカリ性で混合することにより黒色に近い色を得て、有意な描画あるいは文字の記載を行い、黄色でスクランブル情報を記述し、文字を消去する際に、酸性物質を塗布することで全てのドットを黄色にして、黄色の紙として演出し、これを繰り返し行うようなことも可能である。
【００８５】
これまでに、［請求項２８］から［請求項３７］で定義し、［００６２］から［００８４］で詳細に説明した暗号化描画物あるいは印字物と、解読用のマスクパターンに関して、実際にＡ４サイズの紙面に文字を表示する際の各解像度等の見積もりを以降に記載する。
まず、前提条件として一番重要なのが１ドットのサイズであるが、Ａ４サイズの紙面の最初から最後までに亘って印字とマスクパターンがずれずに重ねられる精度として、０．０５ｍｍを想定する。これはかなり難しい前提であるが、同じ材質の紙に同じ印刷機械で印字し、同じ室内環境で利用すれば現在の技術では実現可能な状況である。これより、１ドットのサイズを０．２ｍｍ×０．２ｍｍとすると、暗号化で使用する印字最小単位は０．１ｍｍ×０．１ｍｍとなる。パソコンの液晶画面は３．３ドット／ｍｍ（８５ｄｐｉ）程度が普通に使われれている解像度であるし、ＦＡＸの印字は通常のモードでは８ドット／ｍｍで印字しており、前提条件のサイズ５ドット／ｍｍはそれほど極端に読みにくい解像度ではない。
例えばこのドットサイズで４ｍｍ×４ｍｍのサイズで字を書く場合、２０ドット×２０ドットの解像度となり、おおよそ図８に例示した文字の２倍精細になる。図８は縦２０、横２４のドットサイズで文字を描き、縦４０、横４８のマスクパターンでこれを暗号化、復号化している。また、この文字サイズでＡ４サイズの用紙に印字する場合、上下左右に２０ｍｍずつ余白をとったとき、おおよそ２１６６文字の印字ができる程度の文字サイズである。（行間、文字間の余白は０．５ｍｍで算出した。）
なお、前記見積に際して適用したパソコンの液晶画面についてもう少し説明すると、例えば１２インチノートパソコンで、解像度ＸＧＡ（１０２４×７６８）のものは、８５ｄｐｉの解像度となる。
【００８６】
Ａ４サイズの紙は、横２１０ｍｍ、縦２９７ｍｍであり、６２３７０平方ｍｍの面積を持っている。先ほどの５ドット／ｍｍの解像度では、２５ドット／平方ｍｍとなり、Ａ４の紙面には１５５９２５０個のドットが印字可能な計算になる。実際には、全てのドットを暗号化すると、非常に読みにくい紙面になるので、廃棄の際に見られては困る部分だけを暗号化するように扱うべきであるが、これは一通り概算した後に記述する。
さて、暗号のマスクパターンＦの作成に関しては、文字列Ｇにより決定されるとしていた。例えばそのマスクパターン作成の例として、１ドットを４分割して作成するマスクパターンでは、４進数で表した数の各桁を、暗号を示すアドレスに適用する方法が考えられるが、これは１５６万桁の４進数となる。これも、生成規則を定めておけば困難なものではなく、例えばある無理数を予め定めたパスワード値で割って、各桁に現れる数値のｍｏｄ４（４で割った余り）をとるなどすれば、簡単に生成できる。このある無理数とパスワード値を秘密にしておけば、解読のためのマスクパターンは秘密に保持される。この例の場合、０から９までの数値のｍｏｄ４をとると、０及び１の出る確率が２及び３よりも高くなる不都合が出るが、対象となる数値が８または９の時には、一つ前に確定した値をもとに演算処理するなどの例外処置とすれば、０から３までの数値の出現確率を等しくすることができる。
このマスクパターンの組み合わせの数は４の１５５９２５０乗＝３×１０の９３８７０４乗となる。悪い方向に見積もって、Ａ４の面積のうち、その１／１００が判別されれば解読されたと同じ状況であると考えても、そのマスクパターンの組み合わせの数は４の１５５７５乗＝６×１０の９３７３乗ほどもあり、試行あるいは類推でこのパターンを探し当てるのは不可能である。また、機械で解読を試行した場合、違う有意な文字が現れて、こちらに誤読される可能性の方が多い。
また、先ほどの例で、２０ドット×２０ドットのサイズで文字を表した場合、１文字当たりのマスクパターンの組み合わせは４の４００乗＝６．５×１０の２４０乗となり、１文字をとっても、試行あるいは類推でこのパターンを探し当てるのは不可能であるし、違う有意な文字が現れて、こちらに誤読される可能性の方が多い。
なお、暗号数字列の作成等は、高度な方法、高速なアルゴリズム、非常にランダマイズされた乱数の生成方法などがたくさん提唱されているので、こちらに従うのが良いと思われる。
【００８７】
さて、このようなＡ４サイズに印字した暗号化印刷物を作成し、マスクパターンで復号しようとする場合、人の手作業で暗号化印刷物やマスクパターンを作成することは不可能に近い。また、この印刷物とマスクパターンは、［請求項４３］に記載したように、印字のズレなどを防止するため、同一の印字機械（プリンタ）で印刷することが望ましい。最近のプリンタでは３６０ｄｐｉや７２０ｄｐｉの精度で印字できるものも普通にでてきており、印字精度の問題はない。
この印刷物を印字する際には、印字するドットのパターンと、マスクパターンの可視光透過部とのアンドをとってまず印字パターンを決め、次に可視光非透過部に印字の色と同じ色でスクランブル信号をランダムに打っていけば良い。
印字を黒色と白色（黒色材料を導入しない部分）で交互に印字し、スクランブル信号を各最小単位毎に５０％の確率で出現するように印字すれば、暗号の強度が高まり、容易に解読できない書面になる。これは、［００７２］で記載したとおりである。
マスタパターンＦ’で同じ文字を出現させるためには、別に定めたマスタパターンＦ’の可視光透過部と、印字するドットのパターンとのアンドをとってまず印字パターンを決め、次に可視光非透過部に印字の色と同じ色でスクランブル信号をランダムに打っていけば良い。
別のマスクパターンＦ’’で別の文字を出現させるようにするのも同様の手順で可能である。
【００８８】
さて、［００８６］の最初に記載したように、例えばＡ４の紙に記載された文書を全て暗号化すると非常に読みにくいが、実際には、廃棄の際に見られては困る部分は全体の一部であることが多い。例えば個人名や個人の特徴がわかる情報を記したような表の、ある一列、二列だけであったりするようなケースである。
このような表が同じ形式でたくさん印刷されるときは、見られては困る情報部分のみを前記のような方法で暗号化印字し、暗号化印字に対応した部分のみに対応し、他は全部透過としたマスクパターンで読み取る方法が考えられる。
暗号化部分が全体の１０分の１である場合を想定し、その面積の１／１０００が判別されれば解読されたと同じ状況であると考えても、そのマスクパターンの組み合わせの数は４の１５６乗＝８×１０の９３乗ほどもあり、試行あるいは類推でこのパターンを探し当てるのは不可能である。また、機械で解読を試行した場合、違う有意な文字が現れて、こちらに誤読される可能性の方が多い。この試算結果から、表のある横一列の、その一部分でさえも解読できないであろうことが推測される。
また、２０ドット×２０ドットのサイズで文字を表した場合、先ほど記載したように、１文字当たりのマスクパターンの組み合わせは４の４００乗＝６．５×１０の２４０乗となり、１文字をとっても、試行あるいは類推でこのパターンを探し当てるのは不可能である。
なお、暗号文作成においては、規制などから、暗号化のキーのビット長に制限をかけたいという要望が生じる場合があるが、この場合にはマスクパターンを指定する文字列長に制限をかけ、これを繰り返したり、一定の演算によりこの文字列を別の文字列に変換させながら、所望の紙面を埋め尽くすだけの文字列を生成すればよい。
【００８９】
マスクパターンを解読されないようにするもう一つの方法は、印字したプリント毎にマスクパターンを変えてしまう方法である。
本考案では、印字した紙文書がそのまま読み取れる暗号文紙面を作成でき、印字毎にマスクパターンを変更する方法として、可視光の透過／不透過が制御できる液晶を用いてマスクパターンを作成することを定義した。
液晶は電圧を印加することでこの制御が可能であり、変化の速度も高速は要求されないので、一般の液晶で可能である。
予めマスクパターンを何種類か設定しておき、これに番号を付ける、あるいはこのマスクパターンとこれから生成される人手で扱える桁数のＨａｓｈ値とを対応付けることで、これらの番号やＨａｓｈ値が入力されたとき、このパターンが液晶で再生されるように構成しておけば、印字したプリント毎にマスクパターンを変える方法が実現できる。
［請求項４０］及び［請求項４１］は、こうした液晶で構成したマスクパターンの生成に関して規定したものである。
【００９０】
［請求項４４］は、こうした一連の［請求項２９］から［請求項４３］で示される方法で作成される、暗号化印刷物あるいは描画物あるいはマスク板に関するものである。
なお、これまでの説明で、［００６８］項で、さまざまな色を用いて暗号文字を記述していく説明を、簡略化して、黒と白の２種類に絞っていたが、説明を元に戻すならば、黒の代わりに、例えば赤、橙、黄、緑、青、藍、紫、紅の８色のいずれかまたは複数が適用されていると考えれば良く、白は白のままと考えれば良い。
さらに、［請求項１２］で規定したような「酸性で黄色、弱アルカリ性で赤、橙、黄、緑、青、藍、紫、紅の各種の色が発色する材料」を用いて構成し、印字の時に弱酸性になるようにすれば、まず黄色でドットが描かれた描画像を得て、これに弱アルカリの発色剤を塗布することで、思いもしなかったようなさまざまな色が現れて、楽しみながら暗号の基本を学ぶことができるような教育材料を提供することができる。
なお、発色剤を塗布すると、紙の膨張・収縮などが起きて、マスクパターンとの位置ずれが大きく発生するため、印字文字などの大きさは大きくして、位置ずれが問題にならない程度（１ドットが２ｍｍ程度）のサイズで印字する必要がある。
こうした発色剤を塗ったりする場合には、事務所などで使う印字物に適用することはできないが、この場合には白と黒で印字したものを適用すればよい。
【００９１】
最後に、ここで記載した暗号化印字方法、復号化方法は、現在ステガノグラフィーとして知られる、絵や写真などに暗号文をわからないように埋め込む手法の、極めて単純化された場合のものと対の関係になるものであることを記しておく。
ステガノグラフィーの原理をごく簡単に記載すると、例えば白黒の濃淡で表した写真のドット配置の冗長度を利用して、ここに情報としてのビット配列を埋め込むというものである。
【００９２】
例えば、１ドットを４分割した場合、白から黒までの５階調を分割したパートを用いて表す時、以下のように表すこととする。
□□        ■□        ■□        ■■        ■■
□□        □□        □■        □■        ■■
白        １／４黒    ２／４黒    ３／４黒      黒
ここで１／４黒は上記に挙げた表示方法以外にも３の冗長な表示方法があって、以下のように４通りの表し方ができるが、これを下のａ，ｂ，ｃ，ｄのいずれかを用いて表わすことで、１ドットの１／４黒に２ビットの暗号情報を埋め込むことができるというものである。
■□        □■        □□        □□
□□        □□        □■        ■□
ａ          ｂ          ｃ          ｄ
同様に２／４黒には３ビットの暗号情報が、３／４黒には２ビットの暗号情報を組み込むことができ、白と黒には暗号情報を埋め込むことはできない。２／４黒は以下の６通りの表し方がある。
■□        □■        ■■        □■        □□        ■□
□■        ■□        □□        □■        ■■        ■□
ｅ          ｆ          ｇ          ｈ          ｉ          ｊ
【００９３】
上記ステガノグラフィーの手法では、写真や絵画などの電子情報で記述された画像に、暗号情報を埋め込んでいくもので、簡単な画像に対しても、大量の暗号情報が埋め込めるという特徴を有する。一方、埋め込んだ暗号は、コンピュータなどを用いて、電子的な方法で解読しなければ読むことができない。
【００９４】
本考案の方法では、この極めて単純化された場合のステガノグラフィーの手法とは対の関係になっており、ステガノグラフィーでは暗号文として埋め込みたい情報、例えば［００９２］の配列を、暗号文字解読のためのマスクパターンとするものであり、ステガノグラフィーでの暗号文は本手法での解読キーに相当するものになっている。
また、ステガノグラフィーでの公開している画像は、本考案での印刷されたランダムに見えるドットパターンとなる。このドットパターンは、マスクパターンとの論理積をとって印字されるが、何かの画像のように見える場所を選んでスクランブル信号を打つこともでき、ステガノグラフィーでは「公開する画像」と同じものに相当する。ただし、ステガノグラフィーでは画像は基本的には電子情報である必要があり、印字したものでも、電子的に読み込んで処理する必要があるが、本考案を実施適用した場合の画像は、紙への印字物となる。
ステガノグラフィーにおいて、画像のどのアドレスに情報を埋め込んだかの情報を、情報抽出のキーとして使用するならば、このキーに相当するものは本考案での暗号化したい文字の情報そのものになる。つまり、暗号文字情報とマスクパターン（解読のためのキー）が入れ替わった関係となっている。
なお、本考案の印字情報やマスクパターンは、印字文字数が多くなると、電子計算機を用いて生成処理しなければ、処理しきれない情報量になるが、２、３文字分を生成するのは簡単に手作業でも可能である。この方法は、後に記載する［実施例１４］に示した。
また、本考案の印字情報やマスクパターンは、電子計算機を用いて生成した場合には電子データで保管することができ、印字情報とマスクパターンの論理積をとることで、電子的な方法での復号も可能であるが、本考案の実施適用においては、紙に印字したものに適用して直接目視での解読を行うことが目的であるため、電子的な処理で復号することには全く意味がない。もちろん電子的な手法で復号すれば、欠けた情報を補って、きれいな文字を再生することもできるが、電子暗号として用いるには、もっと優れた方法があり、これらは標準暗号などとして広く用いられている。
【００９５】
本考案の暗号生成と復号の方法においては、ステガノグラフィーでは電子情報であったところの画像は、紙に印字された情報となる。これを復号化して得られる情報は、元の画像情報よりもはるかに情報量の少ないものであるということも特徴である。解読に用いるマスクパターン（解読キー）よりも情報量がはるかに少なく、その意味で、逆に、マスクパターンさえ秘密に保たれれば、解読される恐れが少ないという利点がある。
【００９６】
さて、考案の説明の最後に、補足として、以上［００１０］項から［００８４］項の説明において、酸、アルカリ、タングステン化合物、アルミニウム化合物、モリブデン化合物、チオ硫酸塩、銅化合物、亜硫酸塩、亜硫酸水素塩、ヨウ素酸塩、ソルビン酸塩、エチレンジアミン四酢酸塩、過ヨウ素酸塩を、一部具体的な物質名の例を付記した一般的な塩または酸として定義したが、更に具体的な化合物名を指定するならば、各一般物質名に対して以下のような化合物を挙げることができることを追記する。
酸：リン酸、塩酸、硫酸、硝酸、臭素酸、ヨウ素酸、酢酸、乳酸、クエン酸、酒石酸
アルカリ：水酸化ナトリウム、水酸化カリウム、アンモニア水（水酸化アンモニウム）、水酸化カルシウム、炭酸カリウム、炭酸ナトリウム、炭酸水素カリウム、炭酸水素ナトリウム
アルカリ金属の炭酸塩：炭酸ナトリウム、炭酸カリウム
アンモニウムの炭酸塩：炭酸アンモニウム
タングステン化合物：１２タングスト（ＶＩ）リン酸、タングステン酸ナトリウム、タングステン酸カリウム、タングステン酸アンモニウム、タングステン酸、タングステン酸リチウム、タングステン酸カルシウム、タングステン酸マグネシウム、タングステン酸コバルト、タングステン酸ジルコニア、タングステン酸セリウム、タングステン酸銅（ＩＩ）、タングステン酸バリウム、タングステン酸マンガン、１２タングスト（ＶＩ）けい酸、１２タングスト（ＶＩ）けい酸ナトリウム、１２タングスト（ＶＩ）けい酸カリウム、１２タングスト（ＶＩ）けい酸アンモニウム、１２タングスト（ＶＩ）リン酸ナトリウム、１２タングスト（ＶＩ）リン酸カリウム、１２タングスト（ＶＩ）リン酸アンモニウム
アルミニウム化合物：硝酸アルミニウム、硫酸アルミニウム、みょうばん（硫酸アルミニウムカリウム）、塩化アルミニウム、アルミン酸ナトリウム、アルミン酸カリウム
モリブデン化合物：１２モリブド（ＶＩ）リン酸、モリブデン酸アンモニウム、モリブデン酸ナトリウム、モリブデン酸カリウム、モリブデン酸、モリブデン酸リチウム、モリブデン酸カルシウム、モリブデン酸マグネシウム、モリブデン酸コバルト、モリブデン酸セリウム、モリブデン酸銅（ＩＩ）、モリブデン酸バリウム、モリブデン酸マンガン、１２モリブド（ＶＩ）けい酸、１２モリブド（ＶＩ）けい酸ナトリウム、１２モリブド（ＶＩ）けい酸カリウム、１２モリブド（ＶＩ）けい酸アンモニウム、１２モリブド（ＶＩ）リン酸ナトリウム、１２モリブド（ＶＩ）リン酸カリウム、１２モリブド（ＶＩ）リン酸アンモニウム
チオ硫酸塩：チオ硫酸ナトリウム、チオ硫酸カリウム、チオ硫酸アンモニウム
銅化合物：硫酸銅、硝酸銅、塩化銅、塩化アンモニウム銅、臭化銅、ヨウ化銅、ヨウ素酸銅、ぎ酸銅、酢酸銅、リン酸銅、ピロリン酸銅、炭酸銅、クエン酸銅、フタル酸銅、酒石酸銅
亜硫酸塩：亜硫酸ナトリウム、亜硫酸カリウム、亜硫酸アンモニウム
亜硫酸水素塩：亜硫酸水素ナトリウム、亜硫酸水素カリウム、亜硫酸水素アンモニウム
ヨウ素酸塩：ヨウ素酸カリウム、ヨウ素酸ナトリウム、ヨウ素酸アンモニウム
ソルビン酸塩：ソルビン酸カリウム、ソルビン酸ナトリウム、ソルビン酸アンモニウム
エチレンジアミン四酢酸塩：エチレンジアミン四酢酸ナトリウム、エチレンジアミン四酢酸カリウム、エチレンジアミン四酢酸アンモニウム
過ヨウ素酸塩：過ヨウ素酸カリウム、過ヨウ素酸ナトリウム、過ヨウ素酸アンモニウム
【発明の効果】
【００９７】
この発明によると、一見何もない花瓶に水を注ぐと、いろいろな色が出現したり、その水が更に突然濃い赤紫や青紫になったり、発色した色が時間と共に次々に７色に変わったりする、不思議で、観衆に興味を持たせることのできる現象を演出することができる。さらに、その花瓶に入れた無色透明な水に花を生けておくと、次第に花色が濃い赤紫になったり、更に濃い青紫色に変化したりするという、不思議さをもたらすインテリア等を与えることができる。
【００９８】
また、シャンパングラス等の構成に適用した例では、シャンパングラスなどの容器に注いだ液体が、次々に違った美しい色に変わる演出をすることができ、いくつかのグラスから泡を出させる演出なども可能であり、さらに適用する色素によっては、この液体は飲用可能である。
【００９９】
また、暗号文作成に適用した例では、発色剤によっていろいろな色を出現させることができ、美しく、見た目に不思議さを感じさせ、暗号文作成の基本である、スクランブル信号の打ち方、偽信号の混入方法、化学的に文字を隠す方法などを教えるような教育材料を提供することができる。
更に、印字した紙文書を暗号化し、マスク板によってそのまま紙から文字を読むことができ、そのマスク板のパターンを解析しにくくして、事務所で機密文書を裁断せずにそのまま再生処理に出すことのできる印字方法を提供することができる。
【０１００】
このインテリア等により、子供たちにこの現象の起きている原理に興味を持たせ、この科学的な現象を演示して説明することにより、楽しみながら色の３原色や酸・アルカリという概念、酸・アルカリの強さであるｐＨの概念、酸化還元反応や、酸化還元により酸・アルカリの生成する現象、金属イオンによる錯体の生成とその着色、金属イオンによる植物色素の変色、暗号文作成の基本といった科学的な内容を子どもたちに教えるような、教育的な側面に効果がある。そして、子どもたちに科学のおもしろさを伝え、不思議な現象に対する興味から、いろいろな科学の現象を教えるきっかけになるような、教育的な側面に効果がある。
【発明を実施するための最良の形態】
【０１０１】
本発明を実施するに最良の形態は、科学的な現象を用いて演出効果を出す花瓶、室内装飾品、インテリア、アクセサリ、玩具、学習用教材、印刷物、描画物として最良である。また、家庭やパーティなどで行う手品の性格を備えた演示装置として最良である。
【０１０２】
本文でも例１、例２で変色する花瓶の例、例３、例４でシャンパングラス等による演出の例を示した。
【実施例１】
【０１０３】
実施例１としては、本文の［００３７］項から［００３９］項に詳細を記した例１とし、詳細説明は本文［００３７］項から［００３９］項に記載したものとする。
本実施例の形態は花瓶であり、結果としては、容器本体に緑色、受容部Ｂ１に赤、受容部Ｂ２に橙、受容部Ｂ３に黄、受容部Ｂ４に青、受容部Ｂ５に藍、受容部Ｂ６に紫の発色が現れる。
なお、本実施例の容器本体Ｄと受容部Ｂを、図５や図６に示したようなシャンパングラスに変えれば、同じ物質Ａと物質Ｃの組み合わせにより、液体の色が変わるシャンパングラスの塔の演出ができる。
【実施例２】
【０１０４】
実施例２としては、本文の［００３７］項から［００３９］項に詳細を記した例２とし、詳細説明は本文［００３７］項から［００３９］項に記載したものとする。
本実施例の形態は花瓶であり、結果としては、容器本体に無色透明、受容部Ｂ１に紅、受容部Ｂ２に青、受容部Ｂ３に黄、受容部Ｂ４に紫、受容部Ｂ５に緑、受容部Ｂ６に赤の発色が現れる。
なお、本実施例の容器本体Ｄと受容部Ｂを、図５や図６に示したようなシャンパングラスに変えれば、同じ物質Ａと物質Ｃの組み合わせにより、液体の色が変わるシャンパングラスの塔の演出ができる。
【実施例３】
【０１０５】
実施例３としては、本文の［００５７］項に詳細を記した例３とし、詳細説明は本文［００５７］項に記載したものとする。
本実施例の形態はシャンパングラスの塔であり、結果としては、容器本体に青紫、受容部Ｂ１にピンク、受容部Ｂ２に青緑、受容部Ｂ３に青紫の発色が現れ、更に受容部Ｂ’１にピンク、受容部Ｂ’２に青紫、受容部Ｂ’３に緑がかった青、受容部Ｂ’４に青緑、受容部Ｂ’５に赤紫、受容部Ｂ’６に濃い青紫の発色が現れる。
なお、本実施例の容器本体Ｄと受容部Ｂを、図１に示したような花瓶の容器本体Ｄと受容部Ｂに変えれば、同じ物質Ａと物質Ｃの組み合わせにより、液体の色が変わる花瓶の演出ができる。
【実施例４】
【０１０６】
実施例４としては、本文の［００５８］項に詳細を記した例４とし、詳細説明は本文［００５８］項に記載したものとする。
本実施例の形態はシャンパングラスの塔であり、結果としては、容器本体に無色透明、受容部Ｂ１に紅、受容部Ｂ２に青、受容部Ｂ３に黄の発色が現れ、更に受容部Ｂ’１に紅、受容部Ｂ’２に紫、受容部Ｂ’３に赤、受容部Ｂ’４に青、受容部Ｂ’５に緑、受容部Ｂ’６に黄の発色が現れる。
なお、本実施例の容器本体Ｄと受容部Ｂを、図１に示したような花瓶の容器本体Ｄと受容部Ｂに変えれば、同じ物質Ａと物質Ｃの組み合わせにより、液体の色が変わる花瓶の演出ができる。
【０１０７】
その他、反応物質を変えたり、花を生けたりした場合の例を実施例を用いて説明していく。
【実施例５】
【０１０８】
図１７は［請求項２］、［請求項３］、［請求項９］、［請求項１０］、［請求項２２］から［請求項２５］に関する本考案の適用例を表す図である。
この図１７は、本考案を花瓶に対して適用した例であるが、花瓶によらず、同じ構成のシャンパングラスなどインテリア等の作成に適用することが可能である。
図１７に於いて、（図１７の１）は物質Ａであり、これは（図１７の２）に示される４の受容部Ｂに入れられる。［００１６］から［００３５］で説明したように、物質Ａは（図１７の３）に示される物質Ｃを変色させる酸やアルカリなどの物質または、物質Ｃと反応して変色する指示薬などの物質である。
【０１０９】
各物質Ａ１、Ａ２、Ａ３、Ａ４として、次の溶液を各受容部Ｂ１、Ｂ２、Ｂ３、Ｂ４に２滴ずつ滴下しておく。
Ａ１：ブロムフェノールブルー０．１％の５０％エチルアルコール溶液
Ａ２：薄いリン酸でｐＨ２に調整した、０．１％の食用赤色１０５号色素水溶液
Ａ３：薄いリン酸でｐＨ５に調整した、０．１％のｐ−ニトロフェノール水溶液
Ａ４：薄いリン酸でｐＨ４に調整した、５％のアントシアニン色素水溶液
なお、一滴は滴下する器具の口径や、滴下する材料の粘性にも依存するが、通常の水溶液の場合には０．０５ｍｌ前後であり、よく０．０４ｍｌから０．０６ｍｌの間に入ることが多い。ここでの説明としては、１滴は０．０５ｍｌであることを想定して記載している。
【０１１０】
物質Ｃとして、以下を作成する。
物質Ｃ：タングステンとしての濃度換算で２ｍＭに調整した１２タングスト（ＶＩ）リン酸水溶液（Ｈ３（ＰＷ１２Ｏ４０）の０．０４８重量％水溶液）１００ｍｌ
この物質Ｃは無色透明の溶液である。
（図１７の４）の容器本体Ｄに（図１７の３）の物質Ｃを加えると、（図１７の５）で示された通路Ｅを通って、物質Ｃが（図１７の２）の各受容部Ｂに導入され、ここでそれぞれの物質Ａ１、Ａ２、Ａ３、Ａ４と混合して反応し、それぞれの色を示すことになる。
これを（図１７の４）の容器本体Ｄに入れ、通路Ｅを通って各２０ｍｌがそれぞれの受容部Ｂで物質Ａと混合すると、以下の受容部の色変化が現れる。
受容部Ｂ１：黄色から青
受容部Ｂ２：無色から紅
受容部Ｂ３：無色から黄
受容部Ｂ４：ピンクから濃い赤紫
なお、本実施例の容器本体Ｄと受容部Ｂを、図５や図６に示したようなシャンパングラスに変えれば、同じ物質Ａと物質Ｃの組み合わせにより、液体の色が変わるシャンパングラスの塔の演出ができる。
【０１１１】
さらに、（図１７の４）の容器本体Ｄにピンクのチューリップ切り花を生けると、その花弁の色が２日以上の時間をかけてゆっくり変化した。その変化の様子は以下のようであった。
生けた時：  ピンク
１日後  ：  花弁の先端に少し濃い赤紫の部分が現れた。その周囲はピンク。
２日後  ：  花弁の先端から中央にかけて、濃い赤紫の部分が拡大し、その周囲はピンク
の色のままである。
４日後  ：  花弁全体が濃い赤紫に変色した。
６日後  ：  花弁全体が濃い青紫に変色した。
そのまま青紫の色を保った。
８日後  ：  花弁がしおれ始めた。色は青紫のまま。
そのまま青紫の色を保った。
１４日後：  花弁が完全にしおれた。
【実施例６】
【０１１２】
図１８は［請求項２］、［請求項３］、［請求項７］、［請求項８］、［請求項１０］、［請求項２２］から［請求項２４］に関する本考案の適用例を表す図である。
この図１８は、本考案を花瓶に対して適用した例であるが、花瓶によらず、同じ構成のシャンパングラスなどインテリア等の作成に適用することが可能である。
図１８に於いて、（図１８の１）は物質Ａ（Ａ１、Ａ２、Ａ３、Ａ４、Ａ５、Ａ６）であり、これらはそれぞれ（図１８の２）に示される受容部Ｂ（Ｂ１、Ｂ２、Ｂ３、Ｂ４、Ｂ５、Ｂ６）に導入される。物質Ａ１及びＡ２は、物質Ｃをアルカリ性にするためのアルカリ性物質水溶液である。物質Ａ３、Ａ４、Ａ５、Ａ６は、中性より酸性側で無色、アルカリ性で紅、青、黄、紫に発色する指示薬あるいは混合指示薬である。
物質Ｃは容器本体Ｄに導入された後、まず受容部Ｂ１、Ｂ２に導入され、ここを経由して受容部Ｂ３、Ｂ４、Ｂ５、Ｂ６に導入される。
【０１１３】
各物質Ａ１、Ａ２、Ａ３、Ａ４、Ａ５、Ａ６として次の溶液を作成し、それぞれＡ１からＡ６を対応する各受容部Ｂ１、Ｂ２には９滴ずつ、Ｂ３、Ｂ４、Ｂ５、Ｂ６には２滴ずつを滴下しておく。
Ａ１：０．１８％アンモニア水
Ａ２：０．１８％アンモニア水
Ａ３：フェノールフタレイン０．２％を５０％エチルアルコールと５０％グリセリンの混合溶液に溶かした溶液（０．２ｇのフェノールフタレインを５０ｍｌのエチルアルコールと５０ｍｌのグリセリンの混合物に溶かしたもの。）
Ａ４：チモールフタレイン０．４％を５０％エチルアルコールと５０％グリセリンの混合溶液に溶かした溶液（０．４ｇのフェノールフタレインを５０ｍｌのエチルアルコールと５０ｍｌのグリセリンの混合物に溶かしたもの。）
Ａ５：ｍ−ニトロフェノール０．４％を０．０７重量％のごく薄い塩酸に溶かした水溶液（０．４ｇのｍ−ニトロフェノールを０．０７重量％のごく薄い塩酸１００ｍｌに溶かしたもの。）
Ａ６：Ａ３とＡ４を１：１の割合で混合したもの。
これらの物質は無色であり、何かが入っているような不自然な印象は与えない。
なお、一滴は滴下する器具の口径や、滴下する材料の粘性にも依存するが、通常の水溶液の場合には０．０５ｍｌ前後であり、よく０．０４ｍｌから０．０６ｍｌの間に入ることが多い。ここでの説明としては、１滴は０．０５ｍｌであることを想定して記載している。
【０１１４】
物質Ｃとして、以下を作成する。
物質Ｃ：タングステンとしての濃度換算で２ｍＭに調整したタングステン酸ナトリウム水溶液（Ｎａ２ＷＯ４・２Ｈ２Ｏの０．０６６重量％水溶液）１００ｍｌ
この物質Ｃは無色透明の溶液である。
（図１８の４）の容器本体Ｄに（図１８の３）の物質Ｃを加えると、まず（図１８の５）で示された通路Ｅを通って、物質Ｃが（図１８の２）の受容部Ｂ１、Ｂ２に導入され、ここでそれぞれの物質Ａ１、Ａ２と混合されてアルカリ性の溶液になり、Ｂ１、Ｂ２を経由してこれらの溶液がＢ３、Ｂ４、Ｂ５、Ｂ６に導入される。ここで物質Ａ３、Ａ４、Ａ５、Ａ６と混合して反応し、それぞれの色を示すことになる。
物質Ｃを（図１８の４）の容器本体Ｄに入れ、通路Ｅを通って各１０ｍｌがそれぞれの受容部Ｂ１からＢ６に満たされるようにして、物質Ａ１からＡ６と混合すると、以下の受容部の色変化が現れる。
受容部Ｂ１：無色透明のまま
受容部Ｂ２：無色透明のまま
受容部Ｂ３：無色から紅
受容部Ｂ４：無色から青
受容部Ｂ５：無色から黄
受容部Ｂ６：無色から紫
【０１１５】
なお、［０１１３］のＡ３、Ａ４、Ａ５で示した指示薬溶液は、次の目安で混合すると以下の８色の各色を出すことができる。
発色させる色    Ａ３の割合    Ａ４の割合    Ａ５の割合
赤              ６                          ２
赤橙            ５                          ３
橙              ３                          ５
黄橙            １                          ７
黄                                          ８
黄緑                          １            ７
緑                            ３            ５
濃緑                          ４            ４
深緑                          ６            ２
青緑                          ７            １
青                            ８
藍              ３            ５
濃紫            ４            ４
紫              ５            ３
赤紫            ７            １
紅              ８
赤紅            ７                          １
また、ワインレッドなどは前記で作成した赤に少量の青を混合すれば得られる。このように、色にアクセントを付けたいときは、３原色全てを用いて作成する。
このような色の混合によって、さまざまな色が現れることを、楽しみながら教育するような効果が得られる。
なお、本実施例の容器本体Ｄと受容部Ｂを、図５や図６に示したようなシャンパングラスに変えれば、同じ物質Ａと物質Ｃの組み合わせにより、液体の色が変わるシャンパングラスの塔の演出ができる。
【０１１６】
さらに、（図１８の４）の容器本体Ｄにピンクのチューリップ切り花を生けると、その花弁の色が２日以上の時間をかけてゆっくり変化した。その変化の様子は以下のようであった。
生けた時：  ピンク
２日後  ：  花弁の先端に濃い青紫の部分が現れた。その周囲はピンク。
３日後  ：  花弁の先端から中央にかけて、濃い青紫の部分が拡大し、その周囲はピンク
の色のままである。
４日後  ：  花弁全体が濃い青紫に変色した。
６日後  ：  花弁全体が濃い青紫に変色した。
そのまま青紫の色を保った。
８日後  ：  花弁が開いた。色は青紫のまま。
そのまま青紫の色を保った。
１４日後：  花弁が完全にしおれた。
【実施例７】
【０１１７】
図１９は［請求項２］、［請求項３］、［請求項７］、［請求項９］、［請求項１４］に関する本考案の適用例を表す図である。
この図１９は、本考案を花瓶に対して適用した例であるが、花瓶によらず、同じ構成のシャンパングラスなどインテリア等の作成に適用することが可能である。
図１９に於いて、（図１９の１）は物質Ａ（Ａ１からＡ８）であり、これは（図１９の２）に示される８の受容部Ｂ（Ｂ１からＢ８）に入れられる。［００１６］から［００３５］で説明したように、物質Ａは（図１９の３）に示される物質Ｃを変色させる酸やアルカリなどの物質または、物質Ｃと反応してこれをゆっくりとアルカリ性にしていく物質である。
物質Ａ１からＡ７はその量を変えて受容部Ｂ１からＢ７に入れられ、Ａ８は後に説明する調合のものをＢ８に入れる。
物質Ｃは容器本体Ｄに導入された後、各受容部Ｂ１からＢ８に導入される。なお、Ｂ８への通路Ｅは少し太くして、Ｂ８への溶液Ｃの導入速度を早くしておくと良い演出結果を与える。
【０１１８】
各物質Ａ１、Ａ２、Ａ３、Ａ４、Ａ５、Ａ６、Ａ７、Ａ８として、次の溶液を作成し、それぞれＡ１からＡ８を、対応する各受容部Ｂ１には何も入れない、Ｂ２には１滴、Ｂ３には２滴、Ｂ４には４滴、Ｂ５には６滴、Ｂ６には７滴、Ｂ７には１０滴、Ｂ８には８滴を滴下しておく。
Ａ１：なし（何も入れない）
Ａ２からＡ７：０．１８％アンモニア水
Ａ８：チオ硫酸ナトリウム・五水和物の８０重量％水溶液（Ｎａ２Ｓ２Ｏ３・５Ｈ２Ｏを８ｇを水に溶かして１０ｍｌにした水溶液。）
【０１１９】
物質Ｃとして、以下を作成する。
水                      ２００ｍｌ
メチルレッド                １．１ｍｇ  （０．０００５５％水溶液）
ブロムチモールブルー        ５．３４ｍｇ（０．００２７％水溶液）
クレゾールレッド            ５．３４ｍｇ（０．００２７％水溶液）
フェノールフタレイン        ８．０ｍｇ  （０．００４％水溶液）
過酸化水素（Ｈ２Ｏ２）    ９６ｍｇ      （０．０４８％水溶液）
塩化水素（ＨＣｌ）          ７ｍｇ      （０．００３５％水溶液）
過酸化水素の０．０４８％水溶液は、市販されている３％の過酸化水素水を水で６３倍に薄めて作成した。
この物質Ｃは赤色をした液体である。
（図１９の４）の容器本体Ｄに（図１９の３）の物質Ｃを導入すると、（図１９の５）で示された通路Ｅを通って、物質Ｃが（図１９の２）の受容部Ｂ１からＢ８に導入され、ここでそれぞれの物質Ａ１からＡ８と混合されて、各受容部で次のような色の変化が見られた。なお、受容部Ｂ１からＢ８に導入する量はそれぞれ２０ｍｌとした。
受容部Ｂ１：赤のまま
受容部Ｂ２：赤から橙へ変化
受容部Ｂ３：赤から黄へ変化
受容部Ｂ４：赤から緑へ変化
受容部Ｂ５：赤から青へ変化
受容部Ｂ６：赤から藍へ変化
受容部Ｂ７：赤から紫へ変化
受容部Ｂ８：赤から時間経過とともに以下のように変色
開始時    １０秒後  １２秒後  １４秒後  ２５秒後  ３２秒後  ４０秒後以降
赤        橙        黄        緑        青        藍        紫
なお、受容部Ｂ８の変色時間は、［請求項１６］に示す方法で短縮することができる。この実施例の詳細は、特願２００４−３１９２４３の［実施例７］において［０１０９項］から［０１２０］項で説明した。
なお、本実施例の容器本体Ｄと受容部Ｂを、図５や図６に示したようなシャンパングラスに変えれば、同じ物質Ａと物質Ｃの組み合わせにより、液体の色が変わるシャンパングラスの塔の演出ができる。
【実施例８】
【０１２０】
図２０は［請求項２］、［請求項３］、［請求項７］、［請求項１１］、［請求項１２］、［請求項１７］に関する本考案の適用例を表す図である。
この図２０は、本考案を花瓶に対して適用した例であるが、花瓶によらず、同じ構成のシャンパングラスなどインテリア等の作成に適用することが可能である。
図２０に於いて、（図２０の１）は物質Ａ（Ａ１からＡ８）であり、これは（図２０の２）に示される８の受容部Ｂ（Ｂ１からＢ８）に入れられる。［００１６］から［００３５］で説明したように、物質Ａは（図２０の３）に示される物質Ｃによって変色する指示薬などの物質または、物質Ｃと反応して突然の変色を起こす物質である。
物質Ａ１からＡ８は後に説明する調合のものをそれぞれＢ１からＢ８に導入する。物質Ｃは容器本体Ｄに導入された後、各受容部Ｂ１からＢ８に導入される。なお、Ｂ９への通路Ｅは少し太くして、Ｂ９への溶液Ｃの導入速度を早くしておくと良い演出結果を与える。
【０１２１】
各物質Ａ１、Ａ２、Ａ３、Ａ４、Ａ５、Ａ６、Ａ７、Ａ８、Ａ９として、次の溶液を作成し、それぞれＡ１からＡ８を、対応する各受容部Ｂ１からＢ８には４滴ずつを滴下しておく。また、Ａ９を対応する受容部Ｂ９に８滴導入しておく。
Ａ１：
水                        ８０ｍｌ
エチルアルコール          ２０ｍｌ
塩化水素（ＨＣｌ）          ３．５ｍｇ  （０．００３５％溶液）
ブロムチモールブルー      １１ｍｇ      （０．０１１％溶液）
フェノールレッド          ４４ｍｇ      （０．０４４％溶液）
食用黄色４号色素          ５５ｍｇ      （０．０５５％溶液）
Ａ２：
水                        ８０ｍｌ
エチルアルコール          ２０ｍｌ
塩化水素（ＨＣｌ）          ３．５ｍｇ  （０．００３５％溶液）
フェノールレッド          ２０ｍｇ      （０．０２％溶液）
食用黄色４号色素        １００ｍｇ      （０．１％溶液）
Ａ３：
水                        ８０ｍｌ
エチルアルコール          ２０ｍｌ
塩化水素（ＨＣｌ）          ３．５ｍｇ  （０．００３５％溶液）
メチルレッド              ３０ｍｇ      （０．０３％溶液）
食用黄色４号色素        １５０ｍｇ      （０．１５％溶液）
Ａ４：
水                        ８０ｍｌ
エチルアルコール          ２０ｍｌ
塩化水素（ＨＣｌ）          ３．５ｍｇ  （０．００３５％溶液）
ブロムチモールブルー    １２０ｍｇ      （０．１２％溶液）
食用黄色４号色素        ４３０ｍｇ      （０．４３％溶液）
Ａ５：
水                        ８０ｍｌ
エチルアルコール          ２０ｍｌ
塩化水素（ＨＣｌ）          ３．５ｍｇ  （０．００３５％溶液）
ブロムチモールブルー    １４３ｍｇ      （０．１４３％溶液）
Ａ６：
水                        ８０ｍｌ
エチルアルコール          ２０ｍｌ
塩化水素（ＨＣｌ）          ３．５ｍｇ  （０．００３５％溶液）
ブロムチモールブルー    ２７０ｍｇ      （０．２７％溶液）
フェノールレッド          １５ｍｇ      （０．０１５％溶液）
Ａ７：
水                        ８０ｍｌ
エチルアルコール          ２０ｍｌ
塩化水素（ＨＣｌ）          ３．５ｍｇ  （０．００３５％溶液）
ブロムチモールブルー      ６６ｍｇ      （０．０６６％溶液）
フェノールレッド          ４０ｍｇ      （０．０４％溶液）
Ａ８：
水                        ８０ｍｌ
エチルアルコール          ２０ｍｌ
塩化水素（ＨＣｌ）          ３．５ｍｇ  （０．００３５％溶液）
フェノールレッド          ６０ｍｇ      （０．０６％溶液）
Ａ９：
水                        ８０ｍｌ
ヨウ素酸カリウム            ５ｇ        （５％水溶液）
リン酸                    ２０ｇ        （２０％水溶液）
リン酸を加えた後、水を加えて１００ｍｌとする。なお、ヨウ素酸カリウムは溶けにくいので、先に水に溶かしておく。
Ａ１からＡ８はそれぞれ弱酸性で黄色になる溶液であり、Ａ９は反応前は無色透明な溶液である。
【０１２２】
物質Ｃとして、以下を作成する。
水                      １００ｍｌ
コーンスターチ              ０．１ｇ    （０．１％水溶液）
亜硫酸ナトリウム            ０．０４４ｇ（０．０４４％水溶液）
アンモニア（アンモニア水）  ５．１ｍｇ  （０．００５１％水溶液）
ソルビン酸カリウム          ２．７ｍｇ  （０．００２７％水溶液）
チモール                    ０．０２ｍｇ（０．００００２％水溶液）
なお、ソルビン酸カリウムとチモールは、［請求項２０］及び［請求項２１］で示したように、物質Ｃをデンプン水溶液の変質防止処置した濃縮液から作成したため、含まれてくるものである。
この物質Ｃは無色透明の液体である。
【０１２３】
（図２０の４）の容器本体Ｄに（図２０の３）の物質Ｃを導入すると、（図２０の５）で示された通路Ｅを通って、物質Ｃが（図２０の２）の受容部Ｂ１からＢ９に導入され、ここでそれぞれの物質Ａ１からＡ９と混合されて、各受容部で次のような色の変化が見られた。なお、受容部Ｂ１からＢ９に導入する量はそれぞれ２０ｍｌとした。
受容部Ｂ１：黄から赤へ変化
受容部Ｂ２：黄から橙へ変化
受容部Ｂ３：暗い黄から鮮やかな黄へ変化
受容部Ｂ４：黄から緑へ変化
受容部Ｂ５：黄から青へ変化
受容部Ｂ６：黄から藍へ変化
受容部Ｂ７：黄から紫へ変化
受容部Ｂ８：黄から紅へ変化
受容部Ｂ９：無色透明から物質Ｃ導入８秒後に、突然濃い赤紫色に変化
なお、本実施例の容器本体Ｄと受容部Ｂを、図５や図６に示したようなシャンパングラスに変えれば、同じ物質Ａと物質Ｃの組み合わせにより、液体の色が変わるシャンパングラスの塔の演出ができる。
【実施例９】
【０１２４】
［請求項２０］及び［請求項２１］に示したでんぷん水溶液の変質防止効果を、一実施例で説明する。
次の内容は、発明者らが２００４年１１月２８日から２００５年１月１６日にかけて行った、［請求項２０］と［請求項２１］の効果を確認する試験の結果である。
試験結果には、［請求項２０］、［請求項２１］に示した組成に関する物質を含有したもの、しなかったものについて、日数が経過したときに、これらを混合したときの発色の程度（劣化度合い）や変色までの時間を測定した結果を示している。
【０１２５】
デンプン水溶液及びその変質防止対策を施した溶液として以下の調合の溶液を作成する。但し、ＥＤＴＡ−２Ｎａはエチレンジアミン四酢酸二ナトリウムとする。
これらの溶液を長期保存に供した。
−−−−−−−−−−−−−−−−−−−−−−−−−−−−−−−−−−−−−−−
溶液番号と各物質の含有量［重量％］
混合物質名            （１）      （２）      （３）      （４）      （５）
可溶性デンプン        ３．０      ３．０      ３．０      ３．０      ３．０
亜硫酸ナトリウム                  ２．２
水酸化ナトリウム                              ０．４
アンモニア                                                ０．１７
尿素                                                                  ５．０
−−−−−−−−−−−−−−−−−−−−−−−−−−−−−−−−−−−−−−−
溶液番号と各物質の含有量［重量％］
混合物質名            （６）      （７）      （８）      （９）      （１０）
可溶性デンプン        ３．０      ３．０      ３．０      ３．０      ３．０
亜硫酸ナトリウム                                          ２．２      ２．２
水酸化ナトリウム                                                      ０．４
尿素                                                      ２．０
ソルビン酸カリウム    ０．１３３
チモール                          ０．００２              ０．００２  ０．００２
エチルアルコール                              ５．０      ５．０      ５．０
−−−−−−−−−−−−−−−−−−−−−−−−−−−−−−−−−−−−−−−
溶液番号と各物質の含有量［重量％］
混合物質名            （１１）    （１２）    （１３）    （１４）    （１５）
可溶性デンプン        ３．０      ３．０      ３．０      ３．０      ３．０
亜硫酸ナトリウム      ２．２      ２．２      ２．２      ２．２      ２．２
水酸化ナトリウム                  ０．４      ０．４      ０．４
アンモニア            ０．１７                                        ０．１７
尿素                              ２．０      ２．０      ２．０      ２．０
ソルビン酸カリウム                                        ０．１３３  ０．１３３
チモール              ０．００２  ０．００２  ０．００２  ０．００２  ０．００２
ＥＤＴＡ−２Ｎａ                              ０．１      ０．１      ０．１
エチルアルコール      ５．０      ５．０      ５．０      ５．０      ５．０
−−−−−−−−−−−−−−−−−−−−−−−−−−−−−−−−−−−−−−−
溶液番号と各物質の含有量［重量％］
混合物質名            （１６）    （１７）    （１８）    （１９）    （２０）
可溶性デンプン        ３．０      ３．０      ３．０      ３．０      ３．０
亜硫酸ナトリウム      ２．２      ２．２      ２．２      ２．２
亜硫酸水素ナトリウム                                                  １．８
水酸化ナトリウム      ０．４      ０．４
アンモニア                                    ０．１７    ０．１７
ソルビン酸カリウム                ０．１３３              ０．１３３
チモール              ０．００２  ０．００２  ０．００２  ０．００２  ０．００２
ＥＤＴＡ−２Ｎａ      ０．１      ０．１      ０．１      ０．１
エチルアルコール      ５．０      ５．０      ５．０      ５．０
−−−−−−−−−−−−−−−−−−−−−−−−−−−−−−−−−−−−−−−
溶液番号と各物質の含有量［重量％］
混合物質名            （２１）    （２２）    （２３）    （２４）    （２５）
可溶性デンプン        ３．０      ３．０      ３．０      ３．０      ３．０
亜硫酸ナトリウム                                          ２．２      ２．２
亜硫酸水素ナトリウム  １．８      １．８      １．８
水酸化ナトリウム                                          ０．４      ０．４
ソルビン酸カリウム    ０．１３３              ０．１３３  ０．１３３  ０．１３３
チモール              ０．００２  ０．００２  ０．００２              ０．００２
ＥＤＴＡ−２Ｎａ                  ０．１      ０．１      ０．０５    ０．０５
エチルアルコール                  ５．０      ５．０      ４．０      ４．０
【０１２６】
また、（１）から（２５）を２５倍の水に薄めて、実際に変色に使う程度の濃さで保存した。但し、各成分にソルビン酸カリウム、チモール、ＥＤＴＡ−２Ｎａがある場合には、これが薄まる分量だけ補充し、この３成分に関しては、（１）から（２５）と同等の量が含まれる状態で保存した。これらをそれぞれ＜１＞から＜２５＞の番号で呼ぶことにする。
【０１２７】
（１）から（２５）の溶液を各日数、通常のふたのできる容器に保存した後、この（１）から（２５）の溶液０．０５ｍｌ（１滴）に次の発色液（２６）を２．５ｍｌ加え、変色までの時間、発色の様子（濃い赤紫が正常）、保存溶液の様子を記録した。
発色液（２６）：ヨウ素酸カリウム０．１％、リン酸０．４％の水溶液
なお、亜硫酸ナトリウムまたは亜硫酸水素ナトリウムの含まれていないものには、２．２％の亜硫酸ナトリウムを０．０５ｍｌ（１滴）追加して試験した。
また、＜１＞から＜２５＞に対しては、各０．２５ｍｌに対し、次の発色液（２７）を０．２５ｍｌ加え、変色までの時間、発色の様子（濃い赤紫が正常）、保存溶液の様子を記録した。
発色液（２７）：ヨウ素酸カリウム０．２％、リン酸０．８％の水溶液
なお、亜硫酸ナトリウムまたは亜硫酸水素ナトリウムの含まれていないものには、０．４４％の亜硫酸ナトリウムを０．１ｍｌ（２滴）追加して試験した。
なお、本調合では、ヨウ素酸カリウム（ＫＩＯ３、ｍｗ２１４）の量は、これと反応するべき亜硫酸ナトリウム（Ｎａ２ＳＯ３、ｍｗ１２６）の４倍等量と多めに設計している。なお、３モルの亜硫酸ナトリウムは１モルのヨウ素酸カリウムを１モルのヨウ化物に還元し、２４モルの亜硫酸ナトリウムは９モルのヨウ素酸カリウムを３モルの三ヨウ化物イオンに還元するので、反応の結果、全てのヨウ素酸塩が三ヨウ化物に還元されるように設計する場合には、２４：９のモル比で亜硫酸ナトリウムとヨウ素酸カリウムを混合する。
【０１２８】
２００４年１１月２８日から２０５年１月１８日までの経過日数と変色の様子との関係を次の表に示す。但し、表の中の数字は変色までの時間［ｓ］であり、発色の色を併記した。また、発色の様子をＡ、Ｂ、Ｃ、Ｄ、Ｅの記号で表したが、これはそれぞれ以下を表すものとする。
Ａ：濃い正常な発色
Ｂ：発色が少し薄くなったが演示には問題ないレベルの劣化である
Ｃ：発色はするが、演出効果が低下するレベルであり、十分満足な演示にならない。
Ｄ：発色しないか、色が悪く演示には問題がある。
Ｅ：発色に問題があり、目視で溶液の劣化状態が認められる程度に劣化した。
また、−は試験を実施する意味がなくなったので実施していないことを示す。
−−−−−−−−−−−−−−−−−−−−−−−−−−−−−−−−−−−−−−−
溶液番号                              経過日数［日］
０    １    ２    ３    ４    ７    １１  ２０  ２９  ３７  ５１
（１）    赤紫  赤紫  赤紫  赤紫  赤紫  赤紫  赤紫  赤紫  赤紫  赤紫  青紫
７    ７    ７    ７    ６    ７    ６    ８    ８    ７    ８
Ａ    Ａ    Ａ    Ａ    Ａ    Ａ    Ａ    Ｂ    Ｂ    Ｂ    Ｂ
（２）    赤紫  赤紫  赤紫  赤    薄赤  茶    茶    茶    茶    茶    茶
７    ７    ７    ６    ６    ８    ６    ５    ５    −    −
Ａ    Ａ    Ａ    Ａ    Ｃ    Ｄ    Ｄ    Ｅ    Ｅ    −    −
（３）    赤紫  赤紫  赤紫  赤紫  赤紫  赤紫  赤紫  赤紫  赤紫  赤紫  青紫
７    ７    ８    ７    ７    ７    ６    ６    ８    ９    ７
Ａ    Ａ    Ａ    Ａ    Ａ    Ａ    Ａ    Ａ    Ｂ    Ｂ    Ｃ
（４）    赤紫  赤紫  赤紫  赤紫  赤紫  赤紫  赤紫  赤紫  赤紫  赤紫  青紫
７    ７    ７    ８    ８    ６    ７    ７    ７    ９    ７
Ａ    Ａ    Ａ    Ａ    Ａ    Ａ    Ａ    Ａ    Ａ    Ｂ    Ｃ
（５）    赤紫  赤紫  赤紫  赤紫  赤紫  赤    赤茶  茶    茶    茶    茶
７    ７    ７    ８    ７    ６    ７    ８    １２  １１  −
Ａ    Ａ    Ａ    Ａ    Ａ    Ｃ    Ｃ    Ｅ    Ｅ    Ｅ    −
（６）    赤紫  赤紫  赤紫  赤紫  赤紫  赤紫  赤紫  赤紫  赤紫  赤紫  青紫
８    ８    ７    ８    ７    ７    ７    ７    ８    １０  ７
Ａ    Ａ    Ａ    Ａ    Ａ    Ｂ    Ａ    Ａ    Ａ    Ｂ    Ｃ
（７）    赤紫  赤紫  赤紫  赤紫  赤紫  赤紫  赤紫  赤紫  赤紫  赤紫  青紫
７    ７    ７    ７    ７    ６    ７    ６    ８    ８    ７
Ａ    Ａ    Ａ    Ａ    Ａ    Ａ    Ａ    Ａ    Ｂ    Ｂ    Ｃ
（８）    赤紫  赤紫  赤紫  赤紫  赤紫  赤紫  赤紫  赤紫  赤紫  赤紫  青紫
７    ７    ７    ８    ８    ６    ６    ６    ７    ８    ７
Ａ    Ａ    Ａ    Ａ    Ａ    Ａ    Ａ    Ａ    Ａ    Ｂ    Ｃ
（９）    赤紫  赤紫  赤紫  赤紫  赤紫  赤紫  赤紫  赤紫  赤紫  赤紫  赤紫
７    ７    ７    ６    ６    ６    ６    ６    ６    ７    ５
Ａ    Ａ    Ａ    Ａ    Ａ    Ａ    Ａ    Ａ    Ａ    Ｂ    Ｂ
（１０）  赤紫  赤紫  赤紫  赤紫  赤紫  赤紫  赤紫  赤紫  赤紫  赤紫  赤紫
７    ７    ７    ６    ７    ５    ６    ６    ６    ７    ５
Ａ    Ａ    Ａ    Ａ    Ａ    Ａ    Ａ    Ａ    Ａ    Ａ    Ａ
（１１）  赤紫  赤紫  赤紫  赤紫  赤紫  赤紫  赤紫  赤紫  赤紫  赤紫  赤紫
６    ６    ７    ８    ６    ５    ５    ５    ６    ６    ５
Ａ    Ａ    Ａ    Ａ    Ａ    Ａ    Ａ    Ａ    Ａ    Ａ    Ａ
（１２）  赤紫  赤紫  赤紫  赤紫  赤紫  赤紫  赤紫  赤紫  赤紫  赤紫  赤紫
７    ７    ７    ６    ６    ５    ６    ６    ７    ６    ５
Ａ    Ａ    Ａ    Ａ    Ａ    Ａ    Ａ    Ａ    Ａ    Ａ    Ａ
（１３）  赤紫  赤紫  赤紫  赤紫  赤紫  赤紫  赤紫  赤紫  赤紫  赤紫  赤紫
７    ７    ７    ７    ６    ６    ５    ６    ７    ６    ５
Ａ    Ａ    Ａ    Ａ    Ａ    Ａ    Ａ    Ａ    Ａ    Ａ    Ａ
（１４）  赤紫  赤紫  赤紫  赤紫  赤紫  赤紫  赤紫  赤紫  赤紫  赤紫  赤紫
７    ７    ７    ６    ６    ６    ６    ６    ７    ７    ５
Ａ    Ａ    Ａ    Ａ    Ａ    Ａ    Ａ    Ａ    Ｂ    Ｂ    Ｂ
（１５）  赤紫  赤紫  赤紫  赤紫  赤紫  赤紫  赤紫  赤紫  赤紫  赤紫  赤紫
７    ７    ７    ５    ６    ５    ５    ５    ５    ６    ５
Ａ    Ａ    Ａ    Ａ    Ａ    Ａ    Ａ    Ａ    Ａ    Ａ    Ａ
（１６）  赤紫  赤紫  赤紫  赤紫  赤紫  赤紫  赤紫  赤紫  赤紫  赤紫  赤紫
７    ７    ７    ６    ６    ５    ５    ５    ５    ５    ５
Ａ    Ａ    Ａ    Ａ    Ａ    Ａ    Ａ    Ａ    Ａ    Ａ    Ａ
（１７）  赤紫  赤紫  赤紫  赤紫  赤紫  赤紫  赤紫  赤紫  赤紫  赤紫  赤紫
６    ６    ６    ６    ６    ６    ５    ６    ６    ６    ５
Ａ    Ａ    Ａ    Ａ    Ａ    Ａ    Ａ    Ａ    Ａ    Ａ    Ａ
（１８）  赤紫  赤紫  赤紫  赤紫  赤紫  赤紫  赤紫  赤紫  赤紫  赤紫  赤紫
７    ７    ７    ５    ６    ６    ５    ５    ６    ５    ５
Ａ    Ａ    Ａ    Ａ    Ａ    Ａ    Ａ    Ａ    Ａ    Ａ    Ａ
（１９）  赤紫  赤紫  赤紫  赤紫  赤紫  赤紫  赤紫  赤紫  赤紫  赤紫  赤紫
６    ６    ７    ５    ６    ５    ５    ５    ６    ６    ５
Ａ    Ａ    Ａ    Ａ    Ａ    Ａ    Ａ    Ａ    Ａ    Ａ    Ａ
（２０）  赤紫  赤紫  赤紫  赤紫  赤紫  赤紫  赤紫  赤紫  赤紫  赤紫  赤紫
５    ５    ６    ４    ６    ５    ５    ５    ６    ５    ６
Ａ    Ａ    Ａ    Ａ    Ａ    Ａ    Ａ    Ａ    Ａ    Ａ    Ｂ
（２１）  赤紫  赤紫  赤紫  赤紫  赤紫  赤紫  赤紫  赤紫  赤紫  赤紫  青紫
５    ５    ８    ５    ６    ７    ５    ５    ６    ５    ６
Ａ    Ａ    Ａ    Ａ    Ａ    Ａ    Ａ    Ａ    Ａ    Ａ    Ｂ
（２２）  赤紫  赤紫  赤紫  赤紫  赤紫  赤紫  赤紫  赤紫  赤紫  赤紫  青紫
５    ５    ６    ５    ６    ５    ５    ５    ６    ６    ５
Ａ    Ａ    Ａ    Ａ    Ａ    Ａ    Ａ    Ａ    Ａ    Ａ    Ｂ
（２３）  赤紫  赤紫  赤紫  赤紫  赤紫  赤紫  赤紫  赤紫  赤紫  赤紫  青紫
５    ５    ９    ６    ６    ５    ５    ５    ７    ６    ６
Ａ    Ａ    Ａ    Ａ    Ａ    Ａ    Ａ    Ａ    Ｂ    Ｂ    Ｂ
（２４）  赤紫  赤紫  赤紫  赤紫  赤紫  赤紫  赤紫  赤紫  赤紫  赤紫  赤紫
７    ７    ６    ５    ６    ５    ５    ６    ６    ６    ５
Ａ    Ａ    Ａ    Ａ    Ａ    Ａ    Ａ    Ａ    Ａ    Ａ    Ａ
（２５）  赤紫  赤紫  赤紫  赤紫  赤紫  赤紫  赤紫  赤紫  赤紫  赤紫  赤紫
７    ７    ７    ５    ６    ５    ５    ６    ６    ６    ５
Ａ    Ａ    Ａ    Ａ    Ａ    Ａ    Ａ    Ａ    Ａ    Ａ    Ａ
−−−−−−−−−−−−−−−−−−−−−−−−−−−−−−−−−−−−−−−
Ａ：濃い正常な発色
Ｂ：発色が少し薄くなったが演示には問題ないレベルの劣化である
Ｃ：発色はするが、演出効果が低下するレベルであり、十分満足な演示にならない。
Ｄ：発色しないか、色が悪く演示には問題がある。
Ｅ：発色に問題があり、目視で溶液の劣化状態が認められる程度に劣化した。
また、−は試験を実施する意味がなくなったので実施していないことを示す。
溶液番号                              経過日数［日］
０    １    ２    ４    ５    ９    １５  １８  ２７  ３７  ５１
＜１＞    赤紫  青紫  青紫  青紫  青紫  青紫  赤茶  赤茶  赤茶  赤茶  −
７    ７    ５    ６    ６    ６    −    −    −    −    −
Ａ    Ｂ    Ｂ    Ｃ    Ｃ    Ｃ    Ｄ    Ｄ    Ｄ    Ｄ    −
＜２＞    赤紫  赤    黄    茶    茶    茶    −    −    −    −    −
９    ９    ６    ４    ４    ４    −    −    −    −    −
Ａ    Ｃ    Ｄ    Ｄ    Ｄ    Ｄ    Ｄ    Ｅ    Ｅ    Ｅ    −
＜３＞    赤紫  青紫  青紫  青紫  青紫  青紫  赤茶  赤茶  赤茶  赤茶  ー
６    ６    ６    ５    ６    ６    −    −    −    −    −
Ａ    Ｂ    Ｂ    Ｂ    Ｂ    Ｂ    Ｄ    −    −    −    −
＜４＞    赤紫  青紫  青紫  青紫  青紫  青紫  赤茶  赤茶  赤茶  赤茶  −
７    ７    ６    ６    ６    ６    −    −    −    −    −
Ａ    Ｂ    Ｂ    Ｂ    Ｂ    Ｂ    Ｄ    −    −    −    −
＜５＞    赤紫  青紫  青紫  青紫  青紫  青紫  赤茶  赤茶  赤茶  赤茶  −
６    ６    ６    ７    ８    ７    −    −    −    −    −
Ａ    Ｂ    Ｂ    Ｂ    Ｂ    Ｂ    Ｄ    −    −    −    −
＜６＞    赤紫  青紫  青紫  青紫  青紫  青紫  赤茶  赤茶  赤茶  赤茶  −
７    ７    ８    ７    ８    ７    −    −    −    −    −
Ａ    Ｂ    Ｂ    Ｂ    Ｂ    Ｂ    Ｄ    −    −    −    −
＜７＞    赤紫  青紫  青紫  青紫  青紫  青紫  赤茶  赤茶  赤茶  赤茶  −
６    ６    ５    ６    ６    ５    −    −    −    −    −
Ａ    Ｂ    Ｂ    Ｂ    Ｂ    Ｂ    Ｄ    −    −    −    −
＜８＞    赤紫  青紫  青紫  青紫  青紫  青紫  赤茶  赤茶  赤茶  赤茶  −
６    ６    ６    ６    ６    ５    −    −    −    −    −
Ａ    Ｂ    Ｂ    Ｂ    Ｂ    Ｂ    Ｄ    −    −    −    −
＜９＞    赤紫  赤紫  赤紫  赤紫  茶    茶    茶    茶    茶    茶    黄
８    ８    ６    ６    ５    ８    ９    ７    ７    ８    ７
Ａ    Ａ    Ａ    Ａ    Ｃ    Ｄ    Ｄ    Ｄ    Ｄ    Ｄ    Ｄ
＜１０＞  赤紫  赤紫  赤紫  赤紫  赤紫  赤紫  赤紫  赤紫  赤紫  赤紫  赤紫
７    ７    ７    ６    ６    ７    ７    ８    ６    ７    ７
Ａ    Ａ    Ａ    Ａ    Ａ    Ａ    Ｂ    Ｂ    Ｂ    Ｂ    Ｂ
＜１１＞  赤紫  赤紫  赤紫  赤紫  赤紫  茶    茶    茶    茶    茶    −
７    ７    ７    ６    ７    ４    −    −    −    −    −
Ａ    Ａ    Ａ    Ａ    Ａ    Ｄ    Ｄ    −    −    −    −
＜１２＞  赤紫  赤紫  赤紫  赤紫  赤紫  赤紫  赤紫  赤紫  赤紫  赤紫  赤紫
７    ７    ７    ６    ７    ６    ７    ７    ７    ８    ７
Ａ    Ａ    Ａ    Ａ    Ａ    Ａ    Ｂ    Ｂ    Ｂ    Ｂ    Ｂ
＜１３＞  赤紫  赤紫  赤紫  赤紫  赤紫  赤紫  赤紫  赤紫  赤紫  赤紫  赤紫
７    ７    ８    ７    ９    ７    ７    ９    ７    ８    ７
Ａ    Ａ    Ａ    Ａ    Ａ    Ａ    Ｂ    Ｂ    Ｂ    Ｂ    Ｃ
＜１４＞  赤紫  赤紫  赤紫  赤紫  赤紫  赤紫  赤紫  赤紫  赤紫  赤紫  赤紫
８    ８    ９    １０  ８    ８    ９    １０  １１  ９    ９
Ａ    Ａ    Ａ    Ａ    Ａ    Ａ    Ｂ    Ｂ    Ｂ    Ｂ    Ｃ
＜１５＞  赤紫  赤紫  赤紫  赤紫  赤紫  赤紫  赤紫  赤紫  赤紫  赤紫  赤紫
８    ８    ９    ９    １０  ８    ９    ９    １１  ９    ８
Ａ    Ａ    Ａ    Ａ    Ａ    Ａ    Ｂ    Ｂ    Ｂ    Ｂ    Ｃ
＜１６＞  赤紫  赤紫  赤紫  赤紫  赤紫  赤紫  赤紫  赤紫  赤紫  赤紫  赤紫
８    ８    ７    ８    ９    ６    ８    ８    ８    ９    ７
Ａ    Ａ    Ａ    Ａ    Ａ    Ａ    Ｂ    Ｂ    Ｂ    Ｂ    Ｂ
＜１７＞  赤紫  赤紫  赤紫  赤紫  赤紫  赤紫  赤紫  赤紫  赤紫  赤紫  赤紫
８    １１  ９    ８    １０  ８    ９    ９    ９    １０  １１
Ａ    Ａ    Ａ    Ａ    Ａ    Ａ    Ｂ    Ｂ    Ｂ    Ｂ    Ｂ
＜１８＞  赤紫  赤紫  赤紫  赤紫  赤紫  赤紫  赤紫  赤紫  赤紫  赤紫  赤紫
８    ８    ８    ７    ８    ６    ８    ７    ８    ９    ７
Ａ    Ａ    Ａ    Ａ    Ａ    Ａ    Ｂ    Ｂ    Ｂ    Ｂ    Ｂ
＜１９＞  赤紫  赤紫  赤紫  赤紫  赤紫  赤紫  赤紫  赤紫  赤紫  赤紫  赤紫
８    ８    ９    ９    １０  ８    ９    ９    １１  １０  ９
Ａ    Ａ    Ａ    Ａ    Ａ    Ａ    Ｂ    Ｂ    Ｂ    Ｂ    Ｂ
＜２０＞  赤紫  赤紫  赤紫  赤紫  赤紫  赤紫  赤紫  赤紫  赤紫  赤紫  赤紫
６    ６    ６    ６    ６    ６    ６    ６    ７    ７    ８
Ａ    Ａ    Ａ    Ａ    Ａ    Ａ    Ｂ    Ｂ    Ｂ    Ｂ    Ｂ
＜２１＞  赤紫  赤紫  赤紫  青紫  無色  無色  −    −    −    −    −
８    ８    ９    １１  −    −    −    −    −    −    −
Ａ    Ａ    Ａ    Ｂ    Ｄ（変化なし）    −    −    −    −
＜２２＞  赤紫  赤紫  赤紫  赤紫  赤紫  赤紫  赤紫  赤紫  赤紫  赤紫  赤紫
７    ７    ６    ６    ６    ５    ７    ７    ７    ８    ８
Ａ    Ａ    Ａ    Ａ    Ａ    Ａ    Ｂ    Ｂ    Ｂ    Ｂ    Ｃ
＜２３＞  赤紫  赤紫  赤紫  青紫  青紫  無色  −    −    −    −    −
８    ８    ８    ９    １０  −    −    −    −    −    −
Ａ    Ａ    Ａ    Ｂ    Ｃ    Ｄ（変化なし）    −    −    −
＜２４＞  赤紫  赤紫  赤紫  赤紫  赤紫  赤紫  赤紫  赤紫  赤紫  赤紫  青紫
９    ９    ８    ９    ９    ８    １０  ９    １２  １２  １２
Ａ    Ａ    Ａ    Ａ    Ａ    Ａ    Ｂ    Ｂ    Ｂ    Ｂ    Ｃ
＜２５＞  赤紫  赤紫  赤紫  赤紫  赤紫  赤紫  赤紫  赤紫  赤紫  赤紫  青紫
９    ９    １０  １０  ８    ９    １４  １０  １３  １０  １１
Ａ    Ａ    Ａ    Ａ    Ａ    Ａ    Ｂ    Ｂ    Ｂ    Ｂ    Ｂ
【０１２９】
以上の結果から、デンプン水溶液の保存にはアルカリ性にして保存することが効果的であり、これに亜硫酸ナトリウムや亜硫酸水素ナトリウムなどの亜硫酸塩や亜硫酸水素塩を加えて、酸化防止を図ることが有効であることが明らかとなった。アルカリを加えずに他の対策を施すと、（９）のように劣化が早まることとなる。また、アルカリ性にせずに亜硫酸塩や亜硫酸水素塩を単独で使用すると、かえって劣化が早くなることが確認された。
また、ソルビン酸カリウムなどのソルビン酸塩を加えると、溶液に沈殿が発生せず、溶液をきれいに保つのには有効であることが確認された。
＜１１＞と＜１８＞の比較により、若干ＥＤＴＡ−２Ｎａを入れると効果があることが確認された。＜１２＞と＜１３＞の比較では、あまり明確な効果ではなかった。
アルカリは水酸化ナトリウムでも、それと等モル濃度のアンモニアであっても同様の効果があることがわかる。
なお、変色時間は溶液がどの程度酸化の攻撃を受けたかの目安を見るために計測している。［００３１］で記述したように、変色までの時間を律する律速段階は、第一段の「亜硫酸塩または亜硫酸水素塩がヨウ素酸塩によって酸化される反応」であって、この反応は亜硫酸塩または亜硫酸水素塩の濃度が低くなると低下する。濃度が高くなると、第一段の反応速度が上がり、これによりヨウ化物イオンができると、第二、第三の反応によって亜硫酸亜硫酸塩または亜硫酸水素塩は次々に消費されるため、ヨウ素酸塩が十分存在する場合には系全体の反応速度は上がることになり、変色までの時間は短くなる。
本測定においては、溶液を混合して反応を見る際に、溶液の量を少なくとったため、測定誤差が大きく出ているが、１ヶ月ほど経過した後の方の測定結果に、デンプンの代わりに亜硫酸塩または亜硫酸水素塩が酸化されて、デンプンを酸化から保護している様子が見られるものがある。
【実施例１０】
【０１３０】
さて、次に［請求項２２］から［請求項２５］に示した、花弁にアントシアニン色素を含有する植物の、水溶性タングステン化合物による変色の効果について実施例を示す。
また、［請求項２］、［請求項３］の花瓶を用いたときの、切り花の変色を演出する効果を確認するため、モリブデン化合物やアルミニウム化合物を用いて、切り花の変色確認を行ったので、その結果を併せて記載する。
【０１３１】
次の内容は、発明者らが２００４年１２月２３日から２００５年１月１６日にかけて行った、［請求項２２］から［請求項２５］の効果を確認する試験の結果である。
【０１３２】
本試験材料はピンクの花弁を持つ切り花のチューリップである。
以下に示す溶液中に生けて、花が鑑賞できなくなるまで観察した。
（ア）：１２タングスト（ＶＩ）リン酸のタングステン換算で２ｍＭの水溶液（０．０４８％Ｈ３（ＰＷ１２Ｏ４０）水溶液）
（イ）：タングステン酸ナトリウム・二水和物のタングステン換算で２ｍＭの水溶液（０．０６６％Ｎａ２ＷＯ４・２Ｈ２Ｏ水溶液）
（ウ）：硝酸アルミニウム・九水和物のアルミニウム換算で２ｍＭの水溶液（０．０７５％Ａｌ（ＮＯ３）３・９Ｈ２Ｏ水溶液）
（エ）：モリブデン酸アンモニウム・四水和物のモリブデン換算で２ｍＭの水溶液（０．０３５％（ＮＨ４）６Ｍｏ７Ｏ２４・４Ｈ２Ｏ水溶液）
（オ）：水
なお、本試験においては、試験材料以外の成分は入れなかった。また、（オ）は比較のため水で生けたものである。
【０１３３】
（ア）の１２タングスト（ＶＩ）リン酸のタングステン換算で２ｍＭの水溶液で行った結果を以下に示す。
生けた時：  ピンク
１日後  ：  花弁の先端に少し濃い赤紫の部分が現れた。その周囲はピンク。
２日後  ：  花弁の先端から中央にかけて、濃い赤紫の部分が拡大し、その周囲はピンク
の色のままである。
４日後  ：  花弁全体が濃い赤紫に変色した。
６日後  ：  花弁全体が濃い青紫に変色した。
そのまま青紫の色を保った。
８日後  ：  花弁がしおれ始めた。色は青紫のまま。
そのまま青紫の色を保った。
１４日後：  花弁が完全にしおれた。
【０１３４】
（イ）のタングステン酸ナトリウム・二水和物のタングステン換算で２ｍＭの水溶液で行った結果を以下に示す。
生けた時：  ピンク
２日後  ：  花弁の先端に濃い青紫の部分が現れた。その周囲はピンク。
３日後  ：  花弁の先端から中央にかけて、濃い青紫の部分が拡大し、その周囲はピンク
の色のままである。
４日後  ：  花弁全体が濃い青紫に変色した。
６日後  ：  花弁全体が濃い青紫に変色した。
そのまま青紫の色を保った。
８日後  ：  花弁が開いた。色は青紫のまま。
そのまま青紫の色を保った。
１４日後：  花弁が完全にしおれた。
【０１３５】
（ウ）：硝酸アルミニウム・九水和物のアルミニウム換算で２ｍＭの水溶液で行った結果を以下に示す。
生けた時：  ピンク
２日後  ：  ピンク
３日後  ：  ピンク
４日後  ：  ピンク
６日後  ：  花弁の先端が青紫に変色した。
８日後  ：  花弁の中央部分に青紫色が広がったがあまり目立たず、水のみで生けたものと比較すると違いが見える程度。
１４日後：  花弁の中央部分に青紫色が見える。花弁が開きしおれてきた。
１９日後：  花弁が完全にしおれた。
【０１３６】
（エ）のモリブデン酸アンモニウム・四水和物のモリブデン換算で２ｍＭの水溶液で行った結果を以下に示す。
生けた時：  ピンク
１日後  ：  花弁の先端に少し濃い青紫の部分が現れた。その周囲はピンク。
２日後  ：  花弁の先端から中央にかけて、濃い青紫の部分が拡大し、その周囲はピンク
の色のままである。
４日後  ：  花弁の中央部分が濃い青紫に変色した。周囲はピンク。
６日後  ：  花弁全体が濃い青紫に変色した。
７日後  ：  花弁全体が濃い青紫。花弁がしおれ始めた。
８日後  ：  花弁がしおれた。色は青紫のまま。
１４日後：  花弁が完全にしおれた。
【０１３７】
（オ）の水で行った結果を比較のため以下に示す。
生けた時：  ピンク
１日後  ：  ピンク
そのままピンクを維持。
１４日後：  ピンクのまま花弁がしおれ始めた。
１９日後：  花弁が完全にしおれた。
【０１３８】
以上をまとめると、以下のようになる。
１日後    ２日後    ３日後    ４日後    ６日後    ８日後    １４日後
（ア）先端赤紫  中央赤紫  中央赤紫  全体赤紫  全体青紫  全体青紫  しおれた
（イ）ピンク    先端青紫  中央青紫  全体青紫  全体青紫  全体青紫  しおれた
（ウ）ピンク    ピンク    ピンク    ピンク    先端青紫  中央薄青  中央青紫
（エ）先端青紫  中央青紫  中央青紫  中央青紫  全体青紫  中央青紫  しおれた
（オ）ピンク    ピンク    ピンク    ピンク    ピンク    ピンク    ピンク
【０１３９】
以上の結果より、タングステン塩によって、アントシアニン色素を含む花の色の変色が行われることが確認され、特に１２タングスト（ＶＩ）リン酸によれば、最初の４日程度は濃い赤紫の発色を示し、後に青紫に変色するという効果が見られた。
アルミニウム塩は＋イオンの形で与えたため、花へのアルミニウムイオンの吸収が遅かったが、６日目で変色が見られ、８日後には全体的に薄い青に変色した。吸収が遅かった分花の持ちも良く、１９日目まで、開ききったが散らずに花弁を保持していた。
【実施例１１】
【０１４０】
次の内容は、発明者らが２００４年１２月２７日から２００５年１月１６日にかけて行った、［請求項２２］から［請求項２５］の効果を確認する試験の結果である。
【０１４１】
本試験材料はピンクの花弁、特に花弁裏に濃いピンクの色彩を持つ、切り花のアリストロメリアである。
以下に示す溶液中に生けて、花が鑑賞できなくなるまで観察した。
（ア）：１２タングスト（ＶＩ）リン酸のタングステン換算で２ｍＭの水溶液（０．０４８％Ｈ３（ＰＷ１２Ｏ４０）水溶液）
（イ）：タングステン酸ナトリウム・二水和物のタングステン換算で２ｍＭの水溶液（０．０６６％Ｎａ２ＷＯ４・２Ｈ２Ｏ水溶液）
（ウ）：硝酸アルミニウム・九水和物のアルミニウム換算で２ｍＭの水溶液（０．０７５％Ａｌ（ＮＯ３）３・９Ｈ２Ｏ水溶液）
（エ）：モリブデン酸アンモニウム・四水和物のモリブデン換算で２ｍＭの水溶液（０．０３５％（ＮＨ４）６Ｍｏ７Ｏ２４・４Ｈ２Ｏ水溶液）
（オ）：水
（カ）：タングステン酸ナトリウム・二水和物のタングステン換算で０．１ｍＭの水溶液
（キ）：タングステン酸ナトリウム・二水和物のタングステン換算で０．５ｍＭの水溶液
（ク）：タングステン酸ナトリウム・二水和物のタングステン換算で１ｍＭの水溶液
（ケ）：タングステン酸ナトリウム・二水和物のタングステン換算で５ｍＭの水溶液
（コ）：タングステン酸ナトリウム・二水和物のタングステン換算で１０ｍＭの水溶液
（サ）：１２タングスト（ＶＩ）リン酸のタングステン換算で１ｍＭとタングステン酸ナトリウム・二水和物のタングステン換算で１ｍＭの混合水溶液（タングステン換算で合計２ｍＭ）
（シ）：１２タングスト（ＶＩ）リン酸のタングステン換算で２．５ｍＭとタングステン酸ナトリウム・二水和物のタングステン換算で２．５ｍＭの混合水溶液（タングステン換算で合計５ｍＭ）
（ス）：１２タングスト（ＶＩ）リン酸のタングステン換算で０．５ｍＭとタングステン酸ナトリウム・二水和物のタングステン換算で０．５ｍＭの混合水溶液（タングステン換算で合計１ｍＭ）
（セ）：１２タングスト（ＶＩ）リン酸のタングステン換算で０．２５ｍＭとタングステン酸ナトリウム・二水和物のタングステン換算で０．２５ｍＭの混合水溶液（タングステン換算で合計０．５ｍＭ）
（ソ）：モリブデン酸アンモニウム・四水和物のモリブデン換算で５ｍＭの水溶液
（タ）：モリブデン酸アンモニウム・四水和物のモリブデン換算で１０ｍＭの水溶液
なお、本試験においては、試験材料以外の成分は入れなかった。また、（オ）は比較のため水で生けたものである。
【０１４２】
結果を以下にまとめる。特に花の裏の色に明確な効果の違いが見られたので、これに着目して結果を記載する。
１日後    ２日後    ３日後    ４日後    ５日後    ６日後    ９日後
（ア）変化なし  変化なし  濃い赤紫  濃い赤紫  濃い赤紫  濃い赤紫  濃い赤紫と青紫
と青紫    と青紫    と青紫    劣化始まる
（イ）変化なし  変化なし  濃い赤紫  濃い赤紫  濃い赤紫  濃い赤紫  濃い赤紫と青紫
と青紫    と青紫    と青紫    劣化始まる
（ウ）変化なし  変化なし  変化なし  赤紫に    赤紫に    赤紫に    赤紫と青紫
薄く青紫  薄く青紫  薄く青紫  状態は新鮮
（エ）変化なし  変化なし  濃い青紫  濃い青紫  濃い青紫  濃い青紫  花が散った
（オ）変化なし  変化なし  変化なし  変化なし  変化なし  変化なし  変化なし、新鮮
（カ）変化なし  変化なし  変化なし  変化なし  変化なし  変化なし  薄く青紫、新鮮
（キ）変化なし  変化なし  変化なし  薄く青紫  薄く青紫  薄く青紫  薄く青紫、新鮮
（ク）変化なし  変化なし  変化なし  薄く青紫  薄く青紫  青紫      青紫、新鮮
（ケ）濃い赤紫  濃い赤紫  濃い赤紫  濃い青紫  濃い青紫  濃い青紫
と青紫    と青紫    劣化始まる  散った
（コ）濃い赤紫  濃い赤紫  濃い赤紫  濃い青紫  濃い青紫  濃い青紫  濃い青紫
と青紫    と青紫    劣化始まる  劣化    散った
（サ）濃い赤紫  濃い赤紫  濃い赤紫  濃い青紫  濃い青紫  濃い青紫  濃い青紫
と青紫    と青紫    劣化始まる  劣化    散った
（シ）濃い赤紫  濃い赤紫  濃い赤紫  濃い青紫  濃い青紫  濃い青紫
と青紫    と青紫    劣化始まる  散った
（ス）変化なし  濃い赤紫  濃い赤紫  濃い赤紫  濃い赤紫  濃い赤紫  濃い青紫
と青紫    と青紫    と青紫    と青紫
（セ）変化なし  濃い赤紫  濃い赤紫  濃い赤紫  濃い赤紫  濃い赤紫  濃い青紫
と青紫    と青紫    と青紫    と青紫
（ソ）一部青紫  青紫      濃い青紫  濃い青紫  濃い青紫  濃い青紫  濃い青紫
劣化
（タ）一部青紫  青紫      濃い青紫  濃い青紫  濃い青紫  濃い青紫  濃い青紫
劣化
【０１４３】
以上より、タングステン塩によって、アントシアニン色素を含む花の色の変色が行われることが確認された。特にタングステン塩の濃度は、タングステン換算で０．５ｍＭから１ｍＭの間が良い効果を示した。
また、このアリストロメリアでも、１２タングスト（ＶＩ）リン酸によって、まず濃い赤紫に変わり、その後青紫色に変わり始める効果が見られた。
また、［実施例１０］と同様に、アルミニウム塩は＋イオンの形で与えたため、花へのアルミニウムイオンの吸収が遅かったが、４日目で薄く青紫の変色が見られたが、それ以上はあまり変色しなかった。吸収が遅かった分花の持ちも良く、１６日目まで、劣化せずに花弁を保持していた。
モリブデン塩には花色を強く青紫系に変える効果が確認された。これはタングステン塩よりも強い変色効果であった。
【実施例１２】
【０１４４】
次の内容は、発明者らが２００４年１２月３１日から２００５年１月７日にかけて行った、［請求項２２］から［請求項２５］の効果を確認する試験の結果である。
【０１４５】
本試験材料はピンクの花弁、特に花弁先端に濃いピンクの色彩を持つ、切り花のトルコキキョウ（ユーストマ）である。
以下に示す溶液中に生けて、花が鑑賞できなくなるまで観察した。
（ア）：１２タングスト（ＶＩ）リン酸のタングステン換算で２ｍＭの水溶液（０．０４８％Ｈ３（ＰＷ１２Ｏ４０）水溶液）
（イ）：１２タングスト（ＶＩ）リン酸のタングステン換算で５ｍＭの水溶液（０．１２％Ｈ３（ＰＷ１２Ｏ４０）水溶液）
（ウ）：１２タングスト（ＶＩ）リン酸のタングステン換算で１ｍＭの水溶液（０．０２４％Ｈ３（ＰＷ１２Ｏ４０）水溶液）
（エ）：タングステン酸ナトリウム・二水和物のタングステン換算で２ｍＭの水溶液（０．０６６％Ｎａ２ＷＯ４・２Ｈ２Ｏ水溶液）
（オ）：モリブデン酸アンモニウム・四水和物のモリブデン換算で２ｍＭの水溶液（０．０３５％（ＮＨ４）６Ｍｏ７Ｏ２４・４Ｈ２Ｏ水溶液）
（カ）：１２タングスト（ＶＩ）リン酸のタングステン換算で１ｍＭとタングステン酸ナトリウム・二水和物のタングステン換算で１ｍＭの混合水溶液（タングステン換算で合計２ｍＭ）
（キ）：１２タングスト（ＶＩ）リン酸のタングステン換算で２．５ｍＭとタングステン酸ナトリウム・二水和物のタングステン換算で２．５ｍＭの混合水溶液（タングステン換算で合計５ｍＭ）
（ク）：１２タングスト（ＶＩ）リン酸のタングステン換算で０．５ｍＭとタングステン酸ナトリウム・二水和物のタングステン換算で０．５ｍＭの混合水溶液（タングステン換算で合計１ｍＭ）
（ケ）：水
なお、本試験においては、試験材料以外の成分は入れなかった。また、（ケ）は比較のため水で生けたものである。
【０１４６】
結果を以下にまとめる。特に花弁の先端の色に明確な効果の違いが見られたので、これに着目して結果を記載する。
１日後      ２日後      ３日後      ４日後          ５日後      ６日後
（ア）濃い赤紫    紫がかった  紫がかった  紫がかった      紫がかった  紫がかった
ピンク      ピンク      ピンク          ピンク      ピンク
（イ）変化なし    紫がかった  紫がかった  紫がかった      紫がかった  紫がかった
ピンク      ピンク      ピンク          ピンク      ピンク
（ウ）変化なし    紫がかった  紫がかった  紫がかった      しおれた    しおれた
ピンク      ピンク      ピンク、しおれた
（エ）赤紫        紫がかった  紫がかった  紫がかった      紫がかった
ピンク      ピンク      ピンク          ピンク、しおれた
（オ）変化なし    紫がかった  紫がかった  紫がかった      しおれた
ピンク、    ピンク      ピンク
しおれ始めた  しおれた  しおれた
（カ）濃い赤紫    紫がかった  紫がかった  紫がかった      紫がかった  紫がかった
ピンク      ピンク      ピンク          ピンク      ピンク
（キ）変化なし    濃い赤紫    紫がかった  紫がかった      紫がかった  しおれた
ピンク      ピンク          ピンク、しおれ
（ク）変化なし    紫がかった  紫がかった  紫がかった      しおれた
ピンク、    ピンク      ピンク
（ケ）変化なし    変化なし    変化なし    変化なし        変化なし    変化なし
（８日目にしおれた）
【実施例１３】
【０１４７】
次の内容は、発明者らが２００４年１２月３１日から２００５年１月７日にかけて行った、［請求項２２］から［請求項２５］の効果を確認する試験の結果である。
【０１４８】
本試験材料はピンクの花弁を持つ、水栽培のチューリップである。
以下に示す溶液中に根を浸して、花弁の変色を観察した。
（ア）：１２タングスト（ＶＩ）リン酸のタングステン換算で２ｍＭの水溶液（０．０４８％Ｈ３（ＰＷ１２Ｏ４０）水溶液）
（イ）：タングステン酸ナトリウム・二水和物のタングステン換算で２ｍＭの水溶液（０．０６６％Ｎａ２ＷＯ４・２Ｈ２Ｏ水溶液）
（ウ）：１２タングスト（ＶＩ）リン酸のタングステン換算で１ｍＭとタングステン酸ナトリウム・二水和物のタングステン換算で１ｍＭの混合水溶液（タングステン換算で合計２ｍＭ）
（エ）：１２タングスト（ＶＩ）リン酸のタングステン換算で５ｍＭの水溶液
（オ）： タングステン酸ナトリウム・二水和物のタングステン換算で５ｍＭの水溶液（０．１６５％Ｎａ２ＷＯ４・２Ｈ２Ｏ水溶液）
（カ）： １２タングスト（ＶＩ）リン酸のタングステン換算で２．５ｍＭとタングステン酸ナトリウム・二水和物のタングステン換算で２．５ｍＭの混合水溶液（タングステン換算で合計５ｍＭ）
【０１４９】
１日後        ２日後          ３日後          ４日後        ５日後
（ア）先端から中央  先端から中央に  先端から中央に  全体が濃い    全体が濃い
に濃い赤紫    濃赤紫と青紫    濃赤紫と青紫    赤紫          赤紫
（イ）先端から中央  先端から中央に  先端から中央に  先端から中央  先端から中央に
に濃い赤紫    濃赤紫と青紫    濃赤紫と青紫    濃赤紫と青紫  濃赤紫と青紫
（ウ）先端から中央  先端から中央に  先端から中央に  先端から中央  先端から中央に
に濃い赤紫    濃赤紫と青紫    濃赤紫と青紫    濃赤紫と青紫  濃赤紫と青紫
（エ）花全体が濃い  花全体が濃い    花全体が濃い    花全体が濃い  花全体が濃い
赤紫          赤紫            赤紫            赤紫          赤紫
（オ）先端から中央  先端から中央に  花全体に        花全体に      花全体に
に濃い赤紫    濃赤紫と青紫    濃赤紫と青紫    濃赤紫と青紫  濃赤紫と青紫
（カ）先端から中央  先端から中央に  花全体に        花全体に      花全体に
に濃い赤紫    濃赤紫と青紫    濃赤紫と青紫    濃赤紫と青紫  濃赤紫と青紫
以上の結果より、溶液を根から吸わせても、切り花と同じように変色を行わせることが可能であることがわかる。
また、同様にタングステン塩を根から吸わせることができ、これによりアントシアニン色素を含む花の色の変色が行われることが確認され、特に１２タングスト（ＶＩ）リン酸によれば、最初に濃い赤紫の発色を示し、後に青紫に変色するという効果が見られた。
【実施例１４】
【０１５０】
次の内容は、［請求項６］、［請求項１２］、［請求項２７］から［請求項２９］を適用して作成した、教育用の暗号文字の印字とこれを復号した例である。
【０１５１】
まず、図７と同様のマスクパターンＦを作成する。１ドットの大きさは、４分割したパートを筆で塗ることができるサイズを考えて、７ｍｍ×７ｍｍとし、４分割した各パートは３．５ｍｍ×３．５ｍｍの大きさとし、縦２０ドット、横２４ドットの大きさのマスクパターンとした。
このマスクパターンの穴を開ける部分（図７では黒で表示されている部分）に、［請求項２７］の（１）で示した色素物質を用い、塗った部分で文字が現れるように塗っていく。なお、塗る材料は以下のＡ１からＡ８の調合のものを使い、８種を均等に使用するようにランダムに選定する。
Ａ１：
水                        ６０ｍｌ
１０％ＰＶＡ水溶液        ２０ｍｌ
エチルアルコール          ２０ｍｌ
塩化水素（ＨＣｌ）          ３．５ｍｇ  （０．００３５％溶液）
ブロムチモールブルー      １１ｍｇ      （０．０１１％溶液）
フェノールレッド          ４４ｍｇ      （０．０４４％溶液）
食用黄色４号色素          ５５ｍｇ      （０．０５５％溶液）
Ａ２：
水                        ６０ｍｌ
１０％ＰＶＡ水溶液        ２０ｍｌ
エチルアルコール          ２０ｍｌ
塩化水素（ＨＣｌ）          ３．５ｍｇ  （０．００３５％溶液）
フェノールレッド          ２０ｍｇ      （０．０２％溶液）
食用黄色４号色素        １００ｍｇ      （０．１％溶液）
Ａ３：
水                        ６０ｍｌ
１０％ＰＶＡ水溶液        ２０ｍｌ
エチルアルコール          ２０ｍｌ
塩化水素（ＨＣｌ）          ３．５ｍｇ  （０．００３５％溶液）
メチルレッド              ３０ｍｇ      （０．０３％溶液）
食用黄色４号色素        １５０ｍｇ      （０．１５％溶液）
Ａ４：
水                        ６０ｍｌ
１０％ＰＶＡ水溶液        ２０ｍｌ
エチルアルコール          ２０ｍｌ
塩化水素（ＨＣｌ）          ３．５ｍｇ  （０．００３５％溶液）
ブロムチモールブルー    １２０ｍｇ      （０．１２％溶液）
食用黄色４号色素        ４３０ｍｇ      （０．４３％溶液）
Ａ５：
水                        ６０ｍｌ
１０％ＰＶＡ水溶液        ２０ｍｌ
エチルアルコール          ２０ｍｌ
塩化水素（ＨＣｌ）          ３．５ｍｇ  （０．００３５％溶液）
ブロムチモールブルー    １４３ｍｇ      （０．１４３％溶液）
Ａ６：
水                        ６０ｍｌ
１０％ＰＶＡ水溶液        ２０ｍｌ
エチルアルコール          ２０ｍｌ
塩化水素（ＨＣｌ）          ３．５ｍｇ  （０．００３５％溶液）
ブロムチモールブルー    ２７０ｍｇ      （０．２７％溶液）
フェノールレッド          １５ｍｇ      （０．０１５％溶液）
Ａ７：
水                        ６０ｍｌ
１０％ＰＶＡ水溶液        ２０ｍｌ
エチルアルコール          ２０ｍｌ
塩化水素（ＨＣｌ）          ３．５ｍｇ  （０．００３５％溶液）
ブロムチモールブルー      ６６ｍｇ      （０．０６６％溶液）
フェノールレッド          ４０ｍｇ      （０．０４％溶液）
Ａ８：
水                        ６０ｍｌ
１０％ＰＶＡ水溶液        ２０ｍｌ
エチルアルコール          ２０ｍｌ
塩化水素（ＨＣｌ）          ３．５ｍｇ  （０．００３５％溶液）
フェノールレッド          ６０ｍｇ      （０．０６％溶液）
ここで、ＰＶＡはポリビニルアルコールとする。ポリビニルアルコールは増粘目的と、乾燥させた後、上から発色剤を塗っても、にじみにくくする目的で加えている。
なお、用紙はにじみ防止効果のあるインクジェット紙とし、特願２００４−１６５２０７の［００３７］で、最も発色が良いと報告した「コニカ社のインクジェット紙ＫＩＫ１００Ａ４ＳＨＭ」を用いた。
【０１５２】
この用紙の下にマスクパターンを敷き、上から見える黒部分の上に、文字「あ」が見えるように上記色素物質Ａ１からＡ８を塗っていく。ここで、次で述べる「い」の字を形成させる場合には、色素物質Ａ３を除いておいた方が効果的である。
次にマスクパターンの白に該当する場所には、上記で描いた「あ」の字がわからなくなるように、Ａ１、Ａ２、Ａ４からＡ８の色素材料で、適当に場所を選んでスクランブル信号の点を塗っていく。ここで特に、Ａ３の色素を用いて、マスクパターンの白に該当する場所に「い」の字が形成されるように塗っておく。これらＡ１からＡ８で塗った点は、弱酸性の状態を保っており、全て黄色の点になる。
塗り終わったら、描画物は乾燥のため放置し、マスクパターンの方は黒表示の部分をカッタで切り取って、穴を開ける。
【０１５３】
描画物が乾いたら、次で示す発色剤を塗っていく。
発色剤：水１００ｍｌに炭酸カリウム２ｇを溶解させた溶液（２％炭酸カリウム水溶液）
これを塗ると、全て黄色の点に見えていたものが、赤、橙、鮮黄、緑、青、藍、紫、紅の点に変化して見え、大変美しい。ただし、まだこの状態では「あ」の字は見えず、スクランブルとして打った「い」の字の偽情報が鮮黄色の文字で浮かび上がる。
【０１５４】
先ほど作成したマスクパターンを、発色させた描画物の上に乗せると、赤、橙、（鮮黄）、緑、青、藍、紫、紅の色で打たれた、「あ」の字が浮かび上がる。
先ほどの「い」の字は偽情報で、「あ」の字が暗号文字であったことを示す。
なお、この実施例では１ドットを４分割した場合で説明したが、２分割でも３分割でも可能であるし、また４分割のパートの２つをマスクパターンの穴部分に当ててもよいし、１つ穴をあけたものと２つ穴を開けたものを混在させるなどして、描画物にこの分布を用いて濃淡で模様を作り出すようなことも可能である。（ただしこの場合には、復号した文字にも濃淡が出たり、文字に太い部分と細い部分が出たりする。）
【０１５５】
以上、［実施例１４］では、このような方法により、現れる各色を驚きを持って楽しみながら、暗号文作成の基本である、スクランブル信号の打ち方、偽信号の混入方法、化学的に文字を隠す方法などを教えるような教育材料を提供することができることを示した。
なお、この発色した描画物は、時間が経って空気中の二酸化炭素を吸っても、色が変わらない。炭酸カリウムは、二酸化炭素を吸って炭酸水素カリウムに変化し、ここで吸湿性がなくなり、二酸化炭素の吸収が停止するが、この炭酸水素カリウムの弱アルカリでもアルカリ側の発色を保つ材料をＡ１からＡ８で選定しているからである。
【産業上の利用可能性】
【０１５６】
本発明は、その全般を通して、色素あるいはｐＨ指示薬として知られる酸、アルカリによって色の変わる色素、あるいは化学反応現象によって色の変わる色素の性質を利用して、与えられた課題を解決しようとするものである。
［請求項１］、［請求項２］、［請求項３］、［請求項７］から［請求項２１］、［請求項２４］では、注いだ水からさまざまな色が出てきたり、花瓶に生けた花が色素を吸わせた訳ではないのに、濃い鮮やかな色に変わったりするような、一種の不思議を感じさせる花瓶を提供する。
また、［請求項１］、［請求項４］、［請求項５］、［請求項７］から［請求項２１］では、注いだ飲料がさまざまな色に変わるような演出が可能な、一種の不思議を感じさせるシャンパングラスを提供する。この飲料は、アントシアニンなどの食用可能色素を用いた場合には、飲用も可能である。
［請求項１］、［請求項６］、［請求項２７］、［請求項２８］では、見た目に美しい素材を用いて暗号文の作成や、暗号の基本であるスクランブルのかけ方を学習できるような教材を提供することができ、これらを拡張して、［請求項２９］から［請求項４４］では、プリントした秘密文書を、裁断せずにそのまま廃棄できるプリント方法を提供する。
これらは、全般を通して、色素あるいはｐＨ指示薬として知られる酸、アルカリによって色の変わる色素、あるいは化学反応現象によって色の変わる色素の性質を利用して、与えられた課題を解決しようとするものである。
【０１５７】
発明者らは、例えば以上述べたような「ちょっとした面白いもの」や「自然科学や化学への興味を引き出させるもの」の考案を趣味としており、本発明もそうした趣味の活動の一環として行ったものである。
特に、変色する花瓶や、シャンパングラスの塔は美しく、子どもたちにこれを演出して見せると歓声があがり、演出する方も大変やりがいのあるものである。
また、何もしていないのに色が突然変わったり、虹の７色が次々に出てくる演出は、科学または化学や手品に興味のある子どもたちにとって、非常に面白いものであるらしく、これの演出では仕掛けを知りたがる声がたくさんあがり、演出する方も大変おもしろいものである。
本特許願に、この演出の詳細な構成、溶液の処方、施した工夫、変色などが起こる原理、詳細な実施例を記載し、自身への覚えとしたが、こうした考案の記録が、他の「ちょっとした面白いもの」を製作している方への有意な情報となれば幸いである。
【０１５８】
最後に、理科への興味を持たせる学習方法について、発明者らの過去の経験を記載しておきたい。
それは、小学校５年の理科の授業での、酸とアルカリの実験であった。
先生が「ＢＴＢ液を酸に滴下すると黄色になる」と言って、フラスコに入れた２００ｍｌほどの酸溶液にＢＴＢ液を入れると、そこには全く予想もしなかった目を見張るような赤色が現れた。入れる分量を間違えたと言って、もう少しＢＴＢ液を足すと、その溶液はさらに恐るべき濃い赤紫へと変わっていった。
その酸溶液は濃塩酸であった。
【０１５９】
当時の小学生の常識でも濃塩酸は危険なものであり、このように濃塩酸にＢＴＢを入れるなどということは思ってもみないような実験だったのである。この色変化について、不思議の思いと興味に捕らわれた生徒たちは、その後、百科事典などをずいぶん調べ、百科事典の語句の孫引きから、いろいろな物質について知ることとなり、実験には関係のなかったような物質についても、興味を持って知ることとなった。さらに何かの折りにつれて調べることにより、やがては周期律表に至る多くの全般知識を得ていったのであるが、この不思議な変色についてはどこにもでていなかった。
もっと後に、何かの機会に濃塩酸にＢＴＢを入れてみて初めて、これが間違いのない事実であると確認し、これがＢＴＢと同じ構造を持ったチモールブルーの、第一変色点での変色と同じ類の赤・黄の変色であることが理解できていくのである。
【０１６０】
この実験自体は失敗であり、このＢＴＢの特異な発色は、当時の小学生には理解の及ばない単なる「事実の認識」であった。しかし、教科書にはでていないこの不思議な演出は面白く、興味を引くものであった。そして、この数十分の授業は、授業に使った時間の百倍にも千倍にも匹敵する教育効果を持っていたのである。この生徒たちは、本を調べるだけでなく、ＢＴＢ液を変色させ、いろいろな花から色素を抽出し、これを変色させ、過マンガン酸カリウムの美しい赤紫の溶液に見入ったり、その変色を試みたりと、色の変わる化学への興味は尽きることがなかった。さらに、興味は他の化学現象へも次々と移っていった。おそらく、この授業で、普通に教科書のとおりＢＴＢ液が黄色になり、アルカリによって緑から青に変われば、このような興味の連鎖反応は起こらなかったのであろう。
この現象を理解するに至るまでには、長い長い時間が経過したが、それを理解するまでの過程で、我々は化学全般への興味を持ち、他の多くのことへの興味を持つという成果を得て、結局ＢＴＢとチモールブルーの構造の違いは、２個のＢｒだけであるという別の認識を得るに至ったのである。
このように、理解することよりももっと重要なのは、まず面白いこと、興味が持てることなのであると、このような経験を通して感じている。興味を持てば、教えたことよりもずっと多くのことを自ら学ぼうとするし、興味を持って学んだことは忘れず、後に何か関連することがらに触れれば、更にそれを積極的に取り込もうとするのである。
【０１６１】
あるいは、物理に興味を持った生徒は、磁石で砂鉄を集める授業で不思議を感じ、興味を持つかも知れない。「なぜ消しゴムでは砂鉄を集めることができないのか？」
この、「なぜ」が重要なのであって、この生徒には、特に家庭での教育に於いては、理解できなくても良いから、電気と磁気の関係を教えてやれば良い。鉄の棒に導線を巻いて電磁石を作り、手回し発電機は導線に磁石を横切らせていることを見せてやればよい。鉄と消しゴムの違いを教えれば、更に「なぜ」は湧いてくるだろう。
興味を持てば、後は自分で調べるだろうし、そのうち磁石の上に浮いた超電導体の周りには磁力線が、超電導体の中には磁力線と直交する電流ループが見えてくるかもしれない。そして将来、Ｍａｘｗｅｌｌの方程式に、昔聞いた電気と磁気の関係を思い出して懐かしくなるだろう。
こうした「興味をもつこと」による効果は、理科・科学・数学の分野に限らず、どのようなことにおいても同様である。
【０１６２】
以上のような、「興味を持たせること」、特に理科の分野に興味を持たせることが、本考案に関して背景となっている解決課題であり、産業上利用可能な前述のようなものを提供する動機となっている重要なところである。
【図面の簡単な説明】
【０１６３】
【図１】本発明及び本発明の一実施例を示す図。
【図２】本発明及び本発明の一実施例を示す図。
【図３】本発明及び本発明の一実施例を示す図。
【図４】本発明及び本発明の一実施例を示す図。
【図５】本発明及び本発明の一実施例を示す図。
【図６】本発明及び本発明の一実施例を示す図。
【図７】マスクパターンＦの例。
【図８】暗号文字印字例。
【図９】マスクパターンＦで図８の文字を読み取った例
【図１０】白で印字した暗号文字印字例。
【図１１】黒地を用いた読み取り用マスクパターン
【図１２】鏡の配置
【図１３】マスターキーパターンＦ’
【図１４】マスターキーパターンＦ’で図８の文字を読み取った例
【図１５】別の文字読み取り用のパターンＦ’’
【図１６】別の文字読み取り用のパターンＦ’’で図８の文字を読み取った例
【図１７】本発明の一実施例を示す図。
【図１８】本発明の一実施例を示す図。
【図１９】本発明の一実施例を示す図。
【図２０】本発明の一実施例を示す図。
【符号の説明】
【０１６４】
１  物質Ａ
２  受容部Ｂ
３  物質Ｃ
４  容器本体Ｄ
５  通路Ｅ
【図１】
2006198124.tif 000003
【図２】
2006198124.tif 000004
【図３】
2006198124.tif 000005
【図４】
2006198124.tif 000006
【図５】
2006198124.tif 000007
【図６】
2006198124.tif 000008
【図７】
2006198124.tif 000009
【図８】
2006198124.tif 000010
【図９】
2006198124.tif 000011
【図１０】
2006198124.tif 000012
【図１１】
2006198124.tif 000013
【図１２】
2006198124.tif 000014
【図１３】
2006198124.tif 000015
【図１４】
2006198124.tif 000016
【図１５】
2006198124.tif 000017
【図１６】
2006198124.tif 000018
【図１７】
2006198124.tif 000019
【図１８】
2006198124.tif 000020
【図１９】
2006198124.tif 000021
【図２０】
2006198124.tif 000022